(57)【要約】  本願発明の実施形態はクリアチャネルアセスメントにおけるコンテンションウィンドウサイズを決定するための方法を提供する。同方法は、参照サブフレームでスケジューリングされている少なくとも１つのユーザ機器ＵＥのうち、アンライセンスキャリア上のアップリンクサブフレームを占有している少なくとも１つのＵＥを基地局が決定する段階であって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、段階と、アップリンクサブフレームを占有している少なくとも１つのＵＥのＨＡＲＱステータスに基づき、ダウンリンク伝送に関するＣＣＡにおけるＣＷＳを基地局が決定する段階とを備える。本願発明の実施形態はさらに、クリアチャネルアセスメントにおけるコンテンションウィンドウサイズを決定するための装置、および基地局を提供する。本願発明の実施形態は、ダウンリンク伝送に関するＣＷＳの決定における精度を向上させることが出来、調整されたＣＷＳが過度に大きいが故に基地局の待ち時間を増やしてしまう確率を下げることが出来る効果を有する。
2019510443.tif 000002
【特許請求の範囲】
【請求項１】
参照サブフレームでスケジューリングされている少なくとも１つのユーザ機器ＵＥのうち、アンライセンスキャリア上のアップリンクサブフレームを占有している少なくとも１つのＵＥを基地局が決定する段階であって、前記アップリンクサブフレームは、前記基地局により前記参照サブフレームでスケジューリングされている少なくとも１つのＵＥが前記参照サブフレームについてハイブリッド自動再送要求ＨＡＲＱステータスをフィードバックするのに用いるアップリンクサブフレームである、段階と、
前記アップリンクサブフレームを占有している前記少なくとも１つのＵＥのＨＡＲＱステータスに基づき、ダウンリンク伝送に関するクリアチャネルアセスメントＣＣＡにおけるコンテンションウィンドウサイズＣＷＳを前記基地局が決定する段階と
を備える、クリアチャネルアセスメントにおけるコンテンションウィンドウサイズを決定するための方法。
【請求項２】
参照サブフレームでスケジューリングされている少なくとも１つのＵＥのうち、アンライセンスキャリア上のアップリンクサブフレームを占有している少なくとも１つのＵＥを基地局が決定する前記段階は、前記参照サブフレームでスケジューリングされている少なくとも１つのＵＥが、ＨＡＲＱステータスをフィードバックする前記アップリンクサブフレーム内のＨＡＲＱリソースを占有していることを前記基地局が発見した場合、前記アップリンクサブフレーム内の前記ＨＡＲＱリソースを占有している前記少なくとも１つのＵＥが、前記アップリンクサブフレームを占有していると決定する段階を有し、
前記ＨＡＲＱリソースは、前記ＵＥがフィードバックする前記ＨＡＲＱステータスを伝達する物理層リソースである、
請求項１に記載の方法。
【請求項３】
参照サブフレームでスケジューリングされている少なくとも１つのユーザ機器ＵＥのうち、アンライセンスキャリア上のアップリンクサブフレームを占有している少なくとも１つのＵＥを基地局が決定する前記段階は、前記参照サブフレームでスケジューリングされている少なくとも１つのＵＥが、ＨＡＲＱステータスをフィードバックする前記アップリンクサブフレーム内のＨＡＲＱリソースを占有していないことを前記基地局が発見し、かつ、前記ＨＡＲＱステータスをフィードバックする前記アップリンクリソース内の前記ＨＡＲＱリソースを占有していない前記少なくとも１つのＵＥが前記アップリンクサブフレーム内の前記ＨＡＲＱリソース以外のアップリンクリソースを占有していることを前記基地局が発見した場合、前記アップリンクサブフレーム内の前記ＨＡＲＱリソース以外の前記アップリンクリソースを占有している前記少なくとも１つのＵＥが前記アップリンクサブフレームを占有していると決定する段階を有し、
前記ＨＡＲＱリソースは、前記ＵＥがフィードバックする前記ＨＡＲＱステータスを伝達する物理層リソースである、
請求項１または２に記載の方法。
【請求項４】
前記ＨＡＲＱステータスをフィードバックする前記アップリンクリソース内の前記ＨＡＲＱリソースを占有していない前記少なくとも１つのＵＥが前記アップリンクサブフレーム内の前記ＨＡＲＱリソース以外のアップリンクリソースを占有していることを前記基地局が発見するとは、
前記ＨＡＲＱステータスをフィードバックする前記アップリンクサブフレーム内の前記ＨＡＲＱリソースを占有していない前記ＵＥが、復調参照信号ＤＭＲＳを送信することを前記基地局が発見した場合、前記ＵＥが前記アップリンクサブフレーム内の前記ＨＡＲＱリソース以外の前記アップリンクリソースを占有していると決定すること、または、
前記ＨＡＲＱステータスをフィードバックする前記アップリンクサブフレーム内の前記ＨＡＲＱリソースを占有していない前記ＵＥが物理アップリンク共有チャネルＰＵＳＣＨでアップリンクサービス情報を送信することを前記基地局が発見した場合、前記ＵＥが前記アップリンクサブフレーム内の前記ＨＡＲＱリソース以外の前記アップリンクリソースを占有していると決定すること、または、
前記ＨＡＲＱステータスをフィードバックする前記アップリンクサブフレーム内の前記ＨＡＲＱリソースを占有していない前記ＵＥが物理アップリンク制御チャネルＰＵＣＣＨでアップリンク制御情報を送信することを前記基地局が発見した場合、前記ＵＥが前記アップリンクサブフレーム内の前記ＨＡＲＱリソース以外の前記アップリンクリソースを占有していると決定すること
を含む、請求項３に記載の方法。
【請求項５】
前記ＨＡＲＱステータスをフィードバックする前記アップリンクサブフレーム内の前記ＨＡＲＱリソースを占有していない前記ＵＥが前記ＰＵＣＣＨで送信する前記アップリンク制御情報であって、前記基地局が検出する前記アップリンク制御情報は、スケジューリング要求ＳＲおよび／またはチャネル状態情報ＣＳＩを含む、請求項４に記載の方法。
【請求項６】
参照サブフレームでスケジューリングされている少なくとも１つのＵＥのうち、アンライセンスキャリア上のアップリンクサブフレームを占有している少なくとも１つのＵＥを基地局が決定する前記段階は、前記参照サブフレームでスケジューリングされている少なくとも１つのＵＥが、ＨＡＲＱステータスをフィードバックする前記アップリンクサブフレーム内のＨＡＲＱリソースを占有していないことを前記基地局が発見し、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定する段階を有し、
前記ＨＡＲＱリソースは、前記ＵＥがフィードバックする前記ＨＡＲＱステータスを伝達する物理層リソースである、
請求項１または２に記載の方法。
【請求項７】
参照サブフレームでスケジューリングされている少なくとも１つのＵＥのうち、アンライセンスキャリア上のアップリンクサブフレームを占有している少なくとも１つのＵＥを基地局が決定する前記段階は、前記参照サブフレームでスケジューリングされている少なくとも１つのＵＥが、前記ＨＡＲＱステータスをフィードバックする前記アップリンクサブフレーム内の前記ＨＡＲＱリソースを占有しておらず、前記ＨＡＲＱリソース以外の前記アップリンクリソースを占有していないことを前記基地局が発見し、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定する段階を有する、請求項３から５のいずれか一項に記載の方法。
【請求項８】
参照サブフレームでスケジューリングされている少なくとも１つのＵＥのうち、アンライセンスキャリア上のアップリンクサブフレームを占有している少なくとも１つのＵＥを基地局が決定する前記段階は、
前記参照サブフレームでスケジューリングされている少なくとも１つのＵＥが送信する報告情報を前記基地局が受信する段階であって、前記報告情報は、前記少なくとも１つのＵＥが前記アップリンクサブフレームを占有していることを示すのに用いられる、段階と、
前記少なくとも１つのＵＥが前記アップリンクサブフレームを占有していると前記基地局が決定する段階と
を有する、請求項１に記載の方法。
【請求項９】
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュールであって、前記アップリンクサブフレームは、前記基地局により前記参照サブフレームでスケジューリングされている少なくとも１つのＵＥが前記参照サブフレームについてハイブリッド自動再送要求ＨＡＲＱステータスをフィードバックするのに用いるアップリンクサブフレームである、第１決定モジュールと、
前記アップリンクサブフレームを占有している前記少なくとも１つのＵＥのＨＡＲＱステータスに基づき、ダウンリンク伝送に関するクリアチャネルアセスメントＣＣＡにおけるコンテンションウィンドウサイズＣＷＳを決定するよう構成されている第２決定モジュールと
を備える、クリアチャネルアセスメントにおけるコンテンションウィンドウサイズを決定するための装置。
【請求項１０】
前記第１決定モジュールは具体的に、前記基地局により前記参照サブフレームでスケジューリングされている少なくとも１つのＵＥが、ＨＡＲＱステータスをフィードバックする前記アップリンクサブフレーム内のＨＡＲＱリソースを占有していることが検出された場合、前記ＨＡＲＱステータスをフィードバックする前記アップリンクサブフレーム内の前記ＨＡＲＱリソースを占有している前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項９に記載の決定装置。
【請求項１１】
前記第１決定モジュールは具体的に、前記基地局により前記参照サブフレームでスケジューリングされている少なくとも１つのＵＥが、ＨＡＲＱステータスをフィードバックする前記アップリンクサブフレーム内のＨＡＲＱリソースを占有していないこと、および前記ＨＡＲＱステータスをフィードバックする前記アップリンクリソース内の前記ＨＡＲＱリソースを占有していない前記少なくとも１つのＵＥが前記アップリンクサブフレーム内の前記ＨＡＲＱリソース以外のアップリンクリソースを占有していることが検出された場合、前記アップリンクサブフレーム内の前記ＨＡＲＱリソース以外の前記アップリンクリソースを占有している前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項９または１０に記載の決定装置。
【請求項１２】
前記第１決定モジュールは具体的に、
前記ＨＡＲＱステータスをフィードバックする前記アップリンクサブフレーム内の前記ＨＡＲＱリソースを占有していない前記ＵＥが、復調参照信号ＤＭＲＳを送信することが検出された場合、前記ＵＥが前記アップリンクサブフレーム内の前記ＨＡＲＱリソース以外の前記アップリンクリソースを占有していると決定し、または、
前記ＨＡＲＱステータスをフィードバックする前記アップリンクサブフレーム内の前記ＨＡＲＱリソースを占有していない前記ＵＥが物理アップリンク共有チャネルＰＵＳＣＨでアップリンクサービス情報を送信することが検出された場合、前記ＵＥが前記アップリンクサブフレーム内の前記ＨＡＲＱリソース以外の前記アップリンクリソースを占有していると決定し、または、
前記ＨＡＲＱステータスをフィードバックする前記アップリンクサブフレーム内の前記ＨＡＲＱリソースを占有していない前記ＵＥが物理アップリンク制御チャネルＰＵＣＣＨでアップリンク制御情報を送信することが検出された場合、前記ＵＥが前記アップリンクサブフレーム内の前記ＨＡＲＱリソース以外の前記アップリンクリソースを占有していると決定する
よう構成されている、請求項１１に記載の決定装置。
【請求項１３】
前記ＨＡＲＱステータスをフィードバックする前記アップリンクサブフレーム内の前記ＨＡＲＱリソースを占有していない前記ＵＥが前記ＰＵＣＣＨで送信する検出された前記アップリンク制御情報は、スケジューリング要求ＳＲおよび／またはチャネル状態情報ＣＳＩを含む、請求項１２に記載の決定装置。
【請求項１４】
前記第１決定モジュールは具体的に、前記基地局により前記参照サブフレームでスケジューリングされている少なくとも１つのＵＥが、ＨＡＲＱステータスをフィードバックする前記アップリンクサブフレーム内のＨＡＲＱリソースを占有していないことが検出され、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項９または１０に記載の決定装置。
【請求項１５】
前記第１決定モジュールは具体的に、前記基地局により前記参照サブフレームでスケジューリングされている少なくとも１つのＵＥが前記ＨＡＲＱステータスをフィードバックする前記アップリンクサブフレーム内の前記ＨＡＲＱリソースを占有しておらず、前記ＨＡＲＱリソース以外の前記アップリンクリソースを占有していないことが検出され、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定するよう構成されている、請求項１１から１３のいずれか一項に記載の決定装置。
【請求項１６】
前記第１決定モジュールは具体的に、
前記参照サブフレームでスケジューリングされている少なくとも１つのＵＥが送信する報告情報を受信することであって、前記報告情報は、前記少なくとも１つのＵＥが前記アップリンクサブフレームを占有していることを示すのに用いられる、受信することと、
前記少なくとも１つのＵＥが前記アップリンクサブフレームを占有していると決定することと
を実行するよう構成されている、請求項９に記載の決定装置。
【請求項１７】
メモリと、
プロセッサと
を備え、
前記メモリは前記プロセッサに接続されており、
前記メモリはプログラムコードセットを格納するよう構成されており、
前記プロセッサは、前記メモリに格納された前記プログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、前記アップリンクサブフレームは、前記基地局により前記参照サブフレームでスケジューリングされている少なくとも１つのＵＥが前記参照サブフレームについてハイブリッド自動再送要求ＨＡＲＱステータスをフィードバックするのに用いるアップリンクサブフレームである、オペレーションと、
前記アップリンクサブフレームを占有している前記少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている、基地局。
【請求項１８】
前記プロセッサは具体的に、
前記基地局により前記参照サブフレームでスケジューリングされている少なくとも１つのＵＥが、ＨＡＲＱステータスをフィードバックする前記アップリンクサブフレーム内のＨＡＲＱリソースを占有していることが検出された場合、前記ＨＡＲＱステータスをフィードバックする前記アップリンクサブフレーム内の前記ＨＡＲＱリソースを占有している前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項１７に記載の基地局。
【請求項１９】
前記プロセッサは具体的に、前記基地局により前記参照サブフレームでスケジューリングされている少なくとも１つのＵＥが、ＨＡＲＱステータスをフィードバックする前記アップリンクサブフレーム内のＨＡＲＱリソースを占有していないこと、および前記ＨＡＲＱステータスをフィードバックする前記アップリンクリソース内の前記ＨＡＲＱリソースを占有していない前記少なくとも１つのＵＥが前記アップリンクサブフレーム内の前記ＨＡＲＱリソース以外のアップリンクリソースを占有していることが検出された場合、前記アップリンクサブフレーム内の前記ＨＡＲＱリソース以外の前記アップリンクリソースを占有している前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項１７または１８に記載の基地局。
【請求項２０】
前記プロセッサは具体的に、
前記ＨＡＲＱステータスをフィードバックする前記アップリンクサブフレーム内の前記ＨＡＲＱリソースを占有していない前記ＵＥが、復調参照信号ＤＭＲＳを送信することが検出された場合、前記ＵＥが前記アップリンクサブフレーム内の前記ＨＡＲＱリソース以外の前記アップリンクリソースを占有していると決定し、または、
前記ＨＡＲＱステータスをフィードバックする前記アップリンクサブフレーム内の前記ＨＡＲＱリソースを占有していない前記ＵＥが物理アップリンク共有チャネルＰＵＳＣＨでアップリンクサービス情報を送信することが検出された場合、前記ＵＥが前記アップリンクサブフレーム内の前記ＨＡＲＱリソース以外の前記アップリンクリソースを占有していると決定し、または、
前記ＨＡＲＱステータスをフィードバックする前記アップリンクサブフレーム内の前記ＨＡＲＱリソースを占有していない前記ＵＥが物理アップリンク制御チャネルＰＵＣＣＨでアップリンク制御情報を送信することが検出された場合、前記ＵＥが前記アップリンクサブフレーム内の前記ＨＡＲＱリソース以外の前記アップリンクリソースを占有していると決定する
よう構成されている、請求項１９に記載の基地局。
【請求項２１】
前記ＨＡＲＱステータスをフィードバックする前記アップリンクサブフレーム内の前記ＨＡＲＱリソースを占有していない前記ＵＥが前記ＰＵＣＣＨで送信する検出された前記アップリンク制御情報は、スケジューリング要求ＳＲおよび／またはチャネル状態情報ＣＳＩを含む、請求項２０に記載の基地局。
【請求項２２】
前記プロセッサは具体的に、前記基地局により前記参照サブフレームでスケジューリングされている少なくとも１つのＵＥが、ＨＡＲＱステータスをフィードバックする前記アップリンクサブフレーム内のＨＡＲＱリソースを占有していないことが検出され、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定するよう構成されており、
前記ＨＡＲＱリソースは、前記ＵＥがフィードバックする前記ＨＡＲＱステータスを伝達する物理層リソースである、
請求項１７または１８に記載の基地局。
【請求項２３】
前記プロセッサは具体的に、前記基地局により前記参照サブフレームでスケジューリングされている少なくとも１つのＵＥが前記ＨＡＲＱステータスをフィードバックする前記アップリンクサブフレーム内の前記ＨＡＲＱリソースを占有しておらず、前記ＨＡＲＱリソース以外の前記アップリンクリソースを占有していないことが検出され、かつ、前記アップリンクサブフレームに関して前記少なくとも１つのＵＥが実施するＣＣＡにおけるＣＷＳが第１の所定の閾値以下である、または前記ＣＷＳに基づき生成されるバックオフカウンタの初期値が第２の所定の閾値以下である場合、前記少なくとも１つのＵＥが前記アップリンクサブフレームを占有していると決定するよう構成されている、請求項１９から２１のいずれか一項に記載の基地局。
【請求項２４】
前記プロセッサは具体的に、
前記基地局により前記参照サブフレームでスケジューリングされている少なくとも１つのＵＥが送信する報告情報を受信することであって、前記報告情報は、前記少なくとも１つのＵＥが前記アップリンクサブフレームを占有していることを示すのに用いられる、受信することと、
前記少なくとも１つのＵＥが前記アップリンクサブフレームを占有していると決定することと
を実行するよう構成されている、請求項１９に記載の基地局。
【発明の詳細な説明】
【技術分野】
【０００１】
本願発明は、通信技術の分野に関し、特に、クリアチャネルアセスメントにおけるコンテンションウィンドウサイズを決定するための方法および装置に関する。
【背景技術】
【０００２】
ロングタームエボリューションを用いたライセンス補助アクセス（Ｌｉｃｅｎｓｅｄ−Ａｓｓｉｓｔｅｄ  Ａｃｃｅｓｓ  ｕｓｉｎｇ  Ｌｏｎｇ  Ｔｅｒｍ  Ｅｖｏｌｕｔｉｏｎ，ＬＡＡ−ＬＴＥ）システムにおいて、利用可能な周波数スペクトルは、キャリアアグリゲーション（Ｃａｒｒｉｅｒ  Ａｇｇｒｅｇａｔｉｏｎ，ＣＡ）技術を用いることにより、アンライセンスバンドまで拡張され得る。シームレスなカバレッジを実現し、時間遅延に関する要件の高い一部のサービスの搬送を行うべく、ライセンススペクトルが用いられ、一部のデータサービスの搬送を行うべくアンライセンススペクトルが用いられる。アンライセンススペクトルでのＬＡＡ−ＬＴＥシステムとＷｉ‐Ｆｉシステム等の他のシステムとの好都合な共存を実現すべく、ＬＡＡシステムは、リッスンビフォアトーク（Ｌｉｓｔｅｎ−Ｂｅｆｏｒｅ−Ｔａｌｋ，ＬＢＴ）チャネルアクセスメカニズムを用いて、クリアチャネルアセスメント（Ｃｌｅａｒ  Ｃｈａｎｎｅｌ  Ａｓｓｅｓｓｍｅｎｔ，ＣＣＡ）を介して通信チャネルでの検出を実施し得る。ＣＣＡを介して通信チャネルでの検出が実施される場合、ＬＡＡダウンリンク伝送に関するＬＢＴチャネルアクセスメカニズムにおいて、動的に変動するコンテンションウィンドウサイズ（Ｃｏｎｔｅｎｔｉｏｎ  Ｗｉｎｄｏｗ  Ｓｉｚｅ，ＣＷＳ）が用いられる。各回のＣＣＡにおけるＣＷＳは、ユーザ機器（Ｕｓｅｒ  Ｅｑｕｉｐｍｅｎｔ，ＵＥ）のハイブリッド自動再送要求（Ｈｙｂｒｉｄ  Ａｕｔｏｍａｔｉｃ  Ｒｅｐｅａｔ  ｒｅｑｕｅｓｔ，ＨＡＲＱ）ステータスに基づき決定されてよい。
【０００３】
従来技術において、基地局がアンライセンススペクトルでダウンリンク伝送を実施し、その基地局が、スケジューリングされているＵＥのＣＷＳをそのＵＥがフィードバックするＨＡＲＱステータスに基づき決定する。ＵＥによるＬＢＴの実施が失敗した場合、ＵＥは、アンライセンスキャリア上のアップリンクサブフレーム内でＨＡＲＱステータスをフィードバック出来ない。この場合、基地局が、スケジューリングされているＵＥのＣＷＳをそのＵＥがフィードバックしたＨＡＲＱステータスに基づき直接的に決定した場合、ＣＷＳを誤って決定する確率は比較的高い。従来技術において、ＵＥがＬＢＴの実施に成功したのかは判断されず、ＵＥのＣＷＳは、ＵＥがフィードバックするＨＡＲＱステータスに基づき直接的に決定される。結果的に、ＣＷＳを誤って決定する確率が高くなり、基地局の待ち時間を増やしてしまう確率が高くなる。
【発明の概要】
【０００４】
本願の実施形態は、ダウンリンク伝送に関するＣＷＳの決定における精度を向上させ、調整されたＣＷＳが過度に大きいが故に基地局の待ち時間を増やしてしまう確率を下げるべく、クリアチャネルアセスメントにおけるコンテンションウィンドウサイズを決定するための方法および装置を提供する。
【０００５】
第１の態様は、クリアチャネルアセスメントにおけるコンテンションウィンドウサイズを決定するための方法を提供する。
同方法は、
参照サブフレームでスケジューリングされている少なくとも１つのユーザ機器ＵＥのうち、アンライセンスキャリア上のアップリンクサブフレームを占有している少なくとも１つのＵＥを基地局が決定する段階であって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、段階と、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを基地局が決定する段階と
を備えてよい。
【０００６】
この応用例において、ダウンリンク伝送に関するＣＣＡにおけるＣＷＳを決定する際、アンライセンスキャリア上のアップリンクサブフレームを占有していないＵＥのＨＡＲＱステータスが考慮されない一方で、アンライセンスキャリア上のアップリンクサブフレームを占有しているＵＥのＨＡＲＱステータスのみが考慮されてよく、これにより、アンライセンスキャリア上のアップリンクサブフレームを占有していないＵＥのＨＡＲＱステータスが誤って判断されたことからＣＷＳを誤って決定するケースを回避してよい。したがって、ダウンリンク伝送に関するＣＷＳの決定における精度を向上させることが出来、調整されたＣＷＳが過度に大きいが故に基地局の待ち時間を増やしてしまう確率を下げることが出来る。
【０００７】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していることを基地局が発見した場合、ＨＡＲＱステータスをフィードバックするアップリンクサブフレーム内のＨＡＲＱリソースを占有している少なくとも１つのＵＥが、アップリンクサブフレームを占有していると決定する段階を有し、
ＨＡＲＱリソースは、ＵＥがフィードバックするＨＡＲＱステータスを伝達する物理層リソースである。
【０００８】
この応用例において、ＨＡＲＱステータスをフィードバックするアンライセンスキャリア上のアップリンクサブフレーム内のＨＡＲＱリソースを占有している、参照サブフレームでスケジューリングされている１または複数のＵＥに含まれる検出されたＵＥは、アップリンクサブフレームを占有しているＵＥとして決定されてよい。ダウンリンク伝送に関するＣＣＡにおけるＣＷＳを決定する際、ＨＡＲＱステータスをフィードバックするアンライセンスキャリア上のアップリンクサブフレーム内のＨＡＲＱリソースを占有していないＵＥのＨＡＲＱステータスが考慮されない一方で、ＨＡＲＱステータスをフィードバックするアンライセンスキャリア上のアップリンクサブフレーム内のＨＡＲＱリソースを占有しているＵＥのＨＡＲＱステータスのみが考慮され、これにより、アンライセンスキャリア上のアップリンクサブフレームを占有していないＵＥのＨＡＲＱステータスが誤って判断されたことからＣＷＳを誤って決定するケースをより高い度合いで回避する。したがって、調整されたＣＷＳが過度に大きいが故に基地局の待ち時間を増やしてしまう確率を下げることが出来る。
【０００９】
オプションで、
参照サブフレームでスケジューリングされている少なくとも１つのユーザ機器ＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していないことを基地局が発見し、かつ、ＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることを基地局が発見した場合、アップリンクサブフレーム内のＨＡＲＱリソース以外のアップリンクリソースを占有している少なくとも１つのＵＥがアップリンクサブフレームを占有していると決定する段階を有し、
ＨＡＲＱリソースは、ＵＥがフィードバックするＨＡＲＱステータスを伝達する物理層リソースである。
【００１０】
この応用例において、参照サブフレームでスケジューリングされている１または複数のＵＥのうち、ＨＡＲＱステータスをフィードバックするアンライセンスキャリア上のアップリンクサブフレーム内のＨＡＲＱリソースを占有していないがＨＡＲＱリソース以外のアップリンクリソースを占有している検出されたＵＥは、アップリンクサブフレームを占有しているＵＥとして決定されてよい。ダウンリンク伝送に関するＣＣＡにおけるＣＷＳを決定する際、ＨＡＲＱステータスをフィードバックするアンライセンスキャリア上のアップリンクサブフレーム内のＨＡＲＱリソースを占有しておらず、ＨＡＲＱリソース以外のリソースを占有していないＵＥのＨＡＲＱステータスが考慮されない一方で、ＨＡＲＱステータスをフィードバックするアンライセンスキャリア上のアップリンクサブフレーム内のＨＡＲＱリソースを占有していないがＨＡＲＱリソース以外のアップリンクリソースを占有しているＵＥのＨＡＲＱステータスに基づきＣＷＳが決定されてよく、これにより、ＨＡＲＱステータスをフィードバックするアンライセンスキャリア上のアップリンクサブフレーム内のＨＡＲＱリソースを占有していないが他のアップリンクリソースを占有しているＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１１】
オプションで、
ＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることを基地局が発見するとは、
ＨＡＲＱステータスをフィードバックするアップリンクサブフレーム内のＨＡＲＱリソースを占有していないＵＥが、復調参照信号ＤＭＲＳを送信することを基地局が発見した場合、ＵＥがアップリンクサブフレーム内のＨＡＲＱリソース以外のアップリンクリソースを占有していると決定すること、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することを基地局が発見した場合、ＵＥがアップリンクサブフレーム内のＨＡＲＱリソース以外のアップリンクリソースを占有していると決定すること、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することを基地局が発見した場合、ＵＥがアップリンクサブフレーム内のＨＡＲＱリソース以外のアップリンクリソースを占有していると決定すること
を含む。
【００１２】
この応用例において、ＵＥがアップリンクサブフレーム内のＨＡＲＱリソース以外のアップリンクリソースを占有しているということは、ＤＭＲＳを検出する方式、ＵＥがＰＵＳＣＨで送信するアップリンクサービス情報を検出する方式、ＵＥがＰＵＣＣＨで送信するアップリンク制御情報を検出する方式、または同様の方式で決定することが出来、これにより、アップリンクサブフレームを占有しているＵＥの決定の実現方式の多様性および効率を向上させることが出来る。したがって、ダウンリンク伝送に関するＣＷＳの決定における精度を向上させることが出来、調整されたＣＷＳが過度に大きいが故に基地局の待ち時間を増やしてしまう確率を下げることが出来る。
【００１３】
オプションで、ＨＡＲＱステータスをフィードバックするアップリンクサブフレーム内のＨＡＲＱリソースを占有していないＵＥがＰＵＣＣＨで送信し、基地局が検出するアップリンク制御情報は、スケジューリング要求ＳＲおよび／またはチャネル状態情報ＣＳＩを含む。
【００１４】
この応用例において、ＵＥがＰＵＣＣＨで送信するアップリンク制御情報を検出することは、ＳＲおよび／またはＣＳＩを検出すること、または同様のことを含んでよく、これにより、ＵＥがＰＵＣＣＨで送信するアップリンク制御情報を特定的に検出することが出来、アップリンクサブフレームを占有しているＵＥの決定の実現方式の多様性および効率を向上させることが出来る。したがって、ダウンリンク伝送に関するＣＷＳの決定における精度を向上させることが出来、調整されたＣＷＳが過度に大きいが故に基地局の待ち時間を増やしてしまう確率を下げることが出来る。
【００１５】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していないことを基地局が発見し、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定する段階を有し、
ＨＡＲＱリソースは、ＵＥがフィードバックするＨＡＲＱステータスを伝達する物理層リソースである。
【００１６】
この応用例において、参照サブフレームでスケジューリングされている１または複数のＵＥに含まれるＵＥが、ＨＡＲＱステータスをフィードバックするアンライセンスキャリア上のアップリンクサブフレーム内のＨＡＲＱリソースを占有していないことが検出され、かつ、アップリンクサブフレームに関するＣＣＡにおけるＣＷＳが第１の所定の閾値以下である、またはＣＷＳに基づき生成されるバックオフカウンタの初期値が第２の所定の閾値以下である場合、そのＵＥはアップリンクサブフレームを占有しているＵＥとして決定されてよい。ダウンリンク伝送に関するＣＣＡにおけるＣＷＳを決定する際、ＣＷＳは、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たさないＵＥのＨＡＲＱステータスは考慮されない一方で、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たすＵＥのＨＡＲＱステータスに基づき決定されてよく、これにより、ＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１７】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有しておらず、ＨＡＲＱリソース以外のアップリンクリソースを占有していないことを基地局が発見し、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定する段階を有する。
【００１８】
この応用例において、参照サブフレームでスケジューリングされている１または複数のＵＥに含まれるＵＥが、ＨＡＲＱステータスをフィードバックするアンライセンスキャリア上のアップリンクサブフレーム内のＨＡＲＱリソースを占有しておらず、ＨＡＲＱリソース以外のアップリンクリソースを占有していないことが検出され、かつ、アップリンクサブフレームに関するＣＣＡにおけるＣＷＳが第１の所定の閾値以下である、またはＣＷＳに基づき生成されるバックオフカウンタの初期値が第２の所定の閾値以下である場合、そのＵＥはアップリンクサブフレームを占有しているＵＥとして決定されてよい。ダウンリンク伝送に関するＣＣＡにおけるＣＷＳを決定する際、ＣＷＳは、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たさないＵＥのＨＡＲＱステータスは考慮されない一方で、ＨＡＲＱステータスをフィードバックするＨＡＲＱリソースを占有しておらずＨＡＲＱリソース以外のアップリンクリソースを占有しておらず、ＣＷＳまたはバックオフカウンタの初期値が上記条件を満たすＵＥのＨＡＲＱステータスに基づき決定されてよく、これにより、ＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１９】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、
参照サブフレームでスケジューリングされている少なくとも１つのＵＥが送信する報告情報を基地局が受信する段階であって、報告情報は、少なくとも１つのＵＥがアップリンクサブフレームを占有していることを示すのに用いられる、段階と、
少なくとも１つのＵＥがアップリンクサブフレームを占有していると基地局が決定する段階と
を有する。
【００２０】
オプションで、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを基地局が決定する段階は、アップリンクサブフレームを占有している少なくとも１つのＵＥのＨＡＲＱステータスに基づき、ダウンリンク伝送に関するＣＣＡにおけるＣＷＳを基地局が決定する段階であって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、段階を含んでよい。
【００２１】
この応用例において、ＵＥがアップリンクサブフレームを占有していることは、ＵＥが送信する報告情報に基づき決定されてよい。ダウンリンク伝送におけるＵＥのＣＷＳを決定する際、アップリンクサブフレームを占有している、送信された報告情報内で示されているＵＥのＨＡＲＱステータスのみが考慮され、アップリンクサブフレームを占有していないＵＥのＨＡＲＱステータスは考慮されず、これにより、ＵＥのＨＡＲＱステータスが誤って判断されたことからＣＷＳを誤って決定するケースを回避する。したがって、調整されたＣＷＳが過度に大きいが故に基地局の待ち時間を増やしてしまう確率を下げることが出来る。
【００２２】
第２の態様は、クリアチャネルアセスメントにおけるコンテンションウィンドウサイズを決定するための装置を提供する。同装置は、
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュールであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、第１決定モジュールと、
アップリンクサブフレームを占有している少なくとも１つのＵＥのＨＡＲＱステータスに基づきダウンリンク伝送に関するクリアチャネルアセスメントＣＣＡにおけるコンテンションウィンドウサイズＣＷＳを決定するよう構成されている第２決定モジュールと
を含んでよい。
【００２３】
オプションで、第１決定モジュールは具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２４】
オプションで、第１決定モジュールは具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２５】
オプションで、第１決定モジュールは具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【００２６】
オプションで、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【００２７】
オプションで、第１決定モジュールは具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２８】
オプションで、第１決定モジュールは具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されている。
【００２９】
オプションで、第１決定モジュールは具体的に
参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【００３０】
オプションで、第２決定モジュールは具体的に、アップリンクサブフレームを占有している少なくとも１つのＵＥのＨＡＲＱステータスに基づき、ダウンリンク伝送に関するＣＣＡにおけるＣＷＳを決定することであって、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、決定すること
を実行するよう構成されている。
【００３１】
第３の態様は、基地局を提供する。
同基地局は、
メモリと、
プロセッサと
を備えてよく、
メモリはプロセッサに接続されており、
メモリはプログラムコードセットを格納するよう構成されており、
プロセッサは、メモリに格納されたプログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、オペレーションと、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている。
【００３２】
オプションで、プロセッサは具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３３】
オプションで、プロセッサは具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３４】
オプションで、プロセッサは具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【００３５】
オプションで、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【００３６】
オプションで、プロセッサは具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３７】
オプションで、
プロセッサは具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されている。
【００３８】
オプションで、プロセッサは具体的に
基地局により参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【図面の簡単な説明】
【００３９】
本願発明の実施形態における技術的解決方法をより明確に説明することを目的として、以下では、実施形態を説明するために必要な添付の図面を簡単に説明する。以下の説明における添付の図面は、本願発明の一部の実施形態を示すものに過ぎず、当業者であれば、これら添付の図面から創造的努力なく他の図面をさらに導き出し得ることは明らかである。
【００４０】
【図１】ＬＡＡダウンリンク伝送におけるＬＢＴの模式図である。
【００４１】
【図２】ＬＡＡダウンリンク伝送におけるＵＥのＣＷＳを調整する方式の模式図である。
【００４２】
【図３】本願発明の実施形態に係る、クリアチャネルアセスメントにおけるコンテンションウィンドウサイズを決定するための方法の概略的なフローチャートである。
【００４３】
【図４】本願発明の実施形態に係る、クリアチャネルアセスメントにおけるコンテンションウィンドウサイズを決定するための装置の概略構造図である。
【００４４】
【図５】本願発明の実施形態に係る基地局の概略構造図である。
【発明を実施するための形態】
【００４５】
以下、本願発明の実施形態における添付の図面を参照して、本願発明の実施形態における技術的解決方法を明確かつ完全に説明する。説明されている実施形態は、本願発明の実施形態の全てではなく一部に過ぎないことは明らかである。当業者により、本願発明の実施形態に基づいて創造的努力なく得られる全ての他の実施形態が、本願発明の保護範囲に属するものとする。
【００４６】
図１を参照すると、図１は、ＬＡＡダウンリンク伝送におけるＬＢＴの模式図である。図１に示されているように、ＬＡＡダウンリンク伝送におけるＬＢＴの具体的な手順は、無線通信デバイスが、バックオフカウンタＮ（Ｎは０からＣＷＳの間で均等に分布している乱数）を生成することと、ＣＣＡタイムスロット（ＣＣＡタイムスロットは、チャネルセンスの時間単位であり、ＣＣＡタイムスロットの典型的な長さは９μｓである）を粒度として用いてチャネルセンスを実施することとを含む。チャネルがアイドル状態であることがＣＣＡタイムスロットにおいて検出された場合、バックオフカウンタが１だけ減じられる。またはチャネルがビジー状態であることがＣＣＡタイムスロットにおいて検出された場合、バックオフカウンタは停止され、つまり、バックオフカウンタは変わらないままである。バックオフカウンタが０まで減った場合、無線通信デバイスはチャネルを占有してよい。各回のＣＣＡにおけるＣＷＳは、ＵＥのＨＡＲＱステータスに基づき決定されてよい。ロングタームエボリューション（Ｌｏｎｇ  Ｔｅｒｍ  Ｅｖｏｌｕｔｉｏｎ，ＬＴＥ）システムにおいて、ＵＥのＨＡＲＱステータスは、ＵＥがダウンリンクサブフレームを正しく受信したかを示すフィードバックである。ＵＥのＨＡＲＱステータスは、ＡＣＫ状態、ＮＡＣＫ状態、ＤＴＸ状態、および同様のものを含んでよい。ＵＥのＨＡＲＱステータスのうちＮＡＣＫ状態が占める比率に基づき、基地局が、ＣＣＡにおけるＣＷＳを決定してよい。
【００４７】
基地局は、ＣＷＳの初期値を、ＣＷＳ値のセットの最小値として決定することに留意されたい。ダウンリンク伝送に関するＣＣＡを実施する前に、基地局は、参照サブフレームについての受信したＨＡＲＱステータスに基づきＣＷＳを調整する。具体的な調整方式は以下のようなものであってよい。つまり、参照サブフレームでスケジューリングされているＵＥに対応するＨＡＲＱステータスのうち所与の比率（例えば８０％）より多くがＮＡＣＫ状態であることを基地局が発見した場合、基地局はＣＷＳを大きくし、そうでない場合、基地局はＣＷＳを小さくする。基地局は、現在のＣＷＳ値に基づき、ＣＷＳ値のセットに含まれる次に大きなＣＷＳまでＣＷＳを大きくし、または基地局は、現在のＣＷＳ値に基づき、ＣＷＳ値のセットに含まれる最小値までＣＷＳを小さくする。図２に示されているように、図２は、ＬＡＡダウンリンク伝送におけるＵＥのＣＷＳを調整する方式の模式図である。図２に示されているように、ＵＥのＣＷＳの初期値が１５に設定されているものと仮定されている。基地局がＵＥ１、ＵＥ２、ＵＥ３、およびＵＥ４の４つのＵＥを参照サブフレームでスケジューリングし、ＵＥ１、ＵＥ２、ＵＥ３、およびＵＥ４に対応する全てのＨＡＲＱステータスがＮＡＣＫ状態である場合、基地局により参照サブフレームでスケジューリングされている４つのＵＥに対応するＨＡＲＱステータスのうちＮＡＣＫ状態の比率は１００％であり、８０％より高い。したがって、基地局はＵＥのＣＷＳを大きくし、ＵＥのＣＷＳは３１まで大きくされる。それから、次回のダウンリンク伝送において、基地局は、ＵＥ１、ＵＥ３、およびＵＥ５の３つのＵＥを参照サブフレームでスケジューリングする。ＵＥ１に対応するＨＡＲＱステータスはＮＡＣＫ状態であり、ＵＥ３およびＵＥ５に対応するＨＡＲＱステータスはＡＣＫ状態である。この場合、基地局により参照サブフレームでスケジューリングされている３つのＵＥに対応するＨＡＲＱステータスのうちＮＡＣＫ状態の比率は３３．３％であり、８０％未満である。したがって、基地局はＵＥのＣＷＳを小さくし、ＵＥのＣＷＳは１５まで小さくされる。参照サブフレームは、ダウンリンク伝送における基地局の開始サブフレームであり、基地局は、参照サブフレームについてＵＥがフィードバックするＨＡＲＱステータスを取得してよい。基地局と他の周辺の競合ノードとが、例えば基地局とＷｉ‐Ｆｉとが、ダウンリンク伝送における比較的低いチャネルリンク品質が故に同時にチャネルにアクセスした場合であり、ＵＥがフィードバックして基地局が受信するＨＡＲＱステータスが複数のＮＡＣＫ状態を含む場合、平均待ち時間を長引かせるようＣＷＳが大きくされ、これにより、衝突を減らし、干渉を減らし、チャネルリンク品質を向上させるよう、その基地局と周辺の競合ノードとがそれぞれチャネルにアクセスする時点が次回の伝送においては上手く互い違いにされる。
【００４８】
ＬＴＥシステムにおいて、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）上の参照サブフレームに関して（ＵＥ１であるものとして仮定されている）ＵＥを基地局がスケジューリングする場合、つまり、基地局がダウンリンクグラント（Ｄｏｗｎｌｉｎｋ  ｇｒａｎｔ，ＤＬ  ｇｒａｎｔ）をＵＥ１へ送信する場合、ダウンリンクチャネル品質が比較的低いが故にＵＥ１はＰＤＣＣＨを検出せず、ＵＥ１は参照サブフレームでスケジューリングされていないものとして見なされる。したがって、ＵＥ１は、参照サブフレームについてＨＡＲＱステータスのフィードバック情報を送信せず、基地局は対応するＨＡＲＱリソース上で有効な情報を何ら発見せず、ＵＥ１のＨＡＲＱステータスをＤＴＸ状態と決定してよい。基地局が検出するＵＥのＨＡＲＱステータスがＤＴＸ状態である状況が、ダウンリンクチャネル品質が比較的低いが故に起こる場合、このことが示しているのは、基地局とＷｉ‐Ｆｉ等の他の干渉源ノードとが同時にセンスを完了し、互いに衝突し得るということであり、および次回の伝送における衝突確率を下げるべくＣＷＳを大きくする必要がある。しかしながら、基地局が検出するＵＥのＨＡＲＱステータスがＤＴＸ状態である状況は、ダウンリンクチャネル品質が比較的低いことのみに起因してではなく、他の要因にも起因して起こる。したがって、基地局と他の干渉源ノードとが同時にセンスを完了し、互いに衝突すると直接的に判断され、ＣＷＳが大きくされた場合、ＣＷＳを誤って調整する確率が高まる。
【００４９】
さらに、アンライセンススペクトルで、任意の送信ノードは、基地局へ情報を送信する前にＬＢＴを実施する必要がある。ＬＢＴが成功した場合、送信ノードはチャネルにアクセス出来る。またはＬＢＴに失敗した場合、つまり、チャネルがビジー状態である、またはバックオフカウンタの値が０まで減ってないことがスケジューリングされているアップリンク伝送の前にセンスされた場合、送信ノードはチャネルにアクセス出来ない。したがって、ＵＥが、アップリンクサブフレーム内で参照サブフレームについてＨＡＲＱステータスをフィードバックする必要があったとしても、そのＵＥは、アップリンクサブフレームに関してアップリンク伝送においてＬＢＴの実施に失敗し、チャネルのプリエンプトに失敗した場合、アップリンクサブフレーム内でＨＡＲＱステータスのフィードバック情報を送信出来ない。ＵＥによるＬＢＴの実施が失敗した場合、そのＵＥは、アップリンクリソース内のＨＡＲＱリソースを占有しない。したがって、基地局から見て、ＵＥのＨＡＲＱステータスはＤＴＸ状態であると判断される。先述の実現方式が適用された場合であり、ＵＥのＨＡＲＱステータスがＤＴＸ状態である場合、ＵＥのＨＡＲＱステータスはＮＡＣＫ状態であると示される。その結果、チャネルリンク品質は低いものと誤って判断される。この場合、ＨＡＲＱステータスセットのうちＮＡＣＫ状態が占める比率に基づきＣＷＳが調整された場合、ＣＷＳは比較的大きくなり、結果的に、基地局の待ち時間は比較的長くなる。ＨＡＲＱステータスセットに含まれるＨＡＲＱステータスはＡＣＫ状態とＮＡＣＫ状態とを含み、ＨＡＲＱステータスセットは、ＵＥのＣＷＳを決定するのに用いられる。
【００５０】
結論として分かるのは、ＵＥがアンライセンススペクトルでＨＡＲＱステータスをフィードバックする場合、基地局は、ＵＥによるＬＢＴの実施の失敗と、ＵＥによるＰＤＣＣＨの検出の失敗とのうちどちらが原因でＵＥのＨＡＲＱステータスがＤＴＸ状態である状況が起こっているのかを判断出来ず、ＵＥのＨＡＲＱステータスがＤＴＸ状態である状況が実際にはＵＥによるＰＤＣＣＨの検出の失敗から起こっているにも関わらず、ＵＥによるＬＢＴの実施の失敗から起こっていると誤って判断してしまう、ということである。したがって、ＵＥのＣＷＳを決定する際、基地局はＵＥのＨＡＲＱステータスをＮＡＣＫ状態と示す。その結果、調整されたＣＷＳは比較的大きくなる。
【００５１】
本願発明の実施形態は、ＣＣＡにおけるＣＷＳを決定するための方法および装置を提供する。したがって、ＵＥがアンライセンススペクトルでＨＡＲＱステータスをフィードバックする場合、基地局は、ＵＥのＨＡＲＱステータスがＤＴＸ状態である状況がＵＥによるＬＢＴの実施の失敗から起こっているケースと、ＵＥのＨＡＲＱステータスがＤＴＸ状態である状況がＵＥによるＰＤＣＣＨの検出の失敗から起こっているケースとを区別出来る。基地局は、ＣＣＡにおけるＣＷＳを決定する際、ＵＥのＨＡＲＱステータスがＤＴＸ状態である状況がＵＥによるＰＤＣＣＨの検出の失敗から起こっているケースのみを考慮する。基地局は、ＣＣＡにおけるＣＷＳを決定する際、ＵＥによるＬＢＴの実施が失敗した場合、ＵＥのＨＡＲＱステータスのＤＴＸ状態をＮＡＣＫ状態と間違えず、これにより、ＣＣＡにおけるＣＷＳの決定における精度が向上する。
【００５２】
具体的に実現する際、本願発明の実施形態で提供されるＣＣＡにおけるＣＷＳを決定するための方法および装置は、アンライセンススペクトルで動作している無線通信システムに適用可能である。無線通信システムにおける基地局は、アンライセンススペクトルでダウンリンク情報を送信し、ダウンリンク情報に関してアンライセンススペクトルでＵＥが送信するＨＡＲＱステータスのフィードバック情報を受信してよい。基地局が送信するダウンリンク情報を搬送するアンライセンスキャリアと、ＵＥが送信するＨＡＲＱステータスのフィードバック情報を搬送するアンライセンスキャリアとは同じキャリアであってよく、または異なるキャリアであってよい。つまり、基地局がアンライセンスキャリアＡでダウンリンク情報を送信する場合、ＵＥは、アンライセンスキャリアＡのダウンリンク情報に関して、アンライセンスキャリアＡでＵＥのＨＡＲＱステータスをフィードバックしてよく、またはアンライセンスキャリアＡのダウンリンク情報に関して、アンライセンスキャリアＢでＵＥのＨＡＲＱステータスをフィードバックしてよい。このことに関しては本明細書において限定されない。アンライセンスキャリアＡが二次キャリアである場合、アンライセンスキャリアＢが一次キャリアであってよく、またはアンライセンスキャリアＡとは異なる二次キャリアであってよい。このことに関しては本明細書において限定されない。
【００５３】
具体的に実現する際、本願発明の実施形態で説明されている基地局は、マクロ基地局、マイクロセル、ピコセル、ホームｅＮｏｄｅＢ、リモート無線周波数ヘッド、中継器、または同様のものを含んでよい。このことに関しては本明細書において限定されない。本願発明の実施形態で説明されているＵＥは、携帯電話、ＬＴＥシステムにアクセス出来るノートブック型コンピュータ若しくはタブレット型コンピュータ、または同様のものを含んでよい。このことに関しては本明細書において限定されない。図３から図５を参照し、以下において、本願発明の実施形態で提供されるＣＣＡにおけるＣＷＳを決定するための方法および装置を詳細に説明する。
【００５４】
図３を参照すると、図３は、本願発明の実施形態に係る、ＣＣＡにおけるＣＷＳを決定するための方法の概略的なフローチャートである。本願発明の本実施形態で提供される方法は以下の段階を含む。
【００５５】
Ｓ１０１．参照サブフレームでスケジューリングされている少なくとも１つのＵＥのうち、アンライセンスキャリア上のアップリンクサブフレームを占有している少なくとも１つのＵＥを基地局が決定する。
【００５６】
Ｓ１０２．アップリンクサブフレームを占有している少なくとも１つのＵＥのＨＡＲＱステータスに基づき、ダウンリンク伝送に関するＣＣＡにおけるＣＷＳを基地局が決定する。
【００５７】
基地局は、アップリンクサブフレームを占有している少なくとも１つのＵＥのＨＡＲＱステータスに基づき、ダウンリンク伝送に関するＣＣＡにおけるＣＷＳを決定し、つまり、ダウンリンク伝送に関するＣＣＡにおけるＣＷＳを基地局が決定する際、基地局は、アップリンクサブフレームを占有していないＵＥに対応するＨＡＲＱステータスを無視することに留意されたい。
【００５８】
したがって、段階Ｓ１０２は、アップリンクサブフレームを占有している少なくとも１つのＵＥのＨＡＲＱステータスに基づき、ダウンリンク伝送に関するＣＣＡにおけるＣＷＳを基地局が決定する段階であって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、段階、またはアップリンクサブフレームを占有している少なくとも１つのＵＥのＨＡＲＱステータスに基づき、ダウンリンク伝送に関するＣＣＡにおけるＣＷＳを基地局が決定し、ダウンリンク伝送に関するＣＣＡにおけるＣＷＳを決定する際、アンライセンスキャリア上のアップリンクサブフレームを占有しておらず、基地局により参照サブフレームでスケジューリングされているＵＥのＨＡＲＱステータスは無視する段階を含む。
【００５９】
基地局は、ＨＡＲＱステータスに基づき、ダウンリンクサブフレームでスケジューリングされているＵＥがダウンリンクサブフレームを正しく受信したかを決定する。ＵＥは、ＨＡＲＱステータスフィードバックを用い、ＵＥがダウンリンクサブフレームを正しく受信したか基地局に報告する。基地局が検出するＨＡＲＱステータスは、ＡＣＫ状態、ＮＡＣＫ状態、およびＤＴＸ状態等の３つの状態を含む。ＡＣＫ状態は、ＵＥがダウンリンクサブフレームを正しく受信したことを示すフィードバックである。ＮＡＣＫ状態は、ＵＥがダウンリンクサブフレームを誤って受信したことを示すフィードバックである。ＵＥが送信するＨＡＲＱステータスフィードバックを対応するＨＡＲＱリソースで基地局が何ら発見しない場合、ＨＡＲＱステータスはＤＴＸ状態である。
【００６０】
ＬＴＥシステムにおいて、各ダウンリンクサブフレームと、そのダウンリンクサブフレームが正しく受信されたかを示すＨＡＲＱステータスをフィードバックすべくＵＥが占有するアップリンクサブフレームとの間には一定の時間がある。例えば、周波数分割複信（Ｆｒｅｑｕｅｎｃｙ  Ｄｉｖｉｓｉｏｎ  Ｄｕｐｌｅｘｉｎｇ，ＦＤＤ）モードにおいて、（ｎ番目のサブフレームであるものと仮定する）各ダウンリンクサブフレームに対応するＨＡＲＱステータスは、アップリンクサブフレーム（（ｎ＋４）番目のサブフレーム）でフィードバックされる。
【００６１】
基地局は、参照サブフレームで少なくとも１つのＵＥをスケジューリングしてよく、言い換えると、基地局は、参照サブフレームで１または複数のＵＥをスケジューリングしてよい。本願発明の本実施形態において、基地局は、参照サブフレームでスケジューリングされている１または複数のＵＥのうち、アンライセンススペクトル上のアップリンクサブフレームを占有している１または複数のＵＥ（言い換えると、少なくとも１つのＵＥ）を最初に決定してよい。基地局が参照サブフレームで少なくとも１つのＵＥをスケジューリングするとは、基地局が、参照サブフレーム内のダウンリンクリソースをそれら少なくとも１つのＵＥに割り当てることを意味する。アップリンクサブフレームは、基地局により参照サブフレームでスケジューリングされているＵＥ（ＵＥは１または複数存在し得、それら１または複数のＵＥのうち１つを、以下では説明のための例として用い、それはＵＥ１であるものと仮定する）が参照サブフレームについてＨＡＲＱステータスをフィードバックするのに用いるアップリンクサブフレームである。アンライセンススペクトル上にあり、少なくとも１つのＵＥが占有するアップリンクサブフレームは１または複数存在し得、つまり、少なくとも１つのＵＥは、同じアップリンクサブフレーム内で参照サブフレームについてＨＡＲＱステータスをフィードバックしてよく、または異なるアップリンクサブフレーム内で参照サブフレームについてＨＡＲＱステータスをフィードバックしてよいことに留意されたい。しかしながら、各ＵＥは、１つのアップリンクサブフレーム内でのみＨＡＲＱステータスをフィードバックし、アンライセンスキャリア上のアップリンクサブフレームを占有している少なくとも１つのＵＥに含まれる各ＵＥは、そのＵＥに対応するアップリンクサブフレームを占有している。ＵＥが、アップリンクサブフレーム内で参照サブフレームについてＨＡＲＱステータスをフィードバックするとは、ＵＥが、参照サブフレームについてのみＨＡＲＱステータスをフィードバックすること、および、ＵＥが、参照サブフレームを含む複数のダウンリンクサブフレームについてフィードバックを実施することを含む。ＵＥが、アップリンクサブフレーム内で複数のダウンリンクサブフレームについて複数のＨＡＲＱステータスをフィードバックする場合、基地局はＣＷＳを決定する際、そのＵＥの、参照サブフレームに対応するＨＡＲＱステータスのみ選択する。
【００６２】
基地局は、アップリンクサブフレームを占有している少なくとも１つのＵＥのＨＡＲＱステータスに基づき、ダウンリンク伝送に関するＣＣＡにおけるＣＷＳを決定することに留意されたい。参照サブフレームでスケジューリングされている少なくとも１つのＵＥに含まれる各ＵＥは、アンライセンスキャリアでフィードバックを実施してよく、または一部のＵＥがアンライセンスキャリアでフィードバックを実施し、一部のＵＥがライセンスキャリアでフィードバックを実施する。アップリンクサブフレームを占有している少なくとも１つのＵＥのＨＡＲＱステータスに基づき、基地局が、ダウンリンク伝送に関するＣＣＡにおけるＣＷＳを決定する際、参照サブフレームでスケジューリングされているＵＥに含まれる各ＵＥがアンライセンスキャリアでフィードバックを実施する場合、基地局は、参照サブフレームに対応するアップリンクサブフレームを占有しているＵＥのＨＡＲＱステータスに基づきＣＷＳを決定し、または参照サブフレームでスケジューリングされているＵＥに含まれる一部のＵＥがアンライセンスキャリアでフィードバックを実施し、一部のＵＥがライセンスキャリアでフィードバックを実施する場合、基地局は、アンライセンスキャリア上のアップリンクサブフレームを占有しているＵＥの、アンライセンスキャリアでフィードバックされるＨＡＲＱステータスと、ＵＥの、ライセンスキャリアでフィードバックされるＨＡＲＱステータスとに基づきＣＷＳを決定する。
【００６３】
一部の可能な実施方式において、参照サブフレームでスケジューリングされているＵＥが、ＨＡＲＱステータスをフィードバックするのに用いるアップリンクサブフレーム内のＨＡＲＱリソースを占有していることを基地局が発見した場合、基地局は、ＨＡＲＱステータスをフィードバックするのに用いるアップリンクサブフレーム内のＨＡＲＱリソースを占有しているＵＥがアップリンクサブフレームを占有しているものと決定する。各ＵＥは、参照サブフレームについて、または当該参照サブフレームを含む複数のダウンリンクサブフレームについてＨＡＲＱステータスをフィードバックしてよい。アップリンクサブフレームは、１つのＵＥが参照サブフレームについて、または当該参照サブフレームを含む複数のダウンリンクサブフレームについてＨＡＲＱステータスをフィードバックするのに用いるアップリンクサブフレームを含み、または複数のＵＥが参照サブフレームについて、または当該参照サブフレームを含む複数のダウンリンクサブフレームについてＨＡＲＱステータスをフィードバックするのに用いるアップリンクサブフレームを含み、言い換えると、複数のＵＥは同じアップリンクサブフレームを占有している。
【００６４】
一部の可能な実施方式において、基地局は、ＨＡＲＱステータスをフィードバックするのに用いるアップリンクサブフレーム内のＨＡＲＱリソースを占有しているＵＥのＨＡＲＱステータスのみに基づきダウンリンク伝送に関するＣＣＡにおけるＣＷＳを決定することに留意されたい。つまり、基地局は、全てのＵＥのＨＡＲＱステータスのうち、ＨＡＲＱステータスをフィードバックするのに用いるアップリンクサブフレーム内のＨＡＲＱリソースを占有していないＵＥのＨＡＲＱステータスは無視する。ＨＡＲＱリソースは、アップリンクサブフレーム内の物理層リソースであり、少なくとも１つのダウンリンクサブフレームについてＵＥがフィードバックする正しい受信を示す状態または誤った受信を示す状態を伝達するのに用いられる物理層リソースである。ＨＡＲＱリソースは具体的に、ＰＵＣＣＨで搬送されてよく、またはＰＵＳＣＨで搬送されてよい。物理層リソースは、時間周波数領域のリソース、時間周波数のリソース、並びに符号領域リソース、または同様のものを含む。このことに関しては本明細書において限定されない。ＰＵＳＣＨで搬送されるＨＡＲＱリソースは、時間周波数領域のリソースとして表され、ＰＵＣＣＨで搬送されるＨＡＲＱリソースは時間周波数領域のリソースまたは符号領域リソースとして表される。
【００６５】
ＵＥがアップリンクサブフレーム内のＨＡＲＱリソースを占有しているとは、ＵＥが対応するＨＡＲＱリソースでＨＡＲＱステータスフィードバックを送信すること、またはＵＥが対応するＨＡＲＱリソースでＨＡＲＱステータスをフィードバックしないことを含むことに留意されたい。ＨＡＲＱステータスフィードバックは、参照サブフレームが正しく受信されたかを示すＵＥの応答である。ＵＥが対応するＨＡＲＱリソースでＨＡＲＱステータスフィードバックを送信するとは、ＵＥが、アップリンクサブフレーム内のＨＡＲＱリソースで参照サブフレームについてＨＡＲＱステータスをフィードバックすること、またはＵＥが、アップリンクサブフレーム内のＨＡＲＱリソースで参照サブフレームを含む複数のダウンリンクサブフレームについてＨＡＲＱステータスをフィードバックすることを含む。フィードバックがアップリンクサブフレーム内の参照サブフレームについてのみ実施される場合、ＨＡＲＱステータスはＡＣＫ状態またはＮＡＣＫ状態を含む。フィードバックがアップリンクサブフレーム内の参照サブフレームを含む複数のダウンリンクサブフレームについて実施される場合、ＨＡＲＱステータスは、マルチビットの、または共に符号化された（ｊｏｉｎｔｌｙ−ｃｏｄｅｄ）ＡＣＫ，ＮＡＣＫ，またはＤＴＸ情報を含む。ＵＥがＨＡＲＱリソースを占有しているがＨＡＲＱステータスをフィードバックしない場合、基地局は依然としてＨＡＲＱステータスのフィードバック情報を何ら発見しない。例えばＨＡＲＱリソースがＰＵＳＣＨで搬送される場合、ＵＥは一部のＰＵＳＣＨリソースに対してパンクチャリングを実施する必要があり、つまり、ＰＵＳＣＨに対応するアップリンクリソース内の一部のリソース要素（Ｒｅｓｏｕｒｃｅ  Ｅｌｅｍｅｎｔ，ＲＥ）が、ＨＡＲＱフィードバック情報を伝達するＨＡＲＱリソースとして用いられる。しかしながら、ＵＥがＰＤＣＣＨを検出せず、ＰＵＳＣＨ上のＨＡＲＱに対応するリソースに対してパンクチャリングを実施せず、それでもデータ情報を送信する可能性がある。この場合、基地局はそれでも、ＨＡＲＱリソース上のＨＡＲＱステータスについて検出を実施し、何ら有効な情報を取得せず、したがって、ＵＥがアップリンクサブフレームを占有しているのかを判断出来ない。基地局は単に、ＨＡＲＱステータスをフィードバックするのに用いるアップリンクサブフレーム内のＨＡＲＱリソースを占有しているＵＥがアップリンクサブフレームを占有していると決定する。
【００６６】
参照サブフレームでスケジューリングされているＵＥが、ＨＡＲＱステータスをフィードバックするのに用いるアップリンクサブフレーム内のＨＡＲＱリソースを占有していることを基地局が発見した場合、基地局は、ＵＥがＨＡＲＱステータスの有効なフィードバック情報を送信するものと決定しさえすればよく、具体的なＡＣＫ／ＮＡＣＫ／ＤＴＸ状態を取得する必要はないことに留意されたい。例えば参照サブフレームについてのものであり、アップリンクサブフレーム内のＨＡＲＱリソースでＵＥがフィードバックするＨＡＲＱステータスはＡＣＫ／ＮＡＣＫ状態であり、基地局は、ＵＥがアップリンクサブフレームを占有していることを決定する際、ＨＡＲＱステータスが具体的にＡＣＫ状態か、ＮＡＣＫ状態かを最初に決定しなくてよい。代替的に、時分割複信（Ｔｉｍｅ  Ｄｉｖｉｓｉｏｎ  Ｄｕｐｌｅｘｉｎｇ，ＴＤＤ）モードにおいて、ＵＥは、１より多くのダウンリンクサブフレームについて１つのアップリンクサブフレーム内のＨＡＲＱリソースでＡＣＫ／ＮＡＣＫ／ＤＴＸ等のマルチビットの、または共に符号化されたＨＡＲＱステータス情報をフィードバックし、基地局は単に、ＵＥがその情報を送信したことを知りさえすればよく、上記３つの状態のうち参照サブフレームがどの状態にあるのかを事前に決定する必要はない。基地局は、ＣＷＳを決定する際、具体的なＨＡＲＱステータスフィードバックを参照してＨＡＲＱステータスセットを決定する必要がある。本願発明の本実施形態において、ＵＥがＨＡＲＱステータスをフィードバックするのに用いるアップリンクサブフレーム内のＨＡＲＱリソースを占有していることを基地局が発見し、かつ、復調を介してＡＣＫ／ＮＡＣＫ等の有効なＨＡＲＱステータスを基地局が取得した場合、復調を介して取得され得るそのＡＣＫ状態またはＮＡＣＫ状態は、参照サブフレーム内のＨＡＲＱステータスセットに追加されてよい。ＨＡＲＱステータスセットは、参照サブフレームについて取得出来る、ＣＷＳを決定するために基地局により集められる全てのＨＡＲＱステータスを含む。ＵＥがＨＡＲＱステータスをフィードバックするのに用いるアップリンクサブフレーム内のＨＡＲＱリソースを占有していることを基地局が発見し、かつ、復調を介してＡＣＫ／ＮＡＣＫ／ＤＴＸ等の有効なマルチビットの、または共に符号化されたＨＡＲＱステータスを基地局が取得した場合、復調を介して取得され得るそのＡＣＫ状態またはＮＡＣＫ状態は、参照サブフレーム内のＨＡＲＱステータスセットに追加されてよく、または参照サブフレームに対応する検出されたＨＡＲＱステータスがＤＴＸ状態である場合、ＣＷＳを決定する際、ＨＡＲＱステータスはＮＡＣＫ状態であると示され、ＨＡＲＱステータスセットに追加される。
【００６７】
ＨＡＲＱステータスをフィードバックするのに用いるアップリンクサブフレーム内のＨＡＲＱリソースをＵＥは占有しておらず、このことは、ＵＥがＬＢＴの実施に失敗したから、またはＵＥがＰＤＣＣＨの検出に失敗したからであり得る。ＵＥによるＰＤＣＣＨの検出が失敗した場合、ＵＥは、そのＵＥに対応するアップリンクサブフレーム内のＨＡＲＱリソースで情報を送信しない。例えばＵＥが参照サブフレームでＰＤＣＣＨを検出しない場合、ＵＥは、参照サブフレームに対応するアップリンクサブフレーム内のＨＡＲＱリソースで情報を送信しない。代替的に、ＵＥが、１つのアップリンクサブフレーム内で１より多くのダウンリンクサブフレームについてＨＡＲＱステータスをフィードバックする必要があり、ＵＥが、参照サブフレームを含む複数のダウンリンクサブフレームのうち各ダウンリンクサブフレーム内でＰＤＣＣＨを検出しない場合、ＵＥは、参照サブフレームを含む複数のダウンリンクサブフレームに対応するアップリンクサブフレーム内のＨＡＲＱリソースでＨＡＲＱ情報を送信しない。つまり、ＵＥがアップリンクサブフレーム内のＨＡＲＱリソースを占有していない場合、基地局は、ＨＡＲＱリソースに何ら有効な情報がないことを発見し、または基地局は、復調を介してＡＣＫ／ＮＡＣＫ等の有効なＨＡＲＱステータスを取得出来ず（この場合、基地局は、ＵＥのＨＡＲＱステータスをＤＴＸ状態と判断する）、または基地局は、復調を介してＡＣＫ／ＮＡＣＫ／ＤＴＸ等の有効なマルチビットの、または共に符号化されたＨＡＲＱステータスを取得出来ない。
【００６８】
ＨＡＲＱステータスをフィードバックするのに用いるアップリンクサブフレーム内のＨＡＲＱリソースをＵＥが占有していないということは、ＵＥによるＬＢＴの実施の失敗から起こり得、またはＵＥによるＰＤＣＣＨの検出の失敗から起こり得る。従来技術での実現方式に基づけば、基地局は、ＨＡＲＱステータスをフィードバックするのに用いるアップリンクサブフレーム内のＨＡＲＱリソースをＵＥが占有していないということは、ＵＥによるＰＤＣＣＨの検出の失敗から起こっていると判断し、ＵＥのＨＡＲＱステータスをＤＴＸ状態と判断し、ＤＴＸ状態をＮＡＣＫ状態と示し、ＨＡＲＱステータスをＨＡＲＱステータスセットに追加する。この場合、ＨＡＲＱステータスをフィードバックするのに用いるアップリンクサブフレーム内のＨＡＲＱリソースをＵＥが占有していないのは、ＵＥによるＬＢＴの実施の失敗から起こっている場合、従来技術での実現方式に基づけば、チャネルリンク品質は誤って低いものと反映される。
【００６９】
一部の可能な実施方式において、ＨＡＲＱステータスをフィードバックするのに用いるアップリンクサブフレーム内のＨＡＲＱリソースをＵＥが占有していない場合、本願発明の本実施形態における基地局は、ＵＥのＨＡＲＱステータスを、ＬＢＴの失敗から起こっているＤＴＸ状態と判断してよく、ＵＥのＤＴＸ状態を無視し、ＵＥのＤＴＸ状態を参照サブフレーム内のＨＡＲＱステータスセットに追加しない。ＬＡＡがよく適用されるセルが小さい環境において、小さいセルは密に構成されていることから、ＵＥが、アンライセンススペクトル上のチャネルをプリエンプト出来ない（つまり、ＵＥによるＬＢＴの実施が失敗する）確率が、ＰＤＣＣＨの検出の失敗の確率よりはるかに高い。したがって、基地局は、ＤＴＸ状態はＬＢＴの失敗から起こっていると判断し、ＤＴＸ状態を無視し、これにより、ＣＷＳに対して実際のリンク品質の影響をより近似的に反映する。ＤＴＸ状態のアップリンクサブフレームは実際には、ＵＥがＰＤＣＣＨを検出していないことから起こっているかもしれないが、ＤＴＸ状態が無視される方法を標準とする影響は比較的小さく、基地局に対する検出の複雑性の要件は比較的低い。
【００７０】
一部の可能な実施方式において、参照サブフレームでスケジューリングされているＵＥがＨＡＲＱステータスをフィードバックするのに用いるアップリンクサブフレーム内のＨＡＲＱリソースを占有していないことを基地局が発見した場合、基地局は直接的に、ＵＥのＨＡＲＱステータスを、ＬＢＴの失敗から起こっているＤＴＸ状態と判断してよく、ＵＥのＨＡＲＱステータスを無視してよく、ＵＥのＨＡＲＱステータスをＨＡＲＱステータスセットに追加しなくてよい。加えて、参照サブフレームでスケジューリングされているＵＥがＨＡＲＱステータスをフィードバックするのに用いるアップリンクサブフレーム内のＨＡＲＱリソースを占有していないことを検出した場合、基地局はさらに、ＨＡＲＱステータスをフィードバックするのに用いるアップリンクサブフレーム内のＨＡＲＱリソースをＵＥが占有していないのは、ＬＢＴの失敗から起こっているのかを判断してよく、つまり、基地局はさらに、ＵＥがアンライセンスキャリア上のアップリンクサブフレームを占有しているのかを判断してよい。具体的に実現する際、参照サブフレームでスケジューリングされている複数のＵＥのうち１または複数のＵＥ（１または複数のＵＥのうち１つのＵＥを以下では説明のための例として用い、それはＵＥ１であるものと仮定する）がＨＡＲＱステータスをフィードバックするのに用いるアップリンクサブフレーム内のＨＡＲＱリソースを占有していないことを基地局が発見し、かつ、ＨＡＲＱステータスをフィードバックするのに用いるアップリンクサブフレーム内のＨＡＲＱリソースを占有していないＵＥ１がアップリンクサブフレーム内のＨＡＲＱリソース以外のアップリンクリソースを占有していることを基地局が発見した場合、基地局は、アップリンクサブフレーム内のＨＡＲＱリソース以外のアップリンクリソースを占有しているＵＥ１がアップリンクサブフレームを占有していると決定してよい。ＨＡＲＱステータスをフィードバックするのに用いるアップリンクサブフレーム内のＨＡＲＱリソースを占有していないＵＥ１がアップリンクサブフレーム内のＨＡＲＱリソース以外のアップリンクリソースを占有していると基地局が決定した場合、ＨＡＲＱリソースで何ら有効な情報が検出されないのはＵＥによるＬＢＴの実施の失敗から起こっているのではなく、ＵＥによるＰＤＣＣＨの検出の失敗から起こっていると決定することが出来る。この場合、基地局は、ＵＥのＨＡＲＱステータスをＤＴＸ状態と決定し、ＵＥのＨＡＲＱステータスをＮＡＣＫ状態と示し、ＨＡＲＱステータスをＨＡＲＱステータスセットに追加してよい。つまり、先述の状況において基地局は、ＵＥのＨＡＲＱステータスをＤＴＸ状態と決定し、ＣＷＳを決定する際、ＤＴＸ状態を無視しないが、ＵＥのＨＡＲＱステータスをＮＡＣＫ状態と示す。
【００７１】
ＨＡＲＱステータスを送信するアップリンクサブフレーム内のＨＡＲＱリソースを占有していないＵＥ（例えばＵＥ１であり、以下では説明のための例としてＵＥ１が用いられる）がアップリンクサブフレーム内のＨＡＲＱリソース以外のアップリンクリソースを占有していると基地局が発見する検出方式は、以下の３つの実現方式のうち任意の１または複数を含んでよいことに留意されたい。
実現方式１
【００７２】
ＨＡＲＱステータスをフィードバックするのに用いるアップリンクサブフレーム内のＨＡＲＱリソースを占有していないＵＥ１が復調参照信号（Ｄｅｍｏｄｕｌａｔｉｏｎ  Ｒｅｆｅｒｅｎｃｅ  Ｓｉｇｎａｌ，ＤＭＲＳ）を送信することを基地局が発見した場合、基地局は、ＵＥ１がアップリンクサブフレーム内のＨＡＲＱリソース以外のアップリンクリソースを占有していると決定する。
【００７３】
つまり、ＵＥ１がＨＡＲＱステータスをフィードバックするのに用いるアップリンクサブフレーム内のＨＡＲＱリソースを占有していないことを基地局が発見し、かつ、ＵＥ１が送信するＤＭＲＳ信号を基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定し、ＵＥのＣＷＳを決定する際、ＵＥのＨＡＲＱステータスをＮＡＣＫ状態と示し、ＨＡＲＱステータスをＨＡＲＱステータスセットに追加してよい。
実現方式２
【００７４】
ＨＡＲＱステータスをフィードバックするのに用いるアップリンクサブフレーム内のＨＡＲＱリソースを占有していないＵＥ１がＰＵＳＣＨでアップリンクサービス情報を送信することを基地局が発見した場合、基地局は、ＵＥ１はアップリンクサブフレーム内のＨＡＲＱリソース以外のアップリンクリソースを占有していると決定する。
【００７５】
つまり、ＵＥ１がＨＡＲＱステータスをフィードバックするのに用いるアップリンクサブフレーム内のＨＡＲＱリソースを占有していないことを基地局が発見し、かつ、ＵＥ１がＰＵＳＣＨでアップリンクサービス情報を送信することを基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定してよく、ＵＥのＣＷＳを決定する際、ＵＥのＨＡＲＱステータスをＮＡＣＫ状態と示し、ＨＡＲＱステータスをＨＡＲＱステータスセットに追加してよい。
実現方式３
【００７６】
ＨＡＲＱステータスをフィードバックするのに用いるアップリンクサブフレーム内のＨＡＲＱリソースを占有していないＵＥ１がＰＵＣＣＨでアップリンク制御情報を送信することを基地局が発見した場合、基地局は、ＵＥ１がアップリンクサブフレーム内のＨＡＲＱリソース以外のアップリンクリソースを占有していると決定する。
【００７７】
つまり、ＵＥ１がＨＡＲＱステータスをフィードバックするのに用いるアップリンクサブフレーム内のＨＡＲＱリソースを占有していないことを基地局が発見し、かつ、ＵＥ１がＰＵＣＣＨでアップリンク制御情報を送信することを基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定してよく、ＵＥのＣＷＳを決定する際、ＵＥのＨＡＲＱステータスをＮＡＣＫ状態と示し、ＨＡＲＱステータスをＨＡＲＱステータスセットに追加してよい。ＰＵＣＣＨでＵＥ１が送信するアップリンク制御情報は、スケジューリング要求（Ｓｃｈｅｄｕｌｉｎｇ  Ｒｅｑｕｅｓｔ，ＳＲ）またはチャネル状態情報（Ｃｈａｎｎｅｌ  Ｓｔａｔｅ  Ｉｎｆｏｒｍａｔｉｏｎ，ＣＳＩ）を含む。
【００７８】
さらに、ＤＴＸ状態がＬＢＴの失敗から起こっているのかを、ＵＥがアップリンクサブフレーム内のＨＡＲＱリソース以外のアップリンクリソースを占有しているかに基づき基地局が判断する場合、２つの分岐が含まれることに留意されたい。分岐１：ＵＥがＨＡＲＱリソースのアップリンクサブフレーム内のＰＵＣＣＨを占有しているのかを検出。分岐２：ＵＥがＨＡＲＱリソースのアップリンクサブフレーム内のＰＵＳＣＨを占有しているのかを検出。
【００７９】
分岐１：ＵＥがＰＵＣＣＨでＨＡＲＱステータスをフィードバックする。
【００８０】
ＰＵＣＣＨ上のＨＡＲＱリソースは、ＰＤＣＣＨのＤＬグラントインジケーションにより示されるか、またはＤＬグラントのリソースに基づきマッピングおよび計算を介して取得される。したがって、ＵＥは、ＤＬグラントを何ら受信しない場合、ＨＡＲＱステータスをフィードバックしない。この場合、ＵＥに対応するＨＡＲＱステータスはＤＴＸ状態である。しかしながら、ＳＲおよび／またはＣＳＩ情報を含む、ＰＵＣＣＨで定期的に送信される他のＵＣＩ情報がある。基地局は、ＰＵＣＣＨチャネルを多重化するようＨＡＲＱステータスフィードバック並びにＳＲおよび／またはＣＳＩ情報を構成してよい。ＳＲおよびＣＳＩ情報は定期的であるよう構成される。ＵＥは、ＤＬグラントを受信したかに関わらず、対応するＰＵＣＣＨリソースで定期的にＳＲおよびＣＳＩ情報を送信する。
【００８１】
ケース１に対応して、ＨＡＲＱステータスフィードバックおよび他のＵＣＩ情報はＰＵＣＣＨチャネルを多重化せず、ＵＥは、ＰＵＣＣＨでＨＡＲＱステータスのみフィードバックする。
【００８２】
ＵＥに対応するＨＡＲＱステータスのみアップリンクサブフレーム内でフィードバックする必要があり、ＳＲおよび／またはＣＳＩ情報を送信する必要がない場合、基地局はそれでも、ＤＴＸ状態を起こしている原因を決定出来ない。この場合、ＣＷＳを決定すべく基地局により用いられるＨＡＲＱステータスセットは、ＵＥに対応し基地局が検出するＨＡＲＱステータスに含まれるＡＣＫ状態またはＮＡＣＫ状態に戻る（ｆａｌｌｓ  ｂａｃｋ）。基地局がＨＡＲＱリソースで有効な情報を検出しない場合、言い換えると、ＨＡＲＱステータスがＤＴＸ状態である場合、ＣＷＳを決定する際、ＤＴＸ状態は無視される。
【００８３】
ケース２に対応して、ＵＥは、ＨＡＲＱステータスと、ＳＲおよび／またはＣＳＩ情報等の他のＵＣＩ情報とをＰＵＣＣＨでフィードバックする。
【００８４】
アップリンクサブフレーム内のＰＵＣＣＨがＨＡＲＱリソースを搬送し、ＨＡＲＱステータスフィードバックと、ＳＲおよび／またはＣＳＩ情報とがＰＤＣＣＨチャネルを多重化する場合、ＣＷＳの調整のために用いられるＨＡＲＱステータスセットを基地局が決定する方式は以下のことを含む。１．ＨＡＲＱステータスをフィードバックする、参照サブフレームについてのフィードバックに用いられるアップリンクサブフレーム内のＨＡＲＱリソースをＵＥが占有していることを基地局が発見する。２．ＨＡＲＱステータスをフィードバックする、参照サブフレームについてのフィードバックに用いられるアップリンクサブフレーム内のＨＡＲＱリソースをＵＥが占有していないことを基地局が発見し、かつ、ＵＥが同じＰＵＣＣＨ上の他のＵＣＩリソース、つまり、ＳＲおよび／またはＣＳＩ情報に対応するＰＵＣＣＨリソースを占有していることを基地局が発見する。基地局は、ＳＲまたはＣＳＩ情報の存在を検出することにより、ＵＥがアップリンクサブフレームを占有しているのかを判断してよく、これにより、ＵＥに対応するＨＡＲＱステータスがＤＴＸ状態である状況がＬＢＴの失敗から起こっているのかを決定してよい。ＵＥが他のＵＣＩリソースを占有している場合、基地局はＬＢＴの失敗の確率を排除し、ＵＥのＣＷＳを決定する際、ＵＥに対応するＨＡＲＱステータスをＮＡＣＫ状態と示し、ＨＡＲＱステータスをＨＡＲＱステータスセットに追加する。ＵＥが任意の他のＵＣＩリソースを占有していない場合、言い換えると、基地局がＰＵＣＣＨで何ら有効な情報を発見しない場合、ＤＴＸ状態はＬＢＴの失敗から起こり得、基地局はＤＴＸ状態を無視する。もちろん、後者のケースにおいてＬＢＴが成功するかもしれず、基地局は、アップリンクチャネル品質が低いが故に何らＰＵＣＣＨを発見しない。しかしながら、ＤＴＸ状態を起こしている原因を基地局が決定出来ないことから、および、ＬＢＴの失敗の確率はＰＵＣＣＨの検出の失敗の確率よりはるかに高いことから、他のＵＣＩが何ら検出されない場合にＤＴＸ状態を無視することにより、ＣＷＳはより正確に決定され得る。
【００８５】
分岐２：ＵＥがＰＵＳＣＨでＨＡＲＱステータスをフィードバックする。
【００８６】
ＨＡＲＱステータスがＰＵＳＣＨで伝達される場合、基地局は、ＵＥに対応するＨＡＲＱステータスのビット情報についてＰＵＳＣＨのデータリソースに対してパンクチャリングを実施する。したがって、ＵＥがＤＬグラントを発見し、ＰＤＣＣＨを復調する場合、ＰＵＳＣＨに対して実施されたパンクチャリング後に取得されるＨＡＲＱリソースはＨＡＲＱステータス情報で満たされており、またはＵＥがＤＬグラントを検出しない場合、ＵＥは、ＨＡＲＱステータスに対応するリソースでＨＡＲＱステータスのフィードバック情報を送信しない。実際の適用の際、ＵＥはＤＬグラントを失うが、アップリンクグラント（Ｕｐｌｉｎｋ  ｇｒａｎｔ，ＵＬ  ｇｒａｎｔ）は失わない可能性があることに留意されたい。例えば基地局がＤＬグラントとＵＬグラントとをそれぞれ異なる２つのダウンリンクサブフレームで送信し、ＴＤＤフレーム構造の時系列等のＨＡＲＱ時系列に基づき、ＵＬグラントでスケジューリングされているアップリンクサブフレーム内でＤＬグラントのアップリンクサブフレームに対応するＨＡＲＱをフィードバックする。ＵＥはＤＬグラントに対応するダウンリンクサブフレームの受信に失敗するが、ＵＬグラントに対応するダウンリンクサブフレームの受信に成功する。したがって、基地局は、ＨＡＲＱリソースに対応するＤＴＸ状態に基づき直接的に、ＤＴＸ状態が、ＬＢＴの失敗から起こっているのか、またはＰＤＣＣＨを失ったことから起こっているのかを判断出来ない。しかしながら、基地局が、ＨＡＲＱリソースのＰＵＳＣＨで他のデータ情報を送信する場合、このことは、ＵＥがアップリンクサブフレームを占有していることも示しているかもしれない。したがって、一部の可能な実施方式において、基地局はＵＥのＰＵＳＣＨを復調し、ＵＥのＣＷＳを決定する際、ＵＥの、正しく復調されたＰＵＳＣＨが位置するアップリンクサブフレームに対応するＨＡＲＱステータスをＮＡＣＫ状態と示し、ＵＥの、誤って復調されたＰＵＳＣＨが位置するアップリンクサブフレームに対応するＨＡＲＱステータスを無視する。
【００８７】
加えて、ＤＭＲＳおよびＰＵＳＣＨデータ情報が同じアップリンクサブフレーム内で送信され、基地局はさらに、アップリンクＤＭＲＳの存在を検出することにより、ＵＥがＨＡＲＱリソース以外のアップリンクサブフレームを占有しているのかを判断してよい。ＤＭＲＳが検出された場合、このことは、ＵＥがチャネルをプリエンプトし、ＰＵＳＣＨを送信したことを示している。ＤＭＲＳは符号列であるので、ＤＭＲＳに対応するシンボルのピーク値がその列に関連する検出を介して検出された場合、ＵＥがＤＭＲＳを送信したと判断されてよい。チャネル品質が低いが故にＰＵＳＣＨが正しく復調されなかった場合でも、ＵＥがアップリンクサブフレームを占有していると判断してよい。ＰＵＳＣＨデータリソースの存在に関する検出と比較し、ＤＭＲＳの存在に関する検出によりＰＵＳＣＨは、アップリンクチャネルの品質がより低い場合に検出出来る。したがって、ＨＡＲＱリソースがＰＵＳＣＨで搬送される場合、ＣＷＳの調整のために用いられるＨＡＲＱステータスセットを基地局が決定する方式は以下の方式を含む。１．ＵＥが、ＨＡＲＱステータスをフィードバックすべく、参照サブフレームについてのフィードバックに用いられるアップリンクサブフレーム内のＨＡＲＱリソースを占有していることを基地局が発見する。２．ＵＥが、ＨＡＲＱステータスをフィードバックすべく、参照サブフレームについてのフィードバックに用いられるアップリンクサブフレーム内のＨＡＲＱリソースを占有していないことを基地局が発見し、かつ、ＵＥが、同じアップリンクサブフレーム内のＰＵＣＣＨでデータリソースまたはＤＭＲＳリソースを占有していることを基地局が発見する。
【００８８】
基地局は、ＵＥが参照サブフレームについてのＨＡＲＱステータスフィードバックで用いられるアップリンクサブフレーム内のＨＡＲＱリソースを占有しているのかということのみを検出することにより、ＵＥがアップリンクサブフレーム内のＬＢＴの実施に成功したかを判断してよく、これにより、ＣＷＳを決定してよいことに留意されたい。アップリンクサブフレーム内のＨＡＲＱリソースがＰＵＣＣＨで搬送される場合、基地局は、ＣＷＳを決定する際、参照サブフレームについてのフィードバックで用いられるＰＵＣＣＨ上のＨＡＲＱリソースを占有しているＵＥに対応するＨＡＲＱステータスのみを考慮し、ＰＵＣＣＨ上のＨＡＲＱリソースを占有していないＵＥのＨＡＲＱステータスは無視する。
【００８９】
基地局は、ＵＥがアップリンクサブフレーム内のＬＢＴの実施に成功したかについて、以下の２つの方式で判断してもよいことに留意されたい。１．ＨＡＲＱステータスをフィードバックすべく参照サブフレームについてのフィードバックで用いられるアップリンクサブフレーム内のＨＡＲＱリソースをＵＥが占有しているのかを検出する。または、２．参照サブフレームについてのフィードバックで用いられるアップリンクサブフレーム内のＨＡＲＱリソース以外のアップリンクリソースをＵＥが占有しているのかを検出する。以下のケースのうちいずれか１つが検出された場合、ＵＥがアップリンクサブフレームを占有していること、言い換えると、アップリンクサブフレーム内のＬＢＴが成功したことが示される：参照サブフレームについてのＨＡＲＱステータスフィードバックで用いられるアップリンクサブフレーム内のＨＡＲＱリソースをＵＥが占有している；または参照サブフレームについてのＨＡＲＱステータスフィードバックで用いられるアップリンクサブフレーム内のＨＡＲＱリソース以外のアップリンクリソースをＵＥが占有している。例えば、ＨＡＲＱリソースがＰＵＣＣＨで搬送される場合、基地局がＣＷＳを決定する際、ＵＥがＨＡＲＱステータスをフィードバックするＰＵＣＣＨ上のＨＡＲＱリソースを占有していることを基地局が発見し、またはＵＥがＰＵＣＣＨ上のＨＡＲＱリソースを占有していないことを基地局が発見し、かつ、ＵＥが同じＰＵＣＣＨで他のＵＣＩ情報を送信することを基地局が発見した場合、基地局は、ＵＥに対応するＤＴＸ状態をＮＡＣＫ状態と示し、ＨＡＲＱステータスをＨＡＲＱステータスセットに追加し、ＣＷＳを決定する。代替的に、例えばＨＡＲＱリソースがＰＵＳＣＨで搬送される場合、基地局がＣＷＳを決定する際、ＵＥがＨＡＲＱステータスをフィードバックするＰＵＳＣＨ上のＨＡＲＱリソースを占有していることを基地局が発見し、またはＵＥがＰＵＳＣＨ上のＨＡＲＱリソースを占有していないことを基地局が発見し、かつ、ＵＥが同じＰＵＳＣＨでデータ情報またはＤＭＲＳを送信することを基地局が発見した場合、基地局は、ＵＥに対応するＤＴＸ状態をＮＡＣＫ状態と示し、ＨＡＲＱステータスをＨＡＲＱステータスセットに追加し、ＣＷＳを決定する。
【００９０】
分岐１および分岐２に関して、同じＵＥのＰＵＣＣＨおよびＰＵＳＣＨの同時伝送が同じアップリンクサブフレームで許可されるのかについて、異なる基地局同士は要件が異なることに留意されたい。したがって、同じＵＥのＰＵＣＣＨおよびＰＵＳＣＨの同時伝送が同じアップリンクサブフレームで許可されることを示さない基地局に関して、ＨＡＲＱリソースがアップリンクサブフレーム内のＰＵＣＣＨで搬送される場合、ＵＥがＰＵＣＣＨチャネルを占有しているのかということのみを基地局は発見し、またはＨＡＲＱリソースがアップリンクサブフレーム内のＰＵＳＣＨで搬送される場合、ＵＥがＰＵＳＣＨチャネルを占有しているのかということのみを基地局は発見する。同じＵＥのＰＵＣＣＨおよびＰＵＳＣＨの同時伝送が同じアップリンクサブフレームで許可されることを示す基地局に関して、ＨＡＲＱリソースがアップリンクサブフレーム内のＰＵＣＣＨで搬送されるのか、アップリンクサブフレーム内のＰＵＳＣＨで搬送されるのかに関わらず、基地局は、ＵＥがＰＵＣＣＨまたはＰＵＳＣＨのうちいずれか１つを占有しているのかを検出することにより、ＬＢＴに失敗したかを判断してよい。例えばＨＡＲＱリソースがＰＵＣＣＨで搬送され、ＵＥがデータ情報またはＤＭＲＳを送信すべくＰＵＳＣＨチャネルを占有していることを基地局が発見した場合、ＬＢＴが成功したと判断出来る。基地局は、ＵＥのＣＷＳを決定する際、ＰＵＣＣＨ上の対応するＤＴＸ状態をＮＡＣＫ状態と示し、ＨＡＲＱステータスをＨＡＲＱステータスセットに追加する。
【００９１】
一部の可能な実施方式において、参照サブフレームでスケジューリングされているＵＥがＨＡＲＱステータスをフィードバックするのに用いるアップリンクサブフレーム内のＨＡＲＱリソースを占有していないことを基地局が発見した場合、基地局は直接的に、ＵＥのＨＡＲＱステータスを、ＬＢＴの失敗から起こっているＤＴＸ状態と判断してよく、ＵＥのＣＷＳを決定する際、ＵＥのＨＡＲＱステータスを無視し、ＵＥのＨＡＲＱステータスをＨＡＲＱステータスセットに追加しなくてよい。加えて、参照サブフレームでスケジューリングされているＵＥがＨＡＲＱステータスをフィードバックするのに用いるアップリンクサブフレーム内のＨＡＲＱリソースを占有していないことを検出した場合、基地局はさらに、ＵＥがアップリンクサブフレーム内のＨＡＲＱリソースを占有していないのは、ＬＢＴの失敗から起こっているのかを判断してよく、つまり、基地局はさらに、ＵＥがアンライセンスキャリア上のアップリンクサブフレームを占有しているのかを判断してよい。
【００９２】
実際の適用の際、ＵＥによるＬＢＴの実施が成功する確率はさらに、ＣＷＳ、またはＣＷＳに基づき生成されるバックオフカウンタの初期値等のアップリンクセンスパラメータに関連する。ＣＷＳがより大きいということ、またはＣＷＳに基づき生成されるバックオフカウンタの初期値がより大きいということは、チャネルにアクセスするまでのＵＥの待ち時間がより長いこと、および、スケジューリングされているアップリンクサブフレームでチャネルにアクセスする確率がより低いことを示している。反対に、ＣＷＳがより小さいということ、またはバックオフカウンタの初期値がより小さいということは、チャネルにアクセスする確率がより高いことを示している。したがって、ＵＥに対応するＨＡＲＱステータスがＤＴＸ状態であると基地局が決定した場合（つまり、参照サブフレームでスケジューリングされているＵＥがアップリンクサブフレーム内のＨＡＲＱリソースを占有していないことを基地局が発見した場合）、またはＵＥがＨＡＲＱステータスをフィードバックするのに用いるアップリンクサブフレーム内のＨＡＲＱリソースを占有していないことを基地局が発見し、かつ、ＵＥがＰＵＣＣＨおよびＰＵＳＣＨを占有していないことを基地局が発見した場合であり、ＣＷＳ、またはバックオフカウンタの初期値が比較的大きい場合、ＵＥに対応するＨＡＲＱステータスがＤＴＸ状態である状況がＬＢＴの失敗から起こっている確率は、ＨＡＲＱステータスがＤＴＸ状態である状況がＰＤＣＣＨを失ったことから起こっている確率より高い。この場合、基地局は、ＤＴＸ状態が起こっているのはＬＢＴの失敗から起こっていると判断し、ＤＴＸ状態を無視してよい。逆に、ＣＷＳがより小さいということ、またはバックオフカウンタの初期値がより小さいということは、ＵＥに対応するＨＡＲＱステータスがＤＴＸ状態である状況がＬＢＴの失敗から起こっている確率がより低いことを示している。この場合、ＵＥに対応するＨＡＲＱステータスがＤＴＸ状態である状況がＰＤＣＣＨを失ったことから起こっていると基地局は判断し、ＤＴＸ状態をＮＡＣＫ状態と示し、ＮＡＣＫ状態をＨＡＲＱステータスセットに追加してよい。基地局は、ＵＥのＣＷＳをアップリンクＬＢＴにおいて生成し、ＵＥにＣＷＳを通知してよく、それからＵＥは、ＣＷＳに基づきバックオフカウンタの初期値を生成し、または基地局が直接的に、バックオフカウンタの初期値を生成し、ＵＥに初期値を通知することに留意されたい。したがって、基地局はＵＥのＣＷＳ、またはバックオフカウンタの初期値を把握し、それらパラメータのうち１つに基づき、ＤＴＸ状態を起こしている原因を判断してよい。
【００９３】
具体的に実現する際、参照サブフレームでスケジューリングされている複数のＵＥのうち１または複数のＵＥ（１または複数のＵＥのうち１つのＵＥを以下では説明のための例として用い、それはＵＥ１であると仮定する）がＨＡＲＱステータスをフィードバックするのに用いるアップリンクサブフレーム内のＨＡＲＱリソースを占有していないと基地局が発見し、アップリンクサブフレームに関してＵＥ１が実施したＣＣＡにおけるＣＷＳが第１の所定の閾値以下である、またはＣＷＳに基づき生成されたバックオフカウンタの初期値が第２の所定の閾値以下である場合、ＵＥ１がアップリンクサブフレームを占有していると決定される。基地局は、ＵＥのＣＷＳを決定する際、ＵＥ１のＨＡＲＱステータスをＮＡＣＫ状態と示し、ＨＡＲＱステータスをＨＡＲＱステータスセットに追加してよい。代替的に、ＵＥ１がＨＡＲＱステータスをフィードバックするアップリンクサブフレーム内のＨＡＲＱリソースを占有しておらず、アップリンクサブフレーム内のＨＡＲＱリソース以外のアップリンクリソースを占有していないと基地局が決定し、アップリンクサブフレームに関してＵＥ１が実施するＣＣＡにおけるＣＷＳが第１の所定の閾値以下である、またはＣＷＳに基づき生成されるバックオフカウンタの初期値が第２の所定の閾値以下である場合、ＵＥ１がアップリンクサブフレームを占有していると決定される。基地局は、ＵＥのＣＷＳを決定する際、ＵＥ１のＨＡＲＱステータスをＮＡＣＫ状態と示し、ＨＡＲＱステータスをＨＡＲＱステータスセットに追加してよい。
【００９４】
さらに、ＵＥに対応するＨＡＲＱステータスがＤＴＸ状態である状況がＬＢＴの失敗から起こっているのかを基地局が判断する場合、その判断は、ＵＥがＨＡＲＱリソース以外のアップリンクリソースを占有しているのかということに基づき実施されてよく、ＵＥが送信する報告情報に基づき実施されてもよい。ＵＥが基地局へ送信する報告情報は、ＵＥがアップリンクサブフレームを占有しているのかを基地局に通知するのに用いられる。ＵＥは基地局に対して直接的に、アップリンクサブフレーム内のＬＢＴが成功したこと、またはＬＢＴが失敗したことを示すメッセージを報告する。報告情報は、ＵＥが占有しているアップリンクサブフレーム内で伝達されてよく、ＬＢＴが失敗したことから占有されていないアップリンクサブフレームの指標を基地局に通知するのに用いられる。ＵＥに対応するＨＡＲＱステータスがＤＴＸ状態であるアップリンクサブフレームが、ＬＢＴの失敗をＵＥが報告しているサブフレームであることを基地局が発見した場合、基地局は、ＣＷＳを決定する際、ＵＥのＨＡＲＱステータス、つまり、ＤＴＸ状態を無視し、ＵＥのＨＡＲＱステータスをＨＡＲＱステータスセットに追加しない。つまり、ＵＥ１が報告情報を送信することを基地局が発見した場合、基地局は直接的に、報告情報に基づき、ＵＥ１がアップリンクサブフレームを占有しているのかを決定してよい。ＵＥ１が送信する報告情報に基づき、ＵＥ１がアップリンクサブフレームを占有していないことを基地局が決定した場合、基地局は、ＣＷＳを決定する際、ＵＥのＨＡＲＱステータスを無視する。ＵＥ１が送信する報告情報に基づき、ＵＥ１がアップリンクサブフレームを占有していると基地局が決定した場合、基地局は、ＣＷＳを決定する際、ＵＥのＨＡＲＱステータスをＮＡＣＫ状態と示す。
【００９５】
具体的に実現する際、アップリンクサブフレームを占有しているＵＥのＨＡＲＱステータスが決定された後、ＵＥは、ダウンリンク伝送に関するＣＣＡにおけるＣＷＳを決定する際、ＣＷＳを決定するために用いられるＨＡＲＱステータスセットに含まれるＮＡＣＫ状態の数に基づき、および、ＨＡＲＱステータスセットに含まれる全ＨＡＲＱステータスの合計数に対するＮＡＣＫ状態の数の比率に基づきＣＣＡにおけるＣＷＳを決定してよい。具体的には、ＨＡＲＱステータスセットに含まれる全ＨＡＲＱステータスの合計数に対するＮＡＣＫ状態の数の比率が予め設定された閾値（例えば８０％）を越えた場合、ＣＷＳは大きくされ、そうでない場合、ＣＷＳは小さくされる。ＮＡＣＫ状態の数は、ＮＡＣＫ状態と示されるＤＴＸ状態の数を含む。
【００９６】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＰＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【００９７】
図４を参照すると、図４は、本願発明の実施形態に係る、クリアチャネルアセスメントにおけるコンテンションウィンドウサイズを決定するための装置の概略構造図である。本願発明の本実施形態で説明されている装置は、
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュール１０であって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、第１決定モジュール１０と、
アップリンクサブフレームを占有している少なくとも１つのＵＥのＨＡＲＱステータスに基づきダウンリンク伝送に関するクリアチャネルアセスメントＣＣＡにおけるコンテンションウィンドウサイズＣＷＳを決定するよう構成されている第２決定モジュール２０と
を含む。
【００９８】
第２決定モジュール２０は具体的に、アップリンクサブフレームを占有している少なくとも１つのＵＥのＨＡＲＱステータスに基づき、ダウンリンク伝送に関するＣＣＡにおけるＣＷＳを決定することであって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、決定すること、またはアップリンクサブフレームを占有している少なくとも１つのＵＥのＨＡＲＱステータスに基づき、ダウンリンク伝送に関するＣＣＡにおけるＣＷＳを決定し、ダウンリンク伝送に関するＣＣＡにおけるＣＷＳを決定する際、アンライセンスキャリア上のアップリンクサブフレームを占有しておらず、基地局により参照サブフレームでスケジューリングされているＵＥのＨＡＲＱステータスは無視すること
を実行するよう構成されている。
【００９９】
一部の可能な実施方式において、第１決定モジュール１０は具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１００】
一部の可能な実施方式において、第１決定モジュール１０は具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１０１】
一部の可能な実施方式において、第１決定モジュール１０は具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【０１０２】
一部の可能な実施方式において、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【０１０３】
一部の可能な実施方式において、
第１決定モジュール１０は具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１０４】
一部の可能な実施方式において、第１決定モジュール１０は具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されている。
【０１０５】
一部の可能な実施方式において、第１決定モジュール１０は具体的に
参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【０１０６】
具体的に実現する際、クリアチャネルアセスメントにおけるコンテンションウィンドウサイズを決定するための装置は具体的に、本願発明の本実施形態で説明されている基地局であってよく、本願発明の実施形態で提供されるクリアチャネルアセスメントにおけるコンテンションウィンドウサイズを決定するための方法の実施形態で説明されている実現方式を実行するよう構成されていてよい。詳細に関しては、方法の実施形態における各段階で説明されている実現方式を参照されたく、詳細はここで改めて説明しない。
【０１０７】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＰＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【０１０８】
図５を参照すると、図５は、本願発明の実施形態に係る基地局の概略構造図である。本願発明の本実施形態で説明されている基地局は、メモリ１０００とプロセッサ２０００とを含む。メモリ１０００は、プロセッサ２０００に接続されている。
【０１０９】
メモリ１０００は、プログラムコードセットを格納するよう構成されている。
【０１１０】
プロセッサ２０００は、メモリ１０００に格納されたプログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、オペレーションと、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている。
【０１１１】
一部の可能な実施方式において、プロセッサ２０００は具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１２】
一部の可能な実施方式において、プロセッサ２０００は具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクリソース内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１３】
一部の可能な実施方式において、プロセッサ２０００は具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【０１１４】
一部の可能な実施方式において、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【０１１５】
一部の可能な実施方式において、プロセッサ２０００は具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１６】
一部の可能な実施方式において、プロセッサ２０００は具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはＣＷＳに基づき生成されるバックオフカウンタの初期値が第２の所定の閾値以下である場合、少なくとも１つのＵＥがアップリンクサブフレームを占有していると決定するよう構成されている。
【０１１７】
一部の可能な実施方式において、プロセッサ２０００は具体的に、
基地局により参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【０１１８】
具体的に実現する際、本願発明の本実施形態で説明されている基地局は、本願発明の実施形態で提供されるクリアチャネルアセスメントにおけるコンテンションウィンドウサイズを決定するための方法の実施形態で説明されている実現方式を実行するよう構成されていてよい。詳細に関しては、方法の実施形態における各段階で説明されている実現方式を参照されたく、詳細はここで改めて説明しない。
【０１１９】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＰＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【０１２０】
関連するハードウェアにコンピュータプログラムが命令することにより、実施形態における複数の方法のプロセスのうち全てまたは一部を実現出来ることを当業者は理解し得よう。そのプログラムはコンピュータ可読記憶媒体に格納されてよい。そのプログラムが起動されたとき、実施形態における方法のそれらプロセスが実施される。先述の記憶媒体は、磁気ディスク、光学式ディスク、読み取り専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、または同様のものを含んでよい。
【０１２１】
上記にて開示されたのは単に本願発明の実施形態の例であり、もちろん本願発明の保護範囲を限定することは意図されていない。したがって、本願発明の請求項に従って成される同等の変形例が、本願発明の範囲に含まれるものとする。
【図１】
2019510443.tif 000003
【図２】
2019510443.tif 000004
【図３】
2019510443.tif 000005
【図４】
2019510443.tif 000006
【図５】
2019510443.tif 000007
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
参照サブフレームでスケジューリングされている少なくとも１つのユーザ機器（ＵＥ）のうち、アンライセンスキャリア上のアップリンクサブフレームを占有している少なくとも１つの第１ＵＥを基地局が決定する段階であって、前記アップリンクサブフレームは、前記少なくとも１つのＵＥが前記参照サブフレームについてハイブリッド自動再送要求（ＨＡＲＱ）ステータスをフィードバックするのに用いるアップリンクサブフレームである、段階と、
前記少なくとも１つの第１ＵＥのＨＡＲＱステータスに基づき、ダウンリンク伝送に関するクリアチャネルアセスメント（ＣＣＡ）におけるコンテンションウィンドウサイズ（ＣＷＳ）を前記基地局が決定する段階と
を備える、クリアチャネルアセスメントにおけるコンテンションウィンドウサイズを決定するための方法。
【請求項２】
前記基地局は、前記基地局により前記参照サブフレームでスケジューリングされている、前記アップリンクサブフレームを占有していない少なくとも１つの第２ＵＥに対応するＨＡＲＱステータスを無視して、前記ダウンリンク伝送に関する前記ＣＣＡにおける前記ＣＷＳを決定する、請求項１に記載の方法。
【請求項３】
少なくとも１つの第１ＵＥを基地局が決定する前記段階は、前記少なくとも１つの第１ＵＥが、ＨＡＲＱステータスをフィードバックする前記アップリンクサブフレーム内のＨＡＲＱリソースを占有していることを前記基地局が発見した場合、前記少なくとも１つの第１ＵＥが前記アップリンクサブフレームを占有していると決定する段階を有し、
前記ＨＡＲＱリソースは、前記少なくとも１つのＵＥがフィードバックする前記ＨＡＲＱステータスを伝達する物理層リソースである、
請求項１または２に記載の方法。
【請求項４】
少なくとも１つの第１ユーザ機器ＵＥを基地局が決定する前記段階は、少なくとも１つの第１ＵＥが、ＨＡＲＱステータスをフィードバックする前記アップリンクサブフレーム内のＨＡＲＱリソースを占有していないことを前記基地局が発見し、かつ、前記少なくとも１つの第１ＵＥが前記アップリンクサブフレーム内の前記ＨＡＲＱリソース以外のアップリンクリソースを占有していることを前記基地局が発見した場合、前記少なくとも１つの第１ＵＥが前記アップリンクサブフレームを占有していると決定する段階を有し、
前記ＨＡＲＱリソースは、前記少なくとも１つのＵＥがフィードバックする前記ＨＡＲＱステータスを伝達する物理層リソースである、
請求項１から３のいずれか一項に記載の方法。
【請求項５】
前記少なくとも１つの第１ＵＥが前記アップリンクサブフレーム内の前記ＨＡＲＱリソース以外のアップリンクリソースを占有していることを前記基地局が発見するとは、
前記少なくとも１つの第１ＵＥが復調参照信号（ＤＭＲＳ）を送信することを前記基地局が発見した場合、前記少なくとも１つの第１ＵＥが前記アップリンクサブフレーム内の前記ＨＡＲＱリソース以外の前記アップリンクリソースを占有していると決定すること、または、
前記少なくとも１つの第１ＵＥが物理アップリンク共有チャネル（ＰＵＳＣＨ）でアップリンクサービス情報を送信することを前記基地局が発見した場合、前記少なくとも１つの第１ＵＥが前記アップリンクサブフレーム内の前記ＨＡＲＱリソース以外の前記アップリンクリソースを占有していると決定すること、または、
前記少なくとも１つの第１ＵＥが物理アップリンク制御チャネル（ＰＵＣＣＨ）でアップリンク制御情報を送信することを前記基地局が発見した場合、前記少なくとも１つの第１ＵＥが前記アップリンクサブフレーム内の前記ＨＡＲＱリソース以外の前記アップリンクリソースを占有していると決定すること
を含む、請求項４に記載の方法。
【請求項６】
前記アップリンク制御情報は、スケジューリング要求（ＳＲ）とチャネル状態情報（ＣＳＩ）とのうち少なくとも１つを含む、請求項５に記載の方法。
【請求項７】
少なくとも１つの第１ＵＥを基地局が決定する前記段階は、少なくとも１つの第１ＵＥが、ＨＡＲＱステータスをフィードバックする前記アップリンクサブフレーム内のＨＡＲＱリソースを占有していないことを前記基地局が発見し、かつ、前記アップリンクサブフレームに関して前記少なくとも１つの第１ＵＥが実施するＣＣＡにおけるＣＷＳが第１の所定の閾値以下である、または前記アップリンクサブフレームに関して前記少なくとも１つの第１ＵＥが実施するＣＣＡにおけるＣＷＳに基づき生成されるバックオフカウンタの初期値が第２の所定の閾値以下である場合、前記少なくとも１つの第１ＵＥが前記アップリンクサブフレームを占有していると決定する段階を有し、
前記ＨＡＲＱリソースは、前記少なくとも１つのＵＥがフィードバックする前記ＨＡＲＱステータスを伝達する物理層リソースである、
請求項１から３のいずれか一項に記載の方法。
【請求項８】
少なくとも１つの第１ＵＥを基地局が決定する前記段階は、少なくとも１つの第１ＵＥが、前記ＨＡＲＱステータスをフィードバックする前記アップリンクサブフレーム内の前記ＨＡＲＱリソースを占有していないこと、および前記ＨＡＲＱリソース以外の前記アップリンクリソースを占有していないことを前記基地局が発見し、かつ、前記アップリンクサブフレームに関して前記少なくとも１つの第１ＵＥが実施するＣＣＡにおけるＣＷＳが第１の所定の閾値以下である、または前記アップリンクサブフレームに関して前記少なくとも１つの第１ＵＥが実施するＣＣＡにおけるＣＷＳに基づき生成されるバックオフカウンタの初期値が第２の所定の閾値以下である場合、前記少なくとも１つの第１ＵＥが前記アップリンクサブフレームを占有していると決定する段階を有する、
請求項４から６のいずれか一項に記載の方法。
【請求項９】
少なくとも１つの第１ＵＥを基地局が決定する前記段階は、
少なくとも１つの第１ＵＥが送信する報告情報を前記基地局が受信する段階であって、前記報告情報は、前記少なくとも１つの第１ＵＥが前記アップリンクサブフレームを占有していることを示すのに用いられる、段階と、
前記少なくとも１つの第１ＵＥが前記アップリンクサブフレームを占有していると前記基地局が決定する段階と
を有する、請求項１に記載の方法。
【請求項１０】
参照サブフレームでスケジューリングされている少なくとも１つのユーザ機器（ＵＥ）のうち、アンライセンスキャリア上のアップリンクサブフレームを占有している少なくとも１つの第１ＵＥを決定するよう構成されている第１決定モジュールであって、前記アップリンクサブフレームは、前記少なくとも１つのＵＥが前記参照サブフレームについてハイブリッド自動再送要求（ＨＡＲＱ）ステータスをフィードバックするのに用いるアップリンクサブフレームである、第１決定モジュールと、
前記少なくとも１つの第１ＵＥのＨＡＲＱステータスに基づき、ダウンリンク伝送に関するクリアチャネルアセスメント（ＣＣＡ）におけるコンテンションウィンドウサイズ（ＣＷＳ）を決定するよう構成されている第２決定モジュールと
を備える、クリアチャネルアセスメントにおけるコンテンションウィンドウサイズを決定するための装置。
【請求項１１】
前記第２決定モジュールは、前記ダウンリンク伝送に関する前記ＣＣＡにおける前記ＣＷＳを決定する際、前記参照サブフレームでスケジューリングされている、前記アップリンクサブフレームを占有していない少なくとも１つの第２ＵＥに対応するＨＡＲＱステータスを無視するよう構成されている、請求項１０に記載の装置。
【請求項１２】
前記第１決定モジュールは、少なくとも１つの第１ＵＥが、ＨＡＲＱステータスをフィードバックする前記アップリンクサブフレーム内のＨＡＲＱリソースを占有していることが検出された場合、前記少なくとも１つの第１ＵＥが前記アップリンクサブフレームを占有していると決定するよう構成されており、
前記ＨＡＲＱリソースは、前記少なくとも１つのＵＥがフィードバックする前記ＨＡＲＱステータスを伝達する物理層リソースである、
請求項１０または１１に記載の決定装置。
【請求項１３】
前記第１決定モジュールは、少なくとも１つの第１ＵＥが、ＨＡＲＱステータスをフィードバックする前記アップリンクサブフレーム内のＨＡＲＱリソースを占有していないこと、および前記ＨＡＲＱステータスをフィードバックする前記アップリンクサブフレーム内の前記ＨＡＲＱリソースを占有していない前記少なくとも１つの第１ＵＥが前記アップリンクサブフレーム内の前記ＨＡＲＱリソース以外のアップリンクリソースを占有していることが検出された場合、前記少なくとも１つの第１ＵＥが前記アップリンクサブフレームを占有していると決定するよう構成されており、
前記ＨＡＲＱリソースは、前記少なくとも１つのＵＥがフィードバックする前記ＨＡＲＱステータスを伝達する物理層リソースである、
請求項１０から１２のいずれか一項に記載の決定装置。
【請求項１４】
前記第１決定モジュールは、
前記少なくとも１つの第１ＵＥが復調参照信号（ＤＭＲＳ）を送信することが検出された場合、前記少なくとも１つの第１ＵＥが前記アップリンクサブフレーム内の前記ＨＡＲＱリソース以外の前記アップリンクリソースを占有していると決定し、または、
前記少なくとも１つの第１ＵＥが物理アップリンク共有チャネル（ＰＵＳＣＨ）でアップリンクサービス情報を送信することが検出された場合、前記少なくとも１つの第１ＵＥが前記アップリンクサブフレーム内の前記ＨＡＲＱリソース以外の前記アップリンクリソースを占有していると決定し、または、
前記少なくとも１つの第１ＵＥが物理アップリンク制御チャネル（ＰＵＣＣＨ）でアップリンク制御情報を送信することが検出された場合、前記少なくとも１つの第１ＵＥが前記アップリンクサブフレーム内の前記ＨＡＲＱリソース以外の前記アップリンクリソースを占有していると決定する
よう構成されている、請求項１３に記載の決定装置。
【請求項１５】
検出される前記アップリンク制御情報は、スケジューリング要求（ＳＲ）とチャネル状態情報（ＣＳＩ）とのうち少なくとも１つを含む、請求項１４に記載の決定装置。
【請求項１６】
前記第１決定モジュールは、少なくとも１つの第１ＵＥが、ＨＡＲＱステータスをフィードバックする前記アップリンクサブフレーム内のＨＡＲＱリソースを占有していないことが検出され、かつ、前記アップリンクサブフレームに関して前記少なくとも１つの第１ＵＥが実施するＣＣＡにおけるＣＷＳが第１の所定の閾値以下である、または前記アップリンクサブフレームに関して前記少なくとも１つの第１ＵＥが実施するＣＣＡにおけるＣＷＳに基づき生成されるバックオフカウンタの初期値が第２の所定の閾値以下である場合、前記少なくとも１つの第１ＵＥが前記アップリンクサブフレームを占有していると決定するよう構成されており、
前記ＨＡＲＱリソースは、前記少なくとも１つのＵＥがフィードバックする前記ＨＡＲＱステータスを伝達する物理層リソースである、
請求項１０から１２のいずれか一項に記載の決定装置。
【請求項１７】
前記第１決定モジュールは、少なくとも１つの第１ＵＥが、前記ＨＡＲＱステータスをフィードバックする前記アップリンクサブフレーム内の前記ＨＡＲＱリソースを占有していないこと、および前記ＨＡＲＱリソース以外の前記アップリンクリソースを占有していないことが検出され、かつ、前記アップリンクサブフレームに関して前記少なくとも１つの第１ＵＥが実施するＣＣＡにおけるＣＷＳが第１の所定の閾値以下である、または前記アップリンクサブフレームに関して前記少なくとも１つの第１ＵＥが実施するＣＣＡにおけるＣＷＳに基づき生成されるバックオフカウンタの初期値が第２の所定の閾値以下である場合、前記少なくとも１つの第１ＵＥが前記アップリンクサブフレームを占有していると決定するよう構成されている、
請求項１３から１５のいずれか一項に記載の決定装置。
【請求項１８】
前記第１決定モジュールは、
少なくとも１つの第１ＵＥが送信する報告情報を受信することであって、前記報告情報は、前記少なくとも１つの第１ＵＥが前記アップリンクサブフレームを占有していることを示すのに用いられる、受信することと、
前記少なくとも１つの第１ＵＥが前記アップリンクサブフレームを占有していると決定することと
を実行するよう構成されている、請求項１０に記載の決定装置。
【請求項１９】
請求項１から９のいずれか一項に記載の方法を実施するよう構成されている基地局。
【請求項２０】
コンピュータにより実行された場合に前記コンピュータに請求項１から９のいずれか一項に記載の方法を実行させるコンピュータプログラム。
【手続補正２】
【補正対象書類名】明細書
【補正対象項目名】全文
【補正方法】変更
【補正の内容】
【発明の詳細な説明】
【技術分野】
【０００１】
本願発明は、通信技術の分野に関し、特に、クリアチャネルアセスメントにおけるコンテンションウィンドウサイズを決定するための方法および装置に関する。
【背景技術】
【０００２】
ロングタームエボリューションを用いたライセンス補助アクセス（Ｌｉｃｅｎｓｅｄ−Ａｓｓｉｓｔｅｄ  Ａｃｃｅｓｓ  ｕｓｉｎｇ  Ｌｏｎｇ  Ｔｅｒｍ  Ｅｖｏｌｕｔｉｏｎ，ＬＡＡ−ＬＴＥ）システムにおいて、利用可能な周波数スペクトルは、キャリアアグリゲーション（Ｃａｒｒｉｅｒ  Ａｇｇｒｅｇａｔｉｏｎ，ＣＡ）技術を用いることにより、アンライセンスバンドまで拡張され得る。シームレスなカバレッジを実現し、時間遅延に関する要件の高い一部のサービスの搬送を行うべく、ライセンススペクトルが用いられ、一部のデータサービスの搬送を行うべくアンライセンススペクトルが用いられる。アンライセンススペクトルでのＬＡＡ−ＬＴＥシステムとＷｉ‐Ｆｉシステム等の他のシステムとの好都合な共存を実現すべく、ＬＡＡシステムは、リッスンビフォアトーク（Ｌｉｓｔｅｎ−Ｂｅｆｏｒｅ−Ｔａｌｋ，ＬＢＴ）チャネルアクセスメカニズムを用いて、クリアチャネルアセスメント（Ｃｌｅａｒ  Ｃｈａｎｎｅｌ  Ａｓｓｅｓｓｍｅｎｔ，ＣＣＡ）を介して通信チャネルでの検出を実施し得る。ＣＣＡを介して通信チャネルでの検出が実施される場合、ＬＡＡダウンリンク伝送に関するＬＢＴチャネルアクセスメカニズムにおいて、動的に変動するコンテンションウィンドウサイズ（Ｃｏｎｔｅｎｔｉｏｎ  Ｗｉｎｄｏｗ  Ｓｉｚｅ，ＣＷＳ）が用いられる。各回のＣＣＡにおけるＣＷＳは、ユーザ機器（Ｕｓｅｒ  Ｅｑｕｉｐｍｅｎｔ，ＵＥ）のハイブリッド自動再送要求（Ｈｙｂｒｉｄ  Ａｕｔｏｍａｔｉｃ  Ｒｅｐｅａｔ  ｒｅｑｕｅｓｔ，ＨＡＲＱ）ステータスに基づき決定されてよい。
【０００３】
従来技術において、基地局がアンライセンススペクトルでダウンリンク伝送を実施し、その基地局が、スケジューリングされているＵＥのＣＷＳをそのＵＥがフィードバックするＨＡＲＱステータスに基づき決定する。ＵＥによるＬＢＴの実施が失敗した場合、ＵＥは、アンライセンスキャリア上のアップリンクサブフレーム内でＨＡＲＱステータスをフィードバック出来ない。この場合、基地局が、スケジューリングされているＵＥのＣＷＳをそのＵＥがフィードバックしたＨＡＲＱステータスに基づき直接的に決定した場合、ＣＷＳを誤って決定する確率は比較的高い。従来技術において、ＵＥがＬＢＴの実施に成功したのかは判断されず、ＵＥのＣＷＳは、ＵＥがフィードバックするＨＡＲＱステータスに基づき直接的に決定される。結果的に、ＣＷＳを誤って決定する確率が高くなり、基地局の待ち時間を増やしてしまう確率が高くなる。
【発明の概要】
【０００４】
本願の実施形態は、ダウンリンク伝送に関するＣＷＳの決定における精度を向上させ、調整されたＣＷＳが過度に大きいが故に基地局の待ち時間を増やしてしまう確率を下げるべく、クリアチャネルアセスメントにおけるコンテンションウィンドウサイズを決定するための方法および装置を提供する。
【０００５】
第１の態様は、クリアチャネルアセスメントにおけるコンテンションウィンドウサイズを決定するための方法を提供する。  同方法は、
参照サブフレームでスケジューリングされている少なくとも１つのユーザ機器ＵＥのうち、アンライセンスキャリア上のアップリンクサブフレームを占有している少なくとも１つのＵＥを基地局が決定する段階であって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、段階と、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを基地局が決定する段階と
を備えてよい。
【０００６】
この応用例において、ダウンリンク伝送に関するＣＣＡにおけるＣＷＳを決定する際、アンライセンスキャリア上のアップリンクサブフレームを占有していないＵＥのＨＡＲＱステータスが考慮されない一方で、アンライセンスキャリア上のアップリンクサブフレームを占有しているＵＥのＨＡＲＱステータスのみが考慮されてよく、これにより、アンライセンスキャリア上のアップリンクサブフレームを占有していないＵＥのＨＡＲＱステータスが誤って判断されたことからＣＷＳを誤って決定するケースを回避してよい。したがって、ダウンリンク伝送に関するＣＷＳの決定における精度を向上させることが出来、調整されたＣＷＳが過度に大きいが故に基地局の待ち時間を増やしてしまう確率を下げることが出来る。
【０００７】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していることを基地局が発見した場合、ＨＡＲＱステータスをフィードバックするアップリンクサブフレーム内のＨＡＲＱリソースを占有している少なくとも１つのＵＥが、アップリンクサブフレームを占有していると決定する段階を有し、
ＨＡＲＱリソースは、ＵＥがフィードバックするＨＡＲＱステータスを伝達する物理層リソースである。
【０００８】
この応用例において、ＨＡＲＱステータスをフィードバックするアンライセンスキャリア上のアップリンクサブフレーム内のＨＡＲＱリソースを占有している、参照サブフレームでスケジューリングされている１または複数のＵＥに含まれる検出されたＵＥは、アップリンクサブフレームを占有しているＵＥとして決定されてよい。ダウンリンク伝送に関するＣＣＡにおけるＣＷＳを決定する際、ＨＡＲＱステータスをフィードバックするアンライセンスキャリア上のアップリンクサブフレーム内のＨＡＲＱリソースを占有していないＵＥのＨＡＲＱステータスが考慮されない一方で、ＨＡＲＱステータスをフィードバックするアンライセンスキャリア上のアップリンクサブフレーム内のＨＡＲＱリソースを占有しているＵＥのＨＡＲＱステータスのみが考慮され、これにより、アンライセンスキャリア上のアップリンクサブフレームを占有していないＵＥのＨＡＲＱステータスが誤って判断されたことからＣＷＳを誤って決定するケースをより高い度合いで回避する。したがって、調整されたＣＷＳが過度に大きいが故に基地局の待ち時間を増やしてしまう確率を下げることが出来る。
【０００９】
オプションで、
参照サブフレームでスケジューリングされている少なくとも１つのユーザ機器ＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していないことを基地局が発見し、かつ、ＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることを基地局が発見した場合、アップリンクサブフレーム内のＨＡＲＱリソース以外のアップリンクリソースを占有している少なくとも１つのＵＥがアップリンクサブフレームを占有していると決定する段階を有し、
ＨＡＲＱリソースは、ＵＥがフィードバックするＨＡＲＱステータスを伝達する物理層リソースである。
【００１０】
この応用例において、参照サブフレームでスケジューリングされている１または複数のＵＥのうち、ＨＡＲＱステータスをフィードバックするアンライセンスキャリア上のアップリンクサブフレーム内のＨＡＲＱリソースを占有していないがＨＡＲＱリソース以外のアップリンクリソースを占有している検出されたＵＥは、アップリンクサブフレームを占有しているＵＥとして決定されてよい。ダウンリンク伝送に関するＣＣＡにおけるＣＷＳを決定する際、ＨＡＲＱステータスをフィードバックするアンライセンスキャリア上のアップリンクサブフレーム内のＨＡＲＱリソースを占有しておらず、ＨＡＲＱリソース以外のリソースを占有していないＵＥのＨＡＲＱステータスが考慮されない一方で、ＨＡＲＱステータスをフィードバックするアンライセンスキャリア上のアップリンクサブフレーム内のＨＡＲＱリソースを占有していないがＨＡＲＱリソース以外のアップリンクリソースを占有しているＵＥのＨＡＲＱステータスに基づきＣＷＳが決定されてよく、これにより、ＨＡＲＱステータスをフィードバックするアンライセンスキャリア上のアップリンクサブフレーム内のＨＡＲＱリソースを占有していないが他のアップリンクリソースを占有しているＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１１】
オプションで、
ＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることを基地局が発見するとは、
ＨＡＲＱステータスをフィードバックするアップリンクサブフレーム内のＨＡＲＱリソースを占有していないＵＥが、復調参照信号ＤＭＲＳを送信することを基地局が発見した場合、ＵＥがアップリンクサブフレーム内のＨＡＲＱリソース以外のアップリンクリソースを占有していると決定すること、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することを基地局が発見した場合、ＵＥがアップリンクサブフレーム内のＨＡＲＱリソース以外のアップリンクリソースを占有していると決定すること、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することを基地局が発見した場合、ＵＥがアップリンクサブフレーム内のＨＡＲＱリソース以外のアップリンクリソースを占有していると決定すること
を含む。
【００１２】
この応用例において、ＵＥがアップリンクサブフレーム内のＨＡＲＱリソース以外のアップリンクリソースを占有しているということは、ＤＭＲＳを検出する方式、ＵＥがＰＵＳＣＨで送信するアップリンクサービス情報を検出する方式、ＵＥがＰＵＣＣＨで送信するアップリンク制御情報を検出する方式、または同様の方式で決定することが出来、これにより、アップリンクサブフレームを占有しているＵＥの決定の実現方式の多様性および効率を向上させることが出来る。したがって、ダウンリンク伝送に関するＣＷＳの決定における精度を向上させることが出来、調整されたＣＷＳが過度に大きいが故に基地局の待ち時間を増やしてしまう確率を下げることが出来る。
【００１３】
オプションで、ＨＡＲＱステータスをフィードバックするアップリンクサブフレーム内のＨＡＲＱリソースを占有していないＵＥがＰＵＣＣＨで送信し、基地局が検出するアップリンク制御情報は、スケジューリング要求ＳＲおよび／またはチャネル状態情報ＣＳＩを含む。
【００１４】
この応用例において、ＵＥがＰＵＣＣＨで送信するアップリンク制御情報を検出することは、ＳＲおよび／またはＣＳＩを検出すること、または同様のことを含んでよく、これにより、ＵＥがＰＵＣＣＨで送信するアップリンク制御情報を特定的に検出することが出来、アップリンクサブフレームを占有しているＵＥの決定の実現方式の多様性および効率を向上させることが出来る。したがって、ダウンリンク伝送に関するＣＷＳの決定における精度を向上させることが出来、調整されたＣＷＳが過度に大きいが故に基地局の待ち時間を増やしてしまう確率を下げることが出来る。
【００１５】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有していないことを基地局が発見し、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定する段階を有し、
ＨＡＲＱリソースは、ＵＥがフィードバックするＨＡＲＱステータスを伝達する物理層リソースである。
【００１６】
この応用例において、参照サブフレームでスケジューリングされている１または複数のＵＥに含まれるＵＥが、ＨＡＲＱステータスをフィードバックするアンライセンスキャリア上のアップリンクサブフレーム内のＨＡＲＱリソースを占有していないことが検出され、かつ、アップリンクサブフレームに関するＣＣＡにおけるＣＷＳが第１の所定の閾値以下である、またはＣＷＳに基づき生成されるバックオフカウンタの初期値が第２の所定の閾値以下である場合、そのＵＥはアップリンクサブフレームを占有しているＵＥとして決定されてよい。ダウンリンク伝送に関するＣＣＡにおけるＣＷＳを決定する際、ＣＷＳは、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たさないＵＥのＨＡＲＱステータスは考慮されない一方で、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たすＵＥのＨＡＲＱステータスに基づき決定されてよく、これにより、ＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１７】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、参照サブフレームでスケジューリングされている少なくとも１つのＵＥが、ＨＡＲＱステータスをフィードバックするアップリンクサブフレーム内のＨＡＲＱリソースを占有しておらず、ＨＡＲＱリソース以外のアップリンクリソースを占有していないことを基地局が発見し、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定する段階を有する。
【００１８】
この応用例において、参照サブフレームでスケジューリングされている１または複数のＵＥに含まれるＵＥが、ＨＡＲＱステータスをフィードバックするアンライセンスキャリア上のアップリンクサブフレーム内のＨＡＲＱリソースを占有しておらず、ＨＡＲＱリソース以外のアップリンクリソースを占有していないことが検出され、かつ、アップリンクサブフレームに関するＣＣＡにおけるＣＷＳが第１の所定の閾値以下である、またはＣＷＳに基づき生成されるバックオフカウンタの初期値が第２の所定の閾値以下である場合、そのＵＥはアップリンクサブフレームを占有しているＵＥとして決定されてよい。ダウンリンク伝送に関するＣＣＡにおけるＣＷＳを決定する際、ＣＷＳは、ＨＡＲＱステータスをフィードバックするアンライセンスキャリア上のアップリンクサブフレーム内のＨＡＲＱリソースを占有しておらず、ＣＷＳまたはバックオフカウンタの初期値が上記条件を満たさないＵＥのＨＡＲＱステータスは考慮されない一方で、ＨＡＲＱステータスをフィードバックするＨＡＲＱリソースを占有しておらずＨＡＲＱリソース以外のアップリンクリソースを占有しておらず、ＣＷＳまたはバックオフカウンタの初期値が上記条件を満たすＵＥのＨＡＲＱステータスに基づき決定されてよく、これにより、ＵＥのＨＡＲＱステータスが誤って判断されたことからＣＷＳを誤って決定するケースを回避してよい。したがって、調整されたＣＷＳが過度に大きいが故に基地局の待ち時間を増やしてしまう確率を下げることが出来る。
【００１９】
オプションで、
参照サブフレームでスケジューリングされている少なくとも１つのＵＥのうち、アンライセンスキャリア上のアップリンクサブフレームを占有している少なくとも１つのＵＥを基地局が決定する段階は、
参照サブフレームでスケジューリングされている少なくとも１つのＵＥが送信する報告情報を基地局が受信する段階であって、報告情報は、少なくとも１つのＵＥがアップリンクサブフレームを占有していることを示すのに用いられる、段階と、
少なくとも１つのＵＥがアップリンクサブフレームを占有していると基地局が決定する段階と
を有する。
【００２０】
オプションで、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを基地局が決定する段階は、アップリンクサブフレームを占有している少なくとも１つのＵＥのＨＡＲＱステータスに基づき、ダウンリンク伝送に関するＣＣＡにおけるＣＷＳを基地局が決定する段階であって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、段階を含んでよい。
【００２１】
この応用例において、ＵＥがアップリンクサブフレームを占有していることは、ＵＥが送信する報告情報に基づき決定されてよい。ダウンリンク伝送におけるＵＥのＣＷＳを決定する際、アップリンクサブフレームを占有している、送信された報告情報内で示されているＵＥのＨＡＲＱステータスのみが考慮され、アップリンクサブフレームを占有していないＵＥのＨＡＲＱステータスは考慮されず、これにより、ＵＥのＨＡＲＱステータスが誤って判断されたことからＣＷＳを誤って決定するケースを回避する。したがって、調整されたＣＷＳが過度に大きいが故に基地局の待ち時間を増やしてしまう確率を下げることが出来る。
【００２２】
第２の態様は、クリアチャネルアセスメントにおけるコンテンションウィンドウサイズを決定するための装置を提供する。同装置は、
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュールであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、第１決定モジュールと、
アップリンクサブフレームを占有している少なくとも１つのＵＥのＨＡＲＱステータスに基づきダウンリンク伝送に関するクリアチャネルアセスメントＣＣＡにおけるコンテンションウィンドウサイズＣＷＳを決定するよう構成されている第２決定モジュールと
を含んでよい。
【００２３】
オプションで、第１決定モジュールは具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２４】
オプションで、第１決定モジュールは具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２５】
オプションで、第１決定モジュールは具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【００２６】
オプションで、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【００２７】
オプションで、第１決定モジュールは具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００２８】
オプションで、第１決定モジュールは具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されている。
【００２９】
オプションで、第１決定モジュールは具体的に
参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【００３０】
オプションで、第２決定モジュールは具体的に、アップリンクサブフレームを占有している少なくとも１つのＵＥのＨＡＲＱステータスに基づき、ダウンリンク伝送に関するＣＣＡにおけるＣＷＳを決定することであって、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、決定すること
を実行するよう構成されている。
【００３１】
第３の態様は、基地局を提供する。  同基地局は、
メモリと、
プロセッサと
を備えてよく、
メモリはプロセッサに接続されており、
メモリはプログラムコードセットを格納するよう構成されており、
プロセッサは、メモリに格納されたプログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、オペレーションと、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている。
【００３２】
オプションで、プロセッサは具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３３】
オプションで、プロセッサは具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３４】
オプションで、プロセッサは具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【００３５】
オプションで、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【００３６】
オプションで、プロセッサは具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【００３７】
オプションで、
プロセッサは具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されている。
【００３８】
オプションで、プロセッサは具体的に
基地局により参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【図面の簡単な説明】
【００３９】
本願発明の実施形態における技術的解決方法をより明確に説明することを目的として、以下では、実施形態を説明するために必要な添付の図面を簡単に説明する。以下の説明における添付の図面は、本願発明の一部の実施形態を示すものに過ぎず、当業者であれば、これら添付の図面から創造的努力なく他の図面をさらに導き出し得ることは明らかである。
【００４０】
【図１】ＬＡＡダウンリンク伝送におけるＬＢＴの模式図である。
【００４１】
【図２】ＬＡＡダウンリンク伝送におけるＵＥのＣＷＳを調整する方式の模式図である。
【００４２】
【図３】本願発明の実施形態に係る、クリアチャネルアセスメントにおけるコンテンションウィンドウサイズを決定するための方法の概略的なフローチャートである。
【００４３】
【図４】本願発明の実施形態に係る、クリアチャネルアセスメントにおけるコンテンションウィンドウサイズを決定するための装置の概略構造図である。
【００４４】
【図５】本願発明の実施形態に係る基地局の概略構造図である。
【発明を実施するための形態】
【００４５】
以下、本願発明の実施形態における添付の図面を参照して、本願発明の実施形態における技術的解決方法を明確かつ完全に説明する。説明されている実施形態は、本願発明の実施形態の全てではなく一部に過ぎないことは明らかである。当業者により、本願発明の実施形態に基づいて創造的努力なく得られる全ての他の実施形態が、本願発明の保護範囲に属するものとする。
【００４６】
図１を参照すると、図１は、ＬＡＡダウンリンク伝送におけるＬＢＴの模式図である。図１に示されているように、ＬＡＡダウンリンク伝送におけるＬＢＴの具体的な手順は、無線通信デバイスが、バックオフカウンタＮ（Ｎは０からＣＷＳの間で均等に分布している乱数）を生成することと、ＣＣＡタイムスロット（ＣＣＡタイムスロットは、チャネルセンスの時間単位であり、ＣＣＡタイムスロットの典型的な長さは９μｓである）を粒度として用いてチャネルセンスを実施することとを含む。チャネルがアイドル状態であることがＣＣＡタイムスロットにおいて検出された場合、バックオフカウンタが１だけ減じられる。またはチャネルがビジー状態であることがＣＣＡタイムスロットにおいて検出された場合、バックオフカウンタは停止され、つまり、バックオフカウンタは変わらないままである。バックオフカウンタが０まで減った場合、無線通信デバイスはチャネルを占有してよい。各回のＣＣＡにおけるＣＷＳは、ＵＥのＨＡＲＱステータスに基づき決定されてよい。ロングタームエボリューション（Ｌｏｎｇ  Ｔｅｒｍ  Ｅｖｏｌｕｔｉｏｎ，ＬＴＥ）システムにおいて、ＵＥのＨＡＲＱステータスは、ＵＥがダウンリンクサブフレームを正しく受信したかを示すフィードバックである。ＵＥのＨＡＲＱステータスは、ＡＣＫ状態、ＮＡＣＫ状態、ＤＴＸ状態、および同様のものを含んでよい。ＵＥのＨＡＲＱステータスのうちＮＡＣＫ状態が占める比率に基づき、基地局が、ＣＣＡにおけるＣＷＳを決定してよい。
【００４７】
基地局は、ＣＷＳの初期値を、ＣＷＳ値のセットの最小値として決定することに留意されたい。ダウンリンク伝送に関するＣＣＡを実施する前に、基地局は、参照サブフレームについての受信したＨＡＲＱステータスに基づきＣＷＳを調整する。具体的な調整方式は以下のようなものであってよい。つまり、参照サブフレームでスケジューリングされているＵＥに対応するＨＡＲＱステータスのうち所与の比率（例えば８０％）より多くがＮＡＣＫ状態であることを基地局が発見した場合、基地局はＣＷＳを大きくし、そうでない場合、基地局はＣＷＳを小さくする。基地局は、現在のＣＷＳ値に基づき、ＣＷＳ値のセットに含まれる次に大きなＣＷＳまでＣＷＳを大きくし、または基地局は、現在のＣＷＳ値に基づき、ＣＷＳ値のセットに含まれる最小値までＣＷＳを小さくする。図２に示されているように、図２は、ＬＡＡダウンリンク伝送におけるＵＥのＣＷＳを調整する方式の模式図である。図２に示されているように、ＵＥのＣＷＳの初期値が１５に設定されているものと仮定されている。基地局がＵＥ１、ＵＥ２、ＵＥ３、およびＵＥ４の４つのＵＥを参照サブフレームでスケジューリングし、ＵＥ１、ＵＥ２、ＵＥ３、およびＵＥ４に対応する全てのＨＡＲＱステータスがＮＡＣＫ状態である場合、基地局により参照サブフレームでスケジューリングされている４つのＵＥに対応するＨＡＲＱステータスのうちＮＡＣＫ状態の比率は１００％であり、８０％より高い。したがって、基地局はＵＥのＣＷＳを大きくし、ＵＥのＣＷＳは３１まで大きくされる。それから、次回のダウンリンク伝送において、基地局は、ＵＥ１、ＵＥ３、およびＵＥ５の３つのＵＥを参照サブフレームでスケジューリングする。ＵＥ１に対応するＨＡＲＱステータスはＮＡＣＫ状態であり、ＵＥ３およびＵＥ５に対応するＨＡＲＱステータスはＡＣＫ状態である。この場合、基地局により参照サブフレームでスケジューリングされている３つのＵＥに対応するＨＡＲＱステータスのうちＮＡＣＫ状態の比率は３３．３％であり、８０％未満である。したがって、基地局はＵＥのＣＷＳを小さくし、ＵＥのＣＷＳは１５まで小さくされる。参照サブフレームは、ダウンリンク伝送における基地局の開始サブフレームであり、基地局は、参照サブフレームについてＵＥがフィードバックするＨＡＲＱステータスを取得してよい。基地局と他の周辺の競合ノードとが、例えば基地局とＷｉ‐Ｆｉとが、ダウンリンク伝送における比較的低いチャネルリンク品質が故に同時にチャネルにアクセスした場合であり、ＵＥがフィードバックして基地局が受信するＨＡＲＱステータスが複数のＮＡＣＫ状態を含む場合、平均待ち時間を長引かせるようＣＷＳが大きくされ、これにより、衝突を減らし、干渉を減らし、チャネルリンク品質を向上させるよう、その基地局と周辺の競合ノードとがそれぞれチャネルにアクセスする時点が次回の伝送においては上手く互い違いにされる。
【００４８】
ＬＴＥシステムにおいて、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）上の参照サブフレームに関して（ＵＥ１であるものとして仮定されている）ＵＥを基地局がスケジューリングする場合、つまり、基地局がダウンリンクグラント（Ｄｏｗｎｌｉｎｋ  ｇｒａｎｔ，ＤＬ  ｇｒａｎｔ）をＵＥ１へ送信する場合、ダウンリンクチャネル品質が比較的低いが故にＵＥ１はＰＤＣＣＨを検出せず、ＵＥ１は参照サブフレームでスケジューリングされていないものとして見なされる。したがって、ＵＥ１は、参照サブフレームについてＨＡＲＱステータスのフィードバック情報を送信せず、基地局は対応するＨＡＲＱリソース上で有効な情報を何ら発見せず、ＵＥ１のＨＡＲＱステータスをＤＴＸ状態と決定してよい。基地局が検出するＵＥのＨＡＲＱステータスがＤＴＸ状態である状況が、ダウンリンクチャネル品質が比較的低いが故に起こる場合、このことが示しているのは、基地局とＷｉ‐Ｆｉ等の他の干渉源ノードとが同時にセンスを完了し、互いに衝突し得るということであり、および次回の伝送における衝突確率を下げるべくＣＷＳを大きくする必要がある。しかしながら、基地局が検出するＵＥのＨＡＲＱステータスがＤＴＸ状態である状況は、ダウンリンクチャネル品質が比較的低いことのみに起因してではなく、他の要因にも起因して起こる。したがって、基地局と他の干渉源ノードとが同時にセンスを完了し、互いに衝突すると直接的に判断され、ＣＷＳが大きくされた場合、ＣＷＳを誤って調整する確率が高まる。
【００４９】
さらに、アンライセンススペクトルで、任意の送信ノードは、基地局へ情報を送信する前にＬＢＴを実施する必要がある。ＬＢＴが成功した場合、送信ノードはチャネルにアクセス出来る。またはＬＢＴに失敗した場合、つまり、チャネルがビジー状態である、またはバックオフカウンタの値が０まで減ってないことがスケジューリングされているアップリンク伝送の前にセンスされた場合、送信ノードはチャネルにアクセス出来ない。したがって、ＵＥが、アップリンクサブフレーム内で参照サブフレームについてＨＡＲＱステータスをフィードバックする必要があったとしても、そのＵＥは、アップリンクサブフレームに関してアップリンク伝送においてＬＢＴの実施に失敗し、チャネルのプリエンプトに失敗した場合、アップリンクサブフレーム内でＨＡＲＱステータスのフィードバック情報を送信出来ない。ＵＥによるＬＢＴの実施が失敗した場合、そのＵＥは、アップリンクリソース内のＨＡＲＱリソースを占有しない。したがって、基地局から見て、ＵＥのＨＡＲＱステータスはＤＴＸ状態であると判断される。先述の実現方式が適用された場合であり、ＵＥのＨＡＲＱステータスがＤＴＸ状態である場合、ＵＥのＨＡＲＱステータスはＮＡＣＫ状態であると示される。その結果、チャネルリンク品質は低いものと誤って判断される。この場合、ＨＡＲＱステータスセットのうちＮＡＣＫ状態が占める比率に基づきＣＷＳが調整された場合、ＣＷＳは比較的大きくなり、結果的に、基地局の待ち時間は比較的長くなる。ＨＡＲＱステータスセットに含まれるＨＡＲＱステータスはＡＣＫ状態とＮＡＣＫ状態とを含み、ＨＡＲＱステータスセットは、ＵＥのＣＷＳを決定するのに用いられる。
【００５０】
結論として分かるのは、ＵＥがアンライセンススペクトルでＨＡＲＱステータスをフィードバックする場合、基地局は、ＵＥによるＬＢＴの実施の失敗と、ＵＥによるＰＤＣＣＨの検出の失敗とのうちどちらが原因でＵＥのＨＡＲＱステータスがＤＴＸ状態である状況が起こっているのかを判断出来ず、ＵＥのＨＡＲＱステータスがＤＴＸ状態である状況が実際にはＵＥによるＰＤＣＣＨの検出の失敗から起こっているにも関わらず、ＵＥによるＬＢＴの実施の失敗から起こっていると誤って判断してしまう、ということである。したがって、ＵＥのＣＷＳを決定する際、基地局はＵＥのＨＡＲＱステータスをＮＡＣＫ状態と示す。その結果、調整されたＣＷＳは比較的大きくなる。
【００５１】
本願発明の実施形態は、ＣＣＡにおけるＣＷＳを決定するための方法および装置を提供する。したがって、ＵＥがアンライセンススペクトルでＨＡＲＱステータスをフィードバックする場合、基地局は、ＵＥのＨＡＲＱステータスがＤＴＸ状態である状況がＵＥによるＬＢＴの実施の失敗から起こっているケースと、ＵＥのＨＡＲＱステータスがＤＴＸ状態である状況がＵＥによるＰＤＣＣＨの検出の失敗から起こっているケースとを区別出来る。基地局は、ＣＣＡにおけるＣＷＳを決定する際、ＵＥのＨＡＲＱステータスがＤＴＸ状態である状況がＵＥによるＰＤＣＣＨの検出の失敗から起こっているケースのみを考慮する。基地局は、ＣＣＡにおけるＣＷＳを決定する際、ＵＥによるＬＢＴの実施が失敗した場合、ＵＥのＨＡＲＱステータスのＤＴＸ状態をＮＡＣＫ状態と間違えず、これにより、ＣＣＡにおけるＣＷＳの決定における精度が向上する。
【００５２】
具体的に実現する際、本願発明の実施形態で提供されるＣＣＡにおけるＣＷＳを決定するための方法および装置は、アンライセンススペクトルで動作している無線通信システムに適用可能である。無線通信システムにおける基地局は、アンライセンススペクトルでダウンリンク情報を送信し、ダウンリンク情報に関してアンライセンススペクトルでＵＥが送信するＨＡＲＱステータスのフィードバック情報を受信してよい。基地局が送信するダウンリンク情報を搬送するアンライセンスキャリアと、ＵＥが送信するＨＡＲＱステータスのフィードバック情報を搬送するアンライセンスキャリアとは同じキャリアであってよく、または異なるキャリアであってよい。つまり、基地局がアンライセンスキャリアＡでダウンリンク情報を送信する場合、ＵＥは、アンライセンスキャリアＡのダウンリンク情報に関して、アンライセンスキャリアＡでＵＥのＨＡＲＱステータスをフィードバックしてよく、またはアンライセンスキャリアＡのダウンリンク情報に関して、アンライセンスキャリアＢでＵＥのＨＡＲＱステータスをフィードバックしてよい。このことに関しては本明細書において限定されない。アンライセンスキャリアＡが二次キャリアである場合、アンライセンスキャリアＢが一次キャリアであってよく、またはアンライセンスキャリアＡとは異なる二次キャリアであってよい。このことに関しては本明細書において限定されない。
【００５３】
具体的に実現する際、本願発明の実施形態で説明されている基地局は、マクロ基地局、マイクロセル、ピコセル、ホームｅＮｏｄｅＢ、リモート無線周波数ヘッド、中継器、または同様のものを含んでよい。このことに関しては本明細書において限定されない。本願発明の実施形態で説明されているＵＥは、携帯電話、ＬＴＥシステムにアクセス出来るノートブック型コンピュータ若しくはタブレット型コンピュータ、または同様のものを含んでよい。このことに関しては本明細書において限定されない。図３から図５を参照し、以下において、本願発明の実施形態で提供されるＣＣＡにおけるＣＷＳを決定するための方法および装置を詳細に説明する。
【００５４】
図３を参照すると、図３は、本願発明の実施形態に係る、ＣＣＡにおけるＣＷＳを決定するための方法の概略的なフローチャートである。本願発明の本実施形態で提供される方法は以下の段階を含む。
【００５５】
Ｓ１０１．参照サブフレームでスケジューリングされている少なくとも１つのＵＥのうち、アンライセンスキャリア上のアップリンクサブフレームを占有している少なくとも１つのＵＥを基地局が決定する。
【００５６】
Ｓ１０２．アップリンクサブフレームを占有している少なくとも１つのＵＥのＨＡＲＱステータスに基づき、ダウンリンク伝送に関するＣＣＡにおけるＣＷＳを基地局が決定する。
【００５７】
基地局は、アップリンクサブフレームを占有している少なくとも１つのＵＥのＨＡＲＱステータスに基づき、ダウンリンク伝送に関するＣＣＡにおけるＣＷＳを決定し、つまり、ダウンリンク伝送に関するＣＣＡにおけるＣＷＳを基地局が決定する際、基地局は、アップリンクサブフレームを占有していないＵＥに対応するＨＡＲＱステータスを無視することに留意されたい。
【００５８】
したがって、段階Ｓ１０２は、アップリンクサブフレームを占有している少なくとも１つのＵＥのＨＡＲＱステータスに基づき、ダウンリンク伝送に関するＣＣＡにおけるＣＷＳを基地局が決定する段階であって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、段階、またはアップリンクサブフレームを占有している少なくとも１つのＵＥのＨＡＲＱステータスに基づき、ダウンリンク伝送に関するＣＣＡにおけるＣＷＳを基地局が決定し、ダウンリンク伝送に関するＣＣＡにおけるＣＷＳを決定する際、アンライセンスキャリア上のアップリンクサブフレームを占有しておらず、基地局により参照サブフレームでスケジューリングされているＵＥのＨＡＲＱステータスは無視する段階を含む。
【００５９】
基地局は、ＨＡＲＱステータスに基づき、ダウンリンクサブフレームでスケジューリングされているＵＥがダウンリンクサブフレームを正しく受信したかを決定する。ＵＥは、ＨＡＲＱステータスフィードバックを用い、ＵＥがダウンリンクサブフレームを正しく受信したか基地局に報告する。基地局が検出するＨＡＲＱステータスは、ＡＣＫ状態、ＮＡＣＫ状態、およびＤＴＸ状態等の３つの状態を含む。ＡＣＫ状態は、ＵＥがダウンリンクサブフレームを正しく受信したことを示すフィードバックである。ＮＡＣＫ状態は、ＵＥがダウンリンクサブフレームを誤って受信したことを示すフィードバックである。ＵＥが送信するＨＡＲＱステータスフィードバックを対応するＨＡＲＱリソースで基地局が何ら発見しない場合、ＨＡＲＱステータスはＤＴＸ状態である。
【００６０】
ＬＴＥシステムにおいて、各ダウンリンクサブフレームと、そのダウンリンクサブフレームが正しく受信されたかを示すＨＡＲＱステータスをフィードバックすべくＵＥが占有するアップリンクサブフレームとの間には一定の時間がある。例えば、周波数分割複信（Ｆｒｅｑｕｅｎｃｙ  Ｄｉｖｉｓｉｏｎ  Ｄｕｐｌｅｘ，ＦＤＤ）モードにおいて、（ｎ番目のサブフレームであるものと仮定する）各ダウンリンクサブフレームに対応するＨＡＲＱステータスは、アップリンクサブフレーム（（ｎ＋４）番目のサブフレーム）でフィードバックされる。
【００６１】
基地局は、参照サブフレームで少なくとも１つのＵＥをスケジューリングしてよく、言い換えると、基地局は、参照サブフレームで１または複数のＵＥをスケジューリングしてよい。本願発明の本実施形態において、基地局は、参照サブフレームでスケジューリングされている１または複数のＵＥのうち、アンライセンススペクトル上のアップリンクサブフレームを占有している１または複数のＵＥ（言い換えると、少なくとも１つのＵＥ）を最初に決定してよい。基地局が参照サブフレームで少なくとも１つのＵＥをスケジューリングするとは、基地局が、参照サブフレーム内のダウンリンクリソースをそれら少なくとも１つのＵＥに割り当てることを意味する。アップリンクサブフレームは、基地局により参照サブフレームでスケジューリングされているＵＥ（ＵＥは１または複数存在し得、それら１または複数のＵＥのうち１つを、以下では説明のための例として用い、それはＵＥ１であるものと仮定する）が参照サブフレームについてＨＡＲＱステータスをフィードバックするのに用いるアップリンクサブフレームである。アンライセンススペクトル上にあり、少なくとも１つのＵＥが占有するアップリンクサブフレームは１または複数存在し得、つまり、少なくとも１つのＵＥは、同じアップリンクサブフレーム内で参照サブフレームについてＨＡＲＱステータスをフィードバックしてよく、または異なるアップリンクサブフレーム内で参照サブフレームについてＨＡＲＱステータスをフィードバックしてよいことに留意されたい。しかしながら、各ＵＥは、１つのアップリンクサブフレーム内でのみＨＡＲＱステータスをフィードバックし、アンライセンスキャリア上のアップリンクサブフレームを占有している少なくとも１つのＵＥに含まれる各ＵＥは、そのＵＥに対応するアップリンクサブフレームを占有している。ＵＥが、アップリンクサブフレーム内で参照サブフレームについてＨＡＲＱステータスをフィードバックするとは、ＵＥが、参照サブフレームについてのみＨＡＲＱステータスをフィードバックすること、および、ＵＥが、参照サブフレームを含む複数のダウンリンクサブフレームについてフィードバックを実施することを含む。ＵＥが、アップリンクサブフレーム内で複数のダウンリンクサブフレームについて複数のＨＡＲＱステータスをフィードバックする場合、基地局はＣＷＳを決定する際、そのＵＥの、参照サブフレームに対応するＨＡＲＱステータスのみ選択する。
【００６２】
基地局は、アップリンクサブフレームを占有している少なくとも１つのＵＥのＨＡＲＱステータスに基づき、ダウンリンク伝送に関するＣＣＡにおけるＣＷＳを決定することに留意されたい。参照サブフレームでスケジューリングされている少なくとも１つのＵＥに含まれる各ＵＥは、アンライセンスキャリアでフィードバックを実施してよく、または一部のＵＥがアンライセンスキャリアでフィードバックを実施し、一部のＵＥがライセンスキャリアでフィードバックを実施する。アップリンクサブフレームを占有している少なくとも１つのＵＥのＨＡＲＱステータスに基づき、基地局が、ダウンリンク伝送に関するＣＣＡにおけるＣＷＳを決定する際、参照サブフレームでスケジューリングされているＵＥに含まれる各ＵＥがアンライセンスキャリアでフィードバックを実施する場合、基地局は、参照サブフレームに対応するアップリンクサブフレームを占有しているＵＥのＨＡＲＱステータスに基づきＣＷＳを決定し、または参照サブフレームでスケジューリングされているＵＥに含まれる一部のＵＥがアンライセンスキャリアでフィードバックを実施し、一部のＵＥがライセンスキャリアでフィードバックを実施する場合、基地局は、アンライセンスキャリア上のアップリンクサブフレームを占有しているＵＥの、アンライセンスキャリアでフィードバックされるＨＡＲＱステータスと、ＵＥの、ライセンスキャリアでフィードバックされるＨＡＲＱステータスとに基づきＣＷＳを決定する。
【００６３】
一部の可能な実施方式において、参照サブフレームでスケジューリングされているＵＥが、ＨＡＲＱステータスをフィードバックするのに用いるアップリンクサブフレーム内のＨＡＲＱリソースを占有していることを基地局が発見した場合、基地局は、ＨＡＲＱステータスをフィードバックするのに用いるアップリンクサブフレーム内のＨＡＲＱリソースを占有しているＵＥがアップリンクサブフレームを占有しているものと決定する。各ＵＥは、参照サブフレームについて、または当該参照サブフレームを含む複数のダウンリンクサブフレームについてＨＡＲＱステータスをフィードバックしてよい。アップリンクサブフレームは、１つのＵＥが参照サブフレームについて、または当該参照サブフレームを含む複数のダウンリンクサブフレームについてＨＡＲＱステータスをフィードバックするのに用いるアップリンクサブフレームを含み、または複数のＵＥが参照サブフレームについて、または当該参照サブフレームを含む複数のダウンリンクサブフレームについてＨＡＲＱステータスをフィードバックするのに用いるアップリンクサブフレームを含み、言い換えると、複数のＵＥは同じアップリンクサブフレームを占有している。
【００６４】
一部の可能な実施方式において、基地局は、ＨＡＲＱステータスをフィードバックするのに用いるアップリンクサブフレーム内のＨＡＲＱリソースを占有しているＵＥのＨＡＲＱステータスのみに基づきダウンリンク伝送に関するＣＣＡにおけるＣＷＳを決定することに留意されたい。つまり、基地局は、全てのＵＥのＨＡＲＱステータスのうち、ＨＡＲＱステータスをフィードバックするのに用いるアップリンクサブフレーム内のＨＡＲＱリソースを占有していないＵＥのＨＡＲＱステータスは無視する。ＨＡＲＱリソースは、アップリンクサブフレーム内の物理層リソースであり、少なくとも１つのダウンリンクサブフレームについてＵＥがフィードバックする正しい受信を示す状態または誤った受信を示す状態を伝達するのに用いられる物理層リソースである。ＨＡＲＱリソースは具体的に、ＰＵＣＣＨで搬送されてよく、またはＰＵＳＣＨで搬送されてよい。物理層リソースは、時間周波数領域のリソース、時間周波数のリソース、並びに符号領域リソース、または同様のものを含む。このことに関しては本明細書において限定されない。ＰＵＳＣＨで搬送されるＨＡＲＱリソースは、時間周波数領域のリソースとして表され、ＰＵＣＣＨで搬送されるＨＡＲＱリソースは時間周波数領域のリソースまたは符号領域リソースとして表される。
【００６５】
ＵＥがアップリンクサブフレーム内のＨＡＲＱリソースを占有しているとは、ＵＥが対応するＨＡＲＱリソースでＨＡＲＱステータスフィードバックを送信すること、またはＵＥが対応するＨＡＲＱリソースでＨＡＲＱステータスをフィードバックしないことを含むことに留意されたい。ＨＡＲＱステータスフィードバックは、参照サブフレームが正しく受信されたかを示すＵＥの応答である。ＵＥが対応するＨＡＲＱリソースでＨＡＲＱステータスフィードバックを送信するとは、ＵＥが、アップリンクサブフレーム内のＨＡＲＱリソースで参照サブフレームについてＨＡＲＱステータスをフィードバックすること、またはＵＥが、アップリンクサブフレーム内のＨＡＲＱリソースで参照サブフレームを含む複数のダウンリンクサブフレームについてＨＡＲＱステータスをフィードバックすることを含む。フィードバックがアップリンクサブフレーム内の参照サブフレームについてのみ実施される場合、ＨＡＲＱステータスはＡＣＫ状態またはＮＡＣＫ状態を含む。フィードバックがアップリンクサブフレーム内の参照サブフレームを含む複数のダウンリンクサブフレームについて実施される場合、ＨＡＲＱステータスは、マルチビットの、または共に符号化された（ｊｏｉｎｔｌｙ−ｃｏｄｅｄ）ＡＣＫ，ＮＡＣＫ，またはＤＴＸ情報を含む。ＵＥがＨＡＲＱリソースを占有しているがＨＡＲＱステータスをフィードバックしない場合、基地局は依然としてＨＡＲＱステータスのフィードバック情報を何ら発見しない。例えばＨＡＲＱリソースがＰＵＳＣＨで搬送される場合、ＵＥは一部のＰＵＳＣＨリソースに対してパンクチャリングを実施する必要があり、つまり、ＰＵＳＣＨに対応するアップリンクリソース内の一部のリソース要素（Ｒｅｓｏｕｒｃｅ  Ｅｌｅｍｅｎｔ，ＲＥ）が、ＨＡＲＱステータスフィードバック情報を伝達するＨＡＲＱリソースとして用いられる。しかしながら、ＵＥがＰＤＣＣＨを検出せず、ＰＵＳＣＨ上のＨＡＲＱに対応するリソースに対してパンクチャリングを実施せず、それでもデータ情報を送信する可能性がある。この場合、基地局はそれでも、ＨＡＲＱリソース上のＨＡＲＱステータスについて検出を実施し、何ら有効な情報を取得せず、したがって、ＵＥがアップリンクサブフレームを占有しているのかを判断出来ない。基地局は単に、ＨＡＲＱステータスをフィードバックするのに用いるアップリンクサブフレーム内のＨＡＲＱリソースを占有しているＵＥがアップリンクサブフレームを占有していると決定する。
【００６６】
参照サブフレームでスケジューリングされているＵＥが、ＨＡＲＱステータスをフィードバックするのに用いるアップリンクサブフレーム内のＨＡＲＱリソースを占有していることを基地局が発見した場合、基地局は、ＵＥがＨＡＲＱステータスの有効なフィードバック情報を送信するものと決定しさえすればよく、具体的なＡＣＫ／ＮＡＣＫ／ＤＴＸ状態を取得する必要はないことに留意されたい。例えば参照サブフレームについてのものであり、アップリンクサブフレーム内のＨＡＲＱリソースでＵＥがフィードバックするＨＡＲＱステータスはＡＣＫ／ＮＡＣＫ状態であり、基地局は、ＵＥがアップリンクサブフレームを占有していることを決定する際、ＨＡＲＱステータスが具体的にＡＣＫ状態か、ＮＡＣＫ状態かを最初に決定しなくてよい。代替的に、時分割複信（Ｔｉｍｅ  Ｄｉｖｉｓｉｏｎ  Ｄｕｐｌｅｘ，ＴＤＤ）モードにおいて、ＵＥは、１より多くのダウンリンクサブフレームについて１つのアップリンクサブフレーム内のＨＡＲＱリソースでＡＣＫ／ＮＡＣＫ／ＤＴＸ等のマルチビットの、または共に符号化されたＨＡＲＱステータス情報をフィードバックし、基地局は単に、ＵＥがその情報を送信したことを知りさえすればよく、上記３つの状態のうち参照サブフレームがどの状態にあるのかを事前に決定する必要はない。基地局は、ＣＷＳを決定する際、具体的なＨＡＲＱステータスフィードバックを参照してＨＡＲＱステータスセットを決定する必要がある。本願発明の本実施形態において、ＵＥがＨＡＲＱステータスをフィードバックするのに用いるアップリンクサブフレーム内のＨＡＲＱリソースを占有していることを基地局が発見し、かつ、復調を介してＡＣＫ／ＮＡＣＫ等の有効なＨＡＲＱステータスを基地局が取得した場合、復調を介して取得され得るそのＡＣＫ状態またはＮＡＣＫ状態は、参照サブフレーム内のＨＡＲＱステータスセットに追加されてよい。ＨＡＲＱステータスセットは、参照サブフレームについて取得出来る、ＣＷＳを決定するために基地局により集められる全てのＨＡＲＱステータスを含む。ＵＥがＨＡＲＱステータスをフィードバックするのに用いるアップリンクサブフレーム内のＨＡＲＱリソースを占有していることを基地局が発見し、かつ、復調を介してＡＣＫ／ＮＡＣＫ／ＤＴＸ等の有効なマルチビットの、または共に符号化されたＨＡＲＱステータスを基地局が取得した場合、復調を介して取得され得るそのＡＣＫ状態またはＮＡＣＫ状態は、参照サブフレーム内のＨＡＲＱステータスセットに追加されてよく、または参照サブフレームに対応する検出されたＨＡＲＱステータスがＤＴＸ状態である場合、ＣＷＳを決定する際、ＨＡＲＱステータスはＮＡＣＫ状態であると示され、ＨＡＲＱステータスセットに追加される。
【００６７】
ＨＡＲＱステータスをフィードバックするのに用いるアップリンクサブフレーム内のＨＡＲＱリソースをＵＥは占有しておらず、このことは、ＵＥがＬＢＴの実施に失敗したから、またはＵＥがＰＤＣＣＨの検出に失敗したからであり得る。ＵＥによるＰＤＣＣＨの検出が失敗した場合、ＵＥは、そのＵＥに対応するアップリンクサブフレーム内のＨＡＲＱリソースで情報を送信しない。例えばＵＥが参照サブフレームでＰＤＣＣＨを検出しない場合、ＵＥは、参照サブフレームに対応するアップリンクサブフレーム内のＨＡＲＱリソースで情報を送信しない。代替的に、ＵＥが、１つのアップリンクサブフレーム内で１より多くのダウンリンクサブフレームについてＨＡＲＱステータスをフィードバックする必要があり、ＵＥが、参照サブフレームを含む複数のダウンリンクサブフレームのうち各ダウンリンクサブフレーム内でＰＤＣＣＨを検出しない場合、ＵＥは、参照サブフレームを含む複数のダウンリンクサブフレームに対応するアップリンクサブフレーム内のＨＡＲＱリソースでＨＡＲＱ情報を送信しない。つまり、ＵＥがアップリンクサブフレーム内のＨＡＲＱリソースを占有していない場合、基地局は、ＨＡＲＱリソースに何ら有効な情報がないことを発見し、または基地局は、復調を介してＡＣＫ／ＮＡＣＫ等の有効なＨＡＲＱステータスを取得出来ず（この場合、基地局は、ＵＥのＨＡＲＱステータスをＤＴＸ状態と判断する）、または基地局は、復調を介してＡＣＫ／ＮＡＣＫ／ＤＴＸ等の有効なマルチビットの、または共に符号化されたＨＡＲＱステータスを取得出来ない。
【００６８】
ＨＡＲＱステータスをフィードバックするのに用いるアップリンクサブフレーム内のＨＡＲＱリソースをＵＥが占有していないということは、ＵＥによるＬＢＴの実施の失敗から起こり得、またはＵＥによるＰＤＣＣＨの検出の失敗から起こり得る。従来技術での実現方式に基づけば、基地局は、ＨＡＲＱステータスをフィードバックするのに用いるアップリンクサブフレーム内のＨＡＲＱリソースをＵＥが占有していないということは、ＵＥによるＰＤＣＣＨの検出の失敗から起こっていると判断し、ＵＥのＨＡＲＱステータスをＤＴＸ状態と判断し、ＤＴＸ状態をＮＡＣＫ状態と示し、ＨＡＲＱステータスをＨＡＲＱステータスセットに追加する。この場合、ＨＡＲＱステータスをフィードバックするのに用いるアップリンクサブフレーム内のＨＡＲＱリソースをＵＥが占有していないのは、ＵＥによるＬＢＴの実施の失敗から起こっている場合、従来技術での実現方式に基づけば、チャネルリンク品質は誤って低いものと反映される。
【００６９】
一部の可能な実施方式において、ＨＡＲＱステータスをフィードバックするのに用いるアップリンクサブフレーム内のＨＡＲＱリソースをＵＥが占有していない場合、本願発明の本実施形態における基地局は、ＵＥのＨＡＲＱステータスを、ＬＢＴの失敗から起こっているＤＴＸ状態と判断してよく、ＵＥのＤＴＸ状態を無視し、ＵＥのＤＴＸ状態を参照サブフレーム内のＨＡＲＱステータスセットに追加しない。ＬＡＡがよく適用されるセルが小さい環境において、小さいセルは密に構成されていることから、ＵＥが、アンライセンススペクトル上のチャネルをプリエンプト出来ない（つまり、ＵＥによるＬＢＴの実施が失敗する）確率が、ＰＤＣＣＨの検出の失敗の確率よりはるかに高い。したがって、基地局は、ＤＴＸ状態はＬＢＴの失敗から起こっていると判断し、ＤＴＸ状態を無視し、これにより、ＣＷＳに対して実際のリンク品質の影響をより近似的に反映する。ＤＴＸ状態のアップリンクサブフレームは実際には、ＵＥがＰＤＣＣＨを検出していないことから起こっているかもしれないが、ＤＴＸ状態が無視される方法を標準とする影響は比較的小さく、基地局に対する検出の複雑性の要件は比較的低い。
【００７０】
一部の可能な実施方式において、参照サブフレームでスケジューリングされているＵＥがＨＡＲＱステータスをフィードバックするのに用いるアップリンクサブフレーム内のＨＡＲＱリソースを占有していないことを基地局が発見した場合、基地局は直接的に、ＵＥのＨＡＲＱステータスを、ＬＢＴの失敗から起こっているＤＴＸ状態と判断してよく、ＵＥのＨＡＲＱステータスを無視してよく、ＵＥのＨＡＲＱステータスをＨＡＲＱステータスセットに追加しなくてよい。加えて、参照サブフレームでスケジューリングされているＵＥがＨＡＲＱステータスをフィードバックするのに用いるアップリンクサブフレーム内のＨＡＲＱリソースを占有していないことを検出した場合、基地局はさらに、ＨＡＲＱステータスをフィードバックするのに用いるアップリンクサブフレーム内のＨＡＲＱリソースをＵＥが占有していないのは、ＬＢＴの失敗から起こっているのかを判断してよく、つまり、基地局はさらに、ＵＥがアンライセンスキャリア上のアップリンクサブフレームを占有しているのかを判断してよい。具体的に実現する際、参照サブフレームでスケジューリングされている複数のＵＥのうち１または複数のＵＥ（１または複数のＵＥのうち１つのＵＥを以下では説明のための例として用い、それはＵＥ１であるものと仮定する）がＨＡＲＱステータスをフィードバックするのに用いるアップリンクサブフレーム内のＨＡＲＱリソースを占有していないことを基地局が発見し、かつ、ＨＡＲＱステータスをフィードバックするのに用いるアップリンクサブフレーム内のＨＡＲＱリソースを占有していないＵＥ１がアップリンクサブフレーム内のＨＡＲＱリソース以外のアップリンクリソースを占有していることを基地局が発見した場合、基地局は、アップリンクサブフレーム内のＨＡＲＱリソース以外のアップリンクリソースを占有しているＵＥ１がアップリンクサブフレームを占有していると決定してよい。ＨＡＲＱステータスをフィードバックするのに用いるアップリンクサブフレーム内のＨＡＲＱリソースを占有していないＵＥ１がアップリンクサブフレーム内のＨＡＲＱリソース以外のアップリンクリソースを占有していると基地局が決定した場合、ＨＡＲＱリソースで何ら有効な情報が検出されないのはＵＥによるＬＢＴの実施の失敗から起こっているのではなく、ＵＥによるＰＤＣＣＨの検出の失敗から起こっていると決定することが出来る。この場合、基地局は、ＵＥのＨＡＲＱステータスをＤＴＸ状態と決定し、ＵＥのＨＡＲＱステータスをＮＡＣＫ状態と示し、ＨＡＲＱステータスをＨＡＲＱステータスセットに追加してよい。つまり、先述の状況において基地局は、ＵＥのＨＡＲＱステータスをＤＴＸ状態と決定し、ＣＷＳを決定する際、ＤＴＸ状態を無視しないが、ＵＥのＨＡＲＱステータスをＮＡＣＫ状態と示す。
【００７１】
ＨＡＲＱステータスを送信するアップリンクサブフレーム内のＨＡＲＱリソースを占有していないＵＥ（例えばＵＥ１であり、以下では説明のための例としてＵＥ１が用いられる）がアップリンクサブフレーム内のＨＡＲＱリソース以外のアップリンクリソースを占有していると基地局が発見する検出方式は、以下の３つの実現方式のうち任意の１または複数を含んでよいことに留意されたい。  実現方式１
【００７２】
ＨＡＲＱステータスをフィードバックするのに用いるアップリンクサブフレーム内のＨＡＲＱリソースを占有していないＵＥ１が復調参照信号（Ｄｅｍｏｄｕｌａｔｉｏｎ  Ｒｅｆｅｒｅｎｃｅ  Ｓｉｇｎａｌ，ＤＭＲＳ）を送信することを基地局が発見した場合、基地局は、ＵＥ１がアップリンクサブフレーム内のＨＡＲＱリソース以外のアップリンクリソースを占有していると決定する。
【００７３】
つまり、ＵＥ１がＨＡＲＱステータスをフィードバックするのに用いるアップリンクサブフレーム内のＨＡＲＱリソースを占有していないことを基地局が発見し、かつ、ＵＥ１が送信するＤＭＲＳ信号を基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定し、ＵＥのＣＷＳを決定する際、ＵＥのＨＡＲＱステータスをＮＡＣＫ状態と示し、ＨＡＲＱステータスをＨＡＲＱステータスセットに追加してよい。  実現方式２
【００７４】
ＨＡＲＱステータスをフィードバックするのに用いるアップリンクサブフレーム内のＨＡＲＱリソースを占有していないＵＥ１がＰＵＳＣＨでアップリンクサービス情報を送信することを基地局が発見した場合、基地局は、ＵＥ１はアップリンクサブフレーム内のＨＡＲＱリソース以外のアップリンクリソースを占有していると決定する。
【００７５】
つまり、ＵＥ１がＨＡＲＱステータスをフィードバックするのに用いるアップリンクサブフレーム内のＨＡＲＱリソースを占有していないことを基地局が発見し、かつ、ＵＥ１がＰＵＳＣＨでアップリンクサービス情報を送信することを基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定してよく、ＵＥのＣＷＳを決定する際、ＵＥのＨＡＲＱステータスをＮＡＣＫ状態と示し、ＨＡＲＱステータスをＨＡＲＱステータスセットに追加してよい。  実現方式３
【００７６】
ＨＡＲＱステータスをフィードバックするのに用いるアップリンクサブフレーム内のＨＡＲＱリソースを占有していないＵＥ１がＰＵＣＣＨでアップリンク制御情報を送信することを基地局が発見した場合、基地局は、ＵＥ１がアップリンクサブフレーム内のＨＡＲＱリソース以外のアップリンクリソースを占有していると決定する。
【００７７】
つまり、ＵＥ１がＨＡＲＱステータスをフィードバックするのに用いるアップリンクサブフレーム内のＨＡＲＱリソースを占有していないことを基地局が発見し、かつ、ＵＥ１がＰＵＣＣＨでアップリンク制御情報を送信することを基地局が発見した場合、ＵＥがアップリンクサブフレームを占有していないのは、ＵＥによるＬＢＴの実施の失敗から起こっているのではなく、ＵＥによるＰＤＣＣＨの検出の失敗から起こっていると決定出来る。この場合、基地局は、ＵＥのＨＡＲＱステータスをＤＴＸ状態と決定してよく、ＵＥのＣＷＳを決定する際、ＵＥのＨＡＲＱステータスをＮＡＣＫ状態と示し、ＨＡＲＱステータスをＨＡＲＱステータスセットに追加してよい。ＰＵＣＣＨでＵＥ１が送信するアップリンク制御情報は、スケジューリング要求（Ｓｃｈｅｄｕｌｉｎｇ  Ｒｅｑｕｅｓｔ，ＳＲ）またはチャネル状態情報（Ｃｈａｎｎｅｌ  Ｓｔａｔｅ  Ｉｎｆｏｒｍａｔｉｏｎ，ＣＳＩ）を含む。
【００７８】
さらに、ＤＴＸ状態がＬＢＴの失敗から起こっているのかを、ＵＥがアップリンクサブフレーム内のＨＡＲＱリソース以外のアップリンクリソースを占有しているかに基づき基地局が判断する場合、２つの分岐が含まれることに留意されたい。分岐１：ＵＥがＨＡＲＱリソースのアップリンクサブフレーム内のＰＵＣＣＨを占有しているのかを検出。分岐２：ＵＥがＨＡＲＱリソースのアップリンクサブフレーム内のＰＵＳＣＨを占有しているのかを検出。
【００７９】
分岐１：ＵＥがＰＵＣＣＨでＨＡＲＱステータスをフィードバックする。
【００８０】
ＰＵＣＣＨ上のＨＡＲＱリソースは、ＰＤＣＣＨのＤＬグラントインジケーションにより示されるか、またはＤＬグラントのリソースに基づきマッピングおよび計算を介して取得される。したがって、ＵＥは、ＤＬグラントを何ら受信しない場合、ＨＡＲＱステータスをフィードバックしない。この場合、ＵＥに対応するＨＡＲＱステータスはＤＴＸ状態である。しかしながら、ＳＲおよび／またはＣＳＩを含む、ＰＵＣＣＨで定期的に送信される他のＵＣＩ情報がある。基地局は、ＰＵＣＣＨを多重化するようＨＡＲＱステータスフィードバック並びにＳＲおよび／またはＣＳＩを構成してよい。ＳＲおよびＣＳＩは定期的であるよう構成される。ＵＥは、ＤＬグラントを受信したかに関わらず、対応するＰＵＣＣＨリソースで定期的にＳＲおよびＣＳＩを送信する。
【００８１】
ケース１に対応して、ＨＡＲＱステータスフィードバックおよび他のＵＣＩ情報はＰＵＣＣＨを多重化せず、ＵＥは、ＰＵＣＣＨでＨＡＲＱステータスのみフィードバックする。
【００８２】
ＵＥに対応するＨＡＲＱステータスのみアップリンクサブフレーム内でフィードバックする必要があり、ＳＲおよび／またはＣＳＩを送信する必要がない場合、基地局はそれでも、ＤＴＸ状態を起こしている原因を決定出来ない。この場合、ＣＷＳを決定すべく基地局により用いられるＨＡＲＱステータスセットは、ＵＥに対応し基地局が検出するＨＡＲＱステータスに含まれるＡＣＫ状態またはＮＡＣＫ状態に戻る（ｆａｌｌｓ  ｂａｃｋ）。基地局がＨＡＲＱリソースで有効な情報を検出しない場合、言い換えると、ＨＡＲＱステータスがＤＴＸ状態である場合、ＣＷＳを決定する際、ＤＴＸ状態は無視される。
【００８３】
ケース２に対応して、ＵＥは、ＨＡＲＱステータスと、ＳＲおよび／またはＣＳＩ等の他のＵＣＩ情報とをＰＵＣＣＨでフィードバックする。
【００８４】
アップリンクサブフレーム内のＰＵＣＣＨがＨＡＲＱリソースを搬送し、ＨＡＲＱステータスフィードバックと、ＳＲおよび／またはＣＳＩとがＰＵＣＣＨを多重化する場合、ＣＷＳの調整のために用いられるＨＡＲＱステータスセットを基地局が決定する方式は以下のことを含む。１．ＨＡＲＱステータスをフィードバックする、参照サブフレームについてのフィードバックに用いられるアップリンクサブフレーム内のＨＡＲＱリソースをＵＥが占有していることを基地局が発見する。２．ＨＡＲＱステータスをフィードバックする、参照サブフレームについてのフィードバックに用いられるアップリンクサブフレーム内のＨＡＲＱリソースをＵＥが占有していないことを基地局が発見し、かつ、ＵＥが同じＰＵＣＣＨ上の他のＵＣＩリソース、つまり、ＳＲおよび／またはＣＳＩに対応するＰＵＣＣＨリソースを占有していることを基地局が発見する。基地局は、ＳＲまたはＣＳＩの存在を検出することにより、ＵＥがアップリンクサブフレームを占有しているのかを判断してよく、これにより、ＵＥに対応するＨＡＲＱステータスがＤＴＸ状態である状況がＬＢＴの失敗から起こっているのかを決定してよい。ＵＥが他のＵＣＩリソースを占有している場合、基地局はＬＢＴの失敗の確率を排除し、ＵＥのＣＷＳを決定する際、ＵＥに対応するＨＡＲＱステータスをＮＡＣＫ状態と示し、ＨＡＲＱステータスをＨＡＲＱステータスセットに追加する。ＵＥが任意の他のＵＣＩリソースを占有していない場合、言い換えると、基地局がＰＵＣＣＨで何ら有効な情報を発見しない場合、ＤＴＸ状態はＬＢＴの失敗から起こり得、基地局はＤＴＸ状態を無視する。もちろん、後者のケースにおいてＬＢＴが成功するかもしれず、基地局は、アップリンクチャネル品質が低いが故に何らＰＵＣＣＨを発見しない。しかしながら、ＤＴＸ状態を起こしている原因を基地局が決定出来ないことから、および、ＬＢＴの失敗の確率はＰＵＣＣＨの検出の失敗の確率よりはるかに高いことから、他のＵＣＩが何ら検出されない場合にＤＴＸ状態を無視することにより、ＣＷＳはより正確に決定され得る。
【００８５】
分岐２：ＵＥがＰＵＳＣＨでＨＡＲＱステータスをフィードバックする。
【００８６】
ＨＡＲＱステータスがＰＵＳＣＨで伝達される場合、基地局は、ＵＥに対応するＨＡＲＱステータスのビット情報についてＰＵＳＣＨのデータリソースに対してパンクチャリングを実施する。したがって、ＵＥがＤＬグラントを発見し、ＰＤＣＣＨを復調する場合、ＰＵＳＣＨに対して実施されたパンクチャリング後に取得されるＨＡＲＱリソースはＨＡＲＱステータス情報で満たされており、またはＵＥがＤＬグラントを検出しない場合、ＵＥは、ＨＡＲＱステータスに対応するリソースでＨＡＲＱステータスのフィードバック情報を送信しない。実際の適用の際、ＵＥはＤＬグラントを失うが、アップリンクグラント（Ｕｐｌｉｎｋ  ｇｒａｎｔ，ＵＬ  ｇｒａｎｔ）は失わない可能性があることに留意されたい。例えば基地局がＤＬグラントとＵＬグラントとをそれぞれ異なる２つのダウンリンクサブフレームで送信し、ＴＤＤフレーム構造の時系列等のＨＡＲＱ時系列に基づき、ＵＬグラントでスケジューリングされているアップリンクサブフレーム内でＤＬグラントのダウンリンクサブフレームに対応するＨＡＲＱをフィードバックする。ＵＥはＤＬグラントに対応するダウンリンクサブフレームの受信に失敗するが、ＵＬグラントに対応するダウンリンクサブフレームの受信に成功する。したがって、基地局は、ＨＡＲＱリソースに対応するＤＴＸ状態に基づき直接的に、ＤＴＸ状態が、ＬＢＴの失敗から起こっているのか、またはＰＤＣＣＨの失敗から起こっているのかを判断出来ない。しかしながら、基地局が、ＨＡＲＱリソースのＰＵＳＣＨで他のデータ情報を送信する場合、このことは、ＵＥがアップリンクサブフレームを占有していることも示しているかもしれない。したがって、一部の可能な実施方式において、基地局はＵＥのＰＵＳＣＨを復調し、ＵＥのＣＷＳを決定する際、ＵＥの、正しく復調されたＰＵＳＣＨが位置するアップリンクサブフレームに対応するＨＡＲＱステータスをＮＡＣＫ状態と示し、ＵＥの、誤って復調されたＰＵＳＣＨが位置するアップリンクサブフレームに対応するＨＡＲＱステータスを無視する。
【００８７】
加えて、ＤＭＲＳおよびＰＵＳＣＨデータ情報が同じアップリンクサブフレーム内で送信され、基地局はさらに、アップリンクＤＭＲＳの存在を検出することにより、ＵＥがアップリンクサブフレーム内のＨＡＲＱリソース以外のアップリンクリソースを占有しているのかを判断してよい。ＤＭＲＳが検出された場合、このことは、ＵＥがチャネルをプリエンプトし、ＰＵＳＣＨデータ情報を送信したことを示している。ＤＭＲＳは符号列であるので、ＤＭＲＳに対応するシンボルのピーク値がその列に関連する検出を介して検出された場合、ＵＥがＤＭＲＳを送信したと判断されてよい。チャネル品質が低いが故にＰＵＳＣＨが正しく復調されなかった場合でも、ＵＥがアップリンクサブフレームを占有していると判断してよい。ＰＵＳＣＨデータリソースの存在に関する検出と比較し、ＤＭＲＳの存在に関する検出によりＰＵＳＣＨは、アップリンクチャネルの品質がより低い場合に検出出来る。したがって、ＨＡＲＱリソースがＰＵＳＣＨで搬送される場合、ＣＷＳの調整のために用いられるＨＡＲＱステータスセットを基地局が決定する方式は以下の方式を含む。１．ＵＥが、ＨＡＲＱステータスをフィードバックすべく、参照サブフレームについてのフィードバックに用いられるアップリンクサブフレーム内のＨＡＲＱリソースを占有していることを基地局が発見する。２．ＵＥが、ＨＡＲＱステータスをフィードバックすべく、参照サブフレームについてのフィードバックに用いられるアップリンクサブフレーム内のＨＡＲＱリソースを占有していないことを基地局が発見し、かつ、ＵＥが、同じアップリンクサブフレーム内のＰＵＣＣＨでデータリソースまたはＤＭＲＳリソースを占有していることを基地局が発見する。
【００８８】
基地局は、ＵＥが参照サブフレームについてのＨＡＲＱステータスフィードバックで用いられるアップリンクサブフレーム内のＨＡＲＱリソースを占有しているのかということのみを検出することにより、ＵＥがアップリンクサブフレーム内のＬＢＴの実施に成功したかを判断してよく、これにより、ＣＷＳを決定してよいことに留意されたい。アップリンクサブフレーム内のＨＡＲＱリソースがＰＵＣＣＨで搬送される場合、基地局は、ＣＷＳを決定する際、参照サブフレームについてのフィードバックで用いられるＰＵＣＣＨ上のＨＡＲＱリソースを占有しているＵＥに対応するＨＡＲＱステータスのみを考慮し、ＰＵＣＣＨ上のＨＡＲＱリソースを占有していないＵＥのＨＡＲＱステータスは無視する。
【００８９】
基地局は、ＵＥがアップリンクサブフレーム内のＬＢＴの実施に成功したかについて、以下の２つの方式で判断してもよいことに留意されたい。１．ＨＡＲＱステータスをフィードバックすべく参照サブフレームについてのフィードバックで用いられるアップリンクサブフレーム内のＨＡＲＱリソースをＵＥが占有しているのかを検出する。または、２．参照サブフレームについてのフィードバックで用いられるアップリンクサブフレーム内のＨＡＲＱリソース以外のアップリンクリソースをＵＥが占有しているのかを検出する。以下のケースのうちいずれか１つが検出された場合、ＵＥがアップリンクサブフレームを占有していること、言い換えると、アップリンクサブフレーム内のＬＢＴが成功したことが示される：参照サブフレームについてのＨＡＲＱステータスフィードバックで用いられるアップリンクサブフレーム内のＨＡＲＱリソースをＵＥが占有している；または参照サブフレームについてのＨＡＲＱステータスフィードバックで用いられるアップリンクサブフレーム内のＨＡＲＱリソース以外のアップリンクリソースをＵＥが占有している。例えば、ＨＡＲＱリソースがＰＵＣＣＨで搬送される場合、基地局がＣＷＳを決定する際、ＵＥがＨＡＲＱステータスをフィードバックするＰＵＣＣＨ上のＨＡＲＱリソースを占有していることを基地局が発見し、またはＵＥがＰＵＣＣＨ上のＨＡＲＱリソースを占有していないことを基地局が発見し、かつ、ＵＥが同じＰＵＣＣＨで他のＵＣＩ情報を送信することを基地局が発見した場合、基地局は、ＵＥに対応するＤＴＸ状態をＮＡＣＫ状態と示し、ＨＡＲＱステータスをＨＡＲＱステータスセットに追加し、ＣＷＳを決定する。代替的に、例えばＨＡＲＱリソースがＰＵＳＣＨで搬送される場合、基地局がＣＷＳを決定する際、ＵＥがＨＡＲＱステータスをフィードバックするＰＵＳＣＨ上のＨＡＲＱリソースを占有していることを基地局が発見し、またはＵＥがＰＵＳＣＨ上のＨＡＲＱリソースを占有していないことを基地局が発見し、かつ、ＵＥが同じＰＵＳＣＨでデータ情報またはＤＭＲＳを送信することを基地局が発見した場合、基地局は、ＵＥに対応するＤＴＸ状態をＮＡＣＫ状態と示し、ＨＡＲＱステータスをＨＡＲＱステータスセットに追加し、ＣＷＳを決定する。
【００９０】
分岐１および分岐２に関して、同じＵＥのＰＵＣＣＨおよびＰＵＳＣＨの同時伝送が同じアップリンクサブフレームで許可されるのかについて、異なる基地局同士は要件が異なることに留意されたい。したがって、同じＵＥのＰＵＣＣＨおよびＰＵＳＣＨの同時伝送が同じアップリンクサブフレームで許可されることを示さない基地局に関して、ＨＡＲＱリソースがアップリンクサブフレーム内のＰＵＣＣＨで搬送される場合、ＵＥがＰＵＣＣＨを占有しているのかということのみを基地局は発見し、またはＨＡＲＱリソースがアップリンクサブフレーム内のＰＵＳＣＨで搬送される場合、ＵＥがＰＵＳＣＨチャネルを占有しているのかということのみを基地局は発見する。同じＵＥのＰＵＣＣＨおよびＰＵＳＣＨの同時伝送が同じアップリンクサブフレームで許可されることを示す基地局に関して、ＨＡＲＱリソースがアップリンクサブフレーム内のＰＵＣＣＨで搬送されるのか、アップリンクサブフレーム内のＰＵＳＣＨで搬送されるのかに関わらず、基地局は、ＵＥがＰＵＣＣＨまたはＰＵＳＣＨのうちいずれか１つを占有しているのかを検出することにより、ＬＢＴに失敗したかを判断してよい。例えばＨＡＲＱリソースがＰＵＣＣＨで搬送され、ＵＥがデータ情報またはＤＭＲＳを送信すべくＰＵＳＣＨチャネルを占有していることを基地局が発見した場合、ＬＢＴが成功したと判断出来る。基地局は、ＵＥのＣＷＳを決定する際、ＰＵＣＣＨ上の対応するＤＴＸ状態をＮＡＣＫ状態と示し、ＨＡＲＱステータスをＨＡＲＱステータスセットに追加する。
【００９１】
一部の可能な実施方式において、参照サブフレームでスケジューリングされているＵＥがＨＡＲＱステータスをフィードバックするのに用いるアップリンクサブフレーム内のＨＡＲＱリソースを占有していないことを基地局が発見した場合、基地局は直接的に、ＵＥのＨＡＲＱステータスを、ＬＢＴの失敗から起こっているＤＴＸ状態と判断してよく、ＵＥのＣＷＳを決定する際、ＵＥのＨＡＲＱステータスを無視し、ＵＥのＨＡＲＱステータスをＨＡＲＱステータスセットに追加しなくてよい。加えて、参照サブフレームでスケジューリングされているＵＥがＨＡＲＱステータスをフィードバックするのに用いるアップリンクサブフレーム内のＨＡＲＱリソースを占有していないことを検出した場合、基地局はさらに、ＵＥがアップリンクサブフレーム内のＨＡＲＱリソースを占有していないのは、ＬＢＴの失敗から起こっているのかを判断してよく、つまり、基地局はさらに、ＵＥがアンライセンスキャリア上のアップリンクサブフレームを占有しているのかを判断してよい。
【００９２】
実際の適用の際、ＵＥによるＬＢＴの実施が成功する確率はさらに、ＣＷＳ、またはＣＷＳに基づき生成されるバックオフカウンタの初期値等のアップリンクセンスパラメータに関連する。ＣＷＳがより大きいということ、またはＣＷＳに基づき生成されるバックオフカウンタの初期値がより大きいということは、チャネルにアクセスするまでのＵＥの待ち時間がより長いこと、および、スケジューリングされているアップリンクサブフレームでチャネルにアクセスする確率がより低いことを示している。反対に、ＣＷＳがより小さいということ、またはバックオフカウンタの初期値がより小さいということは、チャネルにアクセスする確率がより高いことを示している。したがって、ＵＥに対応するＨＡＲＱステータスがＤＴＸ状態であると基地局が決定した場合（つまり、参照サブフレームでスケジューリングされているＵＥがアップリンクサブフレーム内のＨＡＲＱリソースを占有していないことを基地局が発見した場合）、またはＵＥがＨＡＲＱステータスをフィードバックするのに用いるアップリンクサブフレーム内のＨＡＲＱリソースを占有していないことを基地局が発見し、かつ、ＵＥがＰＵＣＣＨおよびＰＵＳＣＨを占有していないことを基地局が発見した場合であり、ＣＷＳ、またはバックオフカウンタの初期値が比較的大きい場合、ＵＥに対応するＨＡＲＱステータスがＤＴＸ状態である状況がＬＢＴの失敗から起こっている確率は、ＨＡＲＱステータスがＤＴＸ状態である状況がＰＤＣＣＨの検出の失敗から起こっている確率より高い。この場合、基地局は、ＤＴＸ状態が起こっているのはＬＢＴの失敗から起こっていると判断し、ＤＴＸ状態を無視してよい。逆に、ＣＷＳがより小さいということ、またはバックオフカウンタの初期値がより小さいということは、ＵＥに対応するＨＡＲＱステータスがＤＴＸ状態である状況がＬＢＴの失敗から起こっている確率がより低いことを示している。この場合、ＵＥに対応するＨＡＲＱステータスがＤＴＸ状態である状況がＰＤＣＣＨの検出の失敗から起こっていると基地局は判断し、ＤＴＸ状態をＮＡＣＫ状態と示し、ＮＡＣＫ状態をＨＡＲＱステータスセットに追加してよい。基地局は、ＵＥのＣＷＳをアップリンクＬＢＴにおいて生成し、ＵＥにＣＷＳを通知してよく、それからＵＥは、ＣＷＳに基づきバックオフカウンタの初期値を生成し、または基地局が直接的に、バックオフカウンタの初期値を生成し、ＵＥに初期値を通知することに留意されたい。したがって、基地局はＵＥのＣＷＳ、またはバックオフカウンタの初期値を把握し、それらパラメータのうち１つに基づき、ＤＴＸ状態を起こしている原因を判断してよい。
【００９３】
具体的に実現する際、参照サブフレームでスケジューリングされている複数のＵＥのうち１または複数のＵＥ（１または複数のＵＥのうち１つのＵＥを以下では説明のための例として用い、それはＵＥ１であると仮定する）がＨＡＲＱステータスをフィードバックするのに用いるアップリンクサブフレーム内のＨＡＲＱリソースを占有していないと基地局が発見し、アップリンクサブフレームに関してＵＥ１が実施したＣＣＡにおけるＣＷＳが第１の所定の閾値以下である、またはアップリンクサブフレームに関して少なくとも１つのＵＥが実施するＣＣＡにおけるＣＷＳに基づき生成されたバックオフカウンタの初期値が第２の所定の閾値以下である場合、ＵＥ１がアップリンクサブフレームを占有していると決定される。基地局は、ＵＥのＣＷＳを決定する際、ＵＥ１のＨＡＲＱステータスをＮＡＣＫ状態と示し、ＨＡＲＱステータスをＨＡＲＱステータスセットに追加してよい。代替的に、ＵＥ１がＨＡＲＱステータスをフィードバックするアップリンクサブフレーム内のＨＡＲＱリソースを占有しておらず、アップリンクサブフレーム内のＨＡＲＱリソース以外のアップリンクリソースを占有していないと基地局が決定し、アップリンクサブフレームに関してＵＥ１が実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、ＵＥ１がアップリンクサブフレームを占有していると決定される。基地局は、ＵＥのＣＷＳを決定する際、ＵＥ１のＨＡＲＱステータスをＮＡＣＫ状態と示し、ＨＡＲＱステータスをＨＡＲＱステータスセットに追加してよい。
【００９４】
さらに、ＵＥに対応するＨＡＲＱステータスがＤＴＸ状態である状況がＬＢＴの失敗から起こっているのかを基地局が判断する場合、その判断は、ＵＥがＨＡＲＱリソース以外のアップリンクリソースを占有しているのかということに基づき実施されてよく、ＵＥが送信する報告情報に基づき実施されてもよい。ＵＥが基地局へ送信する報告情報は、ＵＥがアップリンクサブフレームを占有しているのかを基地局に通知するのに用いられる。ＵＥは基地局に対して直接的に、アップリンクサブフレーム内のＬＢＴが成功したこと、またはＬＢＴが失敗したことを示すメッセージを報告する。報告情報は、ＵＥが占有しているアップリンクサブフレーム内で伝達されてよく、ＬＢＴが失敗したことから占有されていないアップリンクサブフレームの指標を基地局に通知するのに用いられる。ＵＥに対応するＨＡＲＱステータスがＤＴＸ状態であるアップリンクサブフレームが、ＬＢＴの失敗をＵＥが報告しているサブフレームであることを基地局が発見した場合、基地局は、ＣＷＳを決定する際、ＵＥのＨＡＲＱステータス、つまり、ＤＴＸ状態を無視し、ＵＥのＨＡＲＱステータスをＨＡＲＱステータスセットに追加しない。つまり、ＵＥ１が報告情報を送信することを基地局が発見した場合、基地局は直接的に、報告情報に基づき、ＵＥ１がアップリンクサブフレームを占有しているのかを決定してよい。ＵＥ１が送信する報告情報に基づき、ＵＥ１がアップリンクサブフレームを占有していないことを基地局が決定した場合、基地局は、ＣＷＳを決定する際、ＵＥのＨＡＲＱステータスを無視する。ＵＥ１が送信する報告情報に基づき、ＵＥ１がアップリンクサブフレームを占有していると基地局が決定した場合、基地局は、ＣＷＳを決定する際、ＵＥのＨＡＲＱステータスをＮＡＣＫ状態と示す。
【００９５】
具体的に実現する際、アップリンクサブフレームを占有しているＵＥのＨＡＲＱステータスが決定された後、基地局は、ダウンリンク伝送に関するＣＣＡにおけるＣＷＳを決定する際、ＣＷＳを決定するために用いられるＨＡＲＱステータスセットに含まれるＮＡＣＫ状態の数に基づき、および、ＨＡＲＱステータスセットに含まれる全ＨＡＲＱステータスの合計数に対するＮＡＣＫ状態の数の比率に基づきＣＣＡにおけるＣＷＳを決定してよい。具体的には、ＨＡＲＱステータスセットに含まれる全ＨＡＲＱステータスの合計数に対するＮＡＣＫ状態の数の比率が予め設定された閾値（例えば８０％）を越えた場合、ＣＷＳは大きくされ、そうでない場合、ＣＷＳは小さくされる。ＮＡＣＫ状態の数は、ＮＡＣＫ状態と示されるＤＴＸ状態の数を含む。
【００９６】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＬＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【００９７】
図４を参照すると、図４は、本願発明の実施形態に係る、クリアチャネルアセスメントにおけるコンテンションウィンドウサイズを決定するための装置の概略構造図である。本願発明の本実施形態で説明されている装置は、
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュール１０であって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、第１決定モジュール１０と、
アップリンクサブフレームを占有している少なくとも１つのＵＥのＨＡＲＱステータスに基づきダウンリンク伝送に関するクリアチャネルアセスメントＣＣＡにおけるコンテンションウィンドウサイズＣＷＳを決定するよう構成されている第２決定モジュール２０と
を含む。
【００９８】
第２決定モジュール２０は具体的に、アップリンクサブフレームを占有している少なくとも１つのＵＥのＨＡＲＱステータスに基づき、ダウンリンク伝送に関するＣＣＡにおけるＣＷＳを決定することであって、ここで、アンライセンスキャリア上のアップリンクサブフレームを占有しておらず、基地局により参照サブフレームでスケジューリングされているＵＥのＨＡＲＱステータスは、ダウンリンク伝送に関するＣＣＡにおけるＣＷＳを決定する要因として用いられない、決定すること、またはアップリンクサブフレームを占有している少なくとも１つのＵＥのＨＡＲＱステータスに基づき、ダウンリンク伝送に関するＣＣＡにおけるＣＷＳを決定し、ダウンリンク伝送に関するＣＣＡにおけるＣＷＳを決定する際、アンライセンスキャリア上のアップリンクサブフレームを占有しておらず、基地局により参照サブフレームでスケジューリングされているＵＥのＨＡＲＱステータスは無視すること
を実行するよう構成されている。
【００９９】
一部の可能な実施方式において、第１決定モジュール１０は具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１００】
一部の可能な実施方式において、第１決定モジュール１０は具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１０１】
一部の可能な実施方式において、第１決定モジュール１０は具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【０１０２】
一部の可能な実施方式において、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【０１０３】
一部の可能な実施方式において、
第１決定モジュール１０は具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１０４】
一部の可能な実施方式において、第１決定モジュール１０は具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されている。
【０１０５】
一部の可能な実施方式において、第１決定モジュール１０は具体的に
参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【０１０６】
具体的に実現する際、クリアチャネルアセスメントにおけるコンテンションウィンドウサイズを決定するための装置は具体的に、本願発明の本実施形態で説明されている基地局であってよく、本願発明の実施形態で提供されるクリアチャネルアセスメントにおけるコンテンションウィンドウサイズを決定するための方法の実施形態で説明されている実現方式を実行するよう構成されていてよい。詳細に関しては、方法の実施形態における各段階で説明されている実現方式を参照されたく、詳細はここで改めて説明しない。
【０１０７】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＬＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【０１０８】
図５を参照すると、図５は、本願発明の実施形態に係る基地局の概略構造図である。本願発明の本実施形態で説明されている基地局は、メモリ１０００とプロセッサ２０００とを含む。メモリ１０００は、プロセッサ２０００に接続されている。
【０１０９】
メモリ１０００は、プログラムコードセットを格納するよう構成されている。
【０１１０】
プロセッサ２０００は、メモリ１０００に格納されたプログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、アップリンクサブフレームは、基地局により参照サブフレームでスケジューリングされている少なくとも１つのＵＥが参照サブフレームについてハイブリッド自動再送要求ＨＡＲＱステータスをフィードバックするのに用いるアップリンクサブフレームである、オペレーションと、
アップリンクサブフレームを占有している少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている。
【０１１１】
一部の可能な実施方式において、プロセッサ２０００は具体的に、
基地局により参照サブフレームでスケジューリングされている少なくとも１つのＵＥが、ＨＡＲＱステータスをフィードバックするアップリンクサブフレーム内のＨＡＲＱリソースを占有していることが検出された場合、ＨＡＲＱステータスをフィードバックするアップリンクサブフレーム内のＨＡＲＱリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１２】
一部の可能な実施方式において、プロセッサ２０００は具体的に、
基地局により参照サブフレームでスケジューリングされている少なくとも１つのＵＥが、ＨＡＲＱステータスをフィードバックするアップリンクサブフレーム内のＨＡＲＱリソースを占有していないこと、およびＨＡＲＱステータスをフィードバックするアップリンクサブフレーム内のＨＡＲＱリソースを占有していない少なくとも１つのＵＥがアップリンクサブフレーム内のＨＡＲＱリソース以外のアップリンクリソースを占有していることが検出された場合、アップリンクサブフレーム内のＨＡＲＱリソース以外のアップリンクリソースを占有している少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１３】
一部の可能な実施方式において、プロセッサ２０００は具体的に、
ＨＡＲＱステータスをフィードバックするアップリンクサブフレーム内のＨＡＲＱリソースを占有していないＵＥが、復調参照信号ＤＭＲＳを送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク共有チャネルＰＵＳＣＨでアップリンクサービス情報を送信することが検出された場合、ＵＥがアップリンクサブフレーム内のＨＡＲＱリソース以外のアップリンクリソースを占有していると決定し、または、
ＨＡＲＱステータスをフィードバックするアップリンクサブフレーム内のＨＡＲＱリソースを占有していないＵＥが物理アップリンク制御チャネルＰＵＣＣＨでアップリンク制御情報を送信することが検出された場合、ＵＥがアップリンクサブフレーム内のＨＡＲＱリソース以外のアップリンクリソースを占有していると決定する
よう構成されている。
【０１１４】
一部の可能な実施方式において、ＨＡＲＱステータスをフィードバックするアップリンクサブフレーム内のＨＡＲＱリソースを占有していないＵＥがＰＵＣＣＨで送信する検出されたアップリンク制御情報は、スケジューリング要求ＳＲおよび／またはチャネル状態情報ＣＳＩを含む。
【０１１５】
一部の可能な実施方式において、プロセッサ２０００は具体的に、基地局により参照サブフレームでスケジューリングされている少なくとも１つのＵＥが、ＨＡＲＱステータスをフィードバックするアップリンクサブフレーム内のＨＡＲＱリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されており、
ＨＡＲＱリソースは、ＵＥがフィードバックするＨＡＲＱステータスを伝達する物理層リソースである。
【０１１６】
一部の可能な実施方式において、プロセッサ２０００は具体的に、基地局により参照サブフレームでスケジューリングされている少なくとも１つのＵＥがＨＡＲＱステータスをフィードバックするアップリンクサブフレーム内のＨＡＲＱリソースを占有しておらず、ＨＡＲＱリソース以外のアップリンクリソースを占有していないことが検出され、かつ、アップリンクサブフレームに関して少なくとも１つのＵＥが実施するＣＣＡにおけるＣＷＳが第１の所定の閾値以下である、またはアップリンクサブフレームに関して少なくとも１つのＵＥが実施するＣＣＡにおけるＣＷＳに基づき生成されるバックオフカウンタの初期値が第２の所定の閾値以下である場合、少なくとも１つのＵＥがアップリンクサブフレームを占有していると決定するよう構成されている。
【０１１７】
一部の可能な実施方式において、プロセッサ２０００は具体的に、
基地局により参照サブフレームでスケジューリングされている少なくとも１つのＵＥが送信する報告情報を受信することであって、報告情報は、少なくとも１つのＵＥがアップリンクサブフレームを占有していることを示すのに用いられる、受信することと、
少なくとも１つのＵＥがアップリンクサブフレームを占有していると決定することと
を実行するよう構成されている。
【０１１８】
具体的に実現する際、本願発明の本実施形態で説明されている基地局は、本願発明の実施形態で提供されるクリアチャネルアセスメントにおけるコンテンションウィンドウサイズを決定するための方法の実施形態で説明されている実現方式を実行するよう構成されていてよい。詳細に関しては、方法の実施形態における各段階で説明されている実現方式を参照されたく、詳細はここで改めて説明しない。
【０１１９】
本願発明の本実施形態において、基地局は、参照サブフレームでスケジューリングされている複数のＵＥのうち、アンライセンスキャリア上のアップリンクサブフレームを占有している１または複数のＵＥを複数の実現方式を用い決定してよく、アップリンクサブフレームを占有している各ＵＥのＨＡＲＱステータスに基づきダウンリンク伝送に関するＣＣＡにおけるＣＷＳを決定してよい。基地局は、ＵＥのＨＡＲＱステータスがＤＴＸ状態である状況がＬＢＴの失敗から起こっているのか、またはＰＤＣＣＨの検出の失敗から起こっているのかを決定し、ＬＢＴの失敗から起こっているＤＴＸ状態を無視し、ＰＤＣＣＨの検出の失敗から起こっているＤＴＸ状態をＮＡＣＫ状態と示し、ＣＷＳを決定するためのＨＡＲＱステータスセットにそのＮＡＣＫ状態を追加することが出来、これにより、ダウンリンク伝送に関するＣＷＳの決定における精度を向上させ、調整されたＣＷＳが過度に大きいが故に基地局の待ち時間を増やしてしまう確率を下げることが出来る。
【０１２０】
関連するハードウェアにコンピュータプログラムが命令することにより、実施形態における複数の方法のプロセスのうち全てまたは一部を実現出来ることを当業者は理解し得よう。そのプログラムはコンピュータ可読記憶媒体に格納されてよい。そのプログラムが起動されたとき、実施形態における方法のそれらプロセスが実施される。先述の記憶媒体は、磁気ディスク、光学式ディスク、読み取り専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、または同様のものを含んでよい。
【０１２１】
上記にて開示されたのは単に本願発明の実施形態の例であり、もちろん本願発明の保護範囲を限定することは意図されていない。したがって、本願発明の請求項に従って成される同等の変形例が、本願発明の範囲に含まれるものとする。
（項目１）
参照サブフレームでスケジューリングされている少なくとも１つのユーザ機器ＵＥのうち、アンライセンスキャリア上のアップリンクサブフレームを占有している少なくとも１つのＵＥを基地局が決定する段階であって、上記アップリンクサブフレームは、上記基地局により上記参照サブフレームでスケジューリングされている少なくとも１つのＵＥが上記参照サブフレームについてハイブリッド自動再送要求ＨＡＲＱステータスをフィードバックするのに用いるアップリンクサブフレームである、段階と、
上記アップリンクサブフレームを占有している上記少なくとも１つのＵＥのＨＡＲＱステータスに基づき、ダウンリンク伝送に関するクリアチャネルアセスメントＣＣＡにおけるコンテンションウィンドウサイズＣＷＳを上記基地局が決定する段階と
を備える、クリアチャネルアセスメントにおけるコンテンションウィンドウサイズを決定するための方法。
（項目２）
参照サブフレームでスケジューリングされている少なくとも１つのＵＥのうち、アンライセンスキャリア上のアップリンクサブフレームを占有している少なくとも１つのＵＥを基地局が決定する上記段階は、上記参照サブフレームでスケジューリングされている少なくとも１つのＵＥが、ＨＡＲＱステータスをフィードバックする上記アップリンクサブフレーム内のＨＡＲＱリソースを占有していることを上記基地局が発見した場合、上記アップリンクサブフレーム内の上記ＨＡＲＱリソースを占有している上記少なくとも１つのＵＥが、上記アップリンクサブフレームを占有していると決定する段階を有し、
上記ＨＡＲＱリソースは、上記ＵＥがフィードバックする上記ＨＡＲＱステータスを伝達する物理層リソースである、
項目１に記載の方法。
（項目３）
参照サブフレームでスケジューリングされている少なくとも１つのユーザ機器ＵＥのうち、アンライセンスキャリア上のアップリンクサブフレームを占有している少なくとも１つのＵＥを基地局が決定する上記段階は、上記参照サブフレームでスケジューリングされている少なくとも１つのＵＥが、ＨＡＲＱステータスをフィードバックする上記アップリンクサブフレーム内のＨＡＲＱリソースを占有していないことを上記基地局が発見し、かつ、上記ＨＡＲＱステータスをフィードバックする上記アップリンクリソース内の上記ＨＡＲＱリソースを占有していない上記少なくとも１つのＵＥが上記アップリンクサブフレーム内の上記ＨＡＲＱリソース以外のアップリンクリソースを占有していることを上記基地局が発見した場合、上記アップリンクサブフレーム内の上記ＨＡＲＱリソース以外の上記アップリンクリソースを占有している上記少なくとも１つのＵＥが上記アップリンクサブフレームを占有していると決定する段階を有し、
上記ＨＡＲＱリソースは、上記ＵＥがフィードバックする上記ＨＡＲＱステータスを伝達する物理層リソースである、
項目１または２に記載の方法。
（項目４）
上記ＨＡＲＱステータスをフィードバックする上記アップリンクリソース内の上記ＨＡＲＱリソースを占有していない上記少なくとも１つのＵＥが上記アップリンクサブフレーム内の上記ＨＡＲＱリソース以外のアップリンクリソースを占有していることを上記基地局が発見するとは、
上記ＨＡＲＱステータスをフィードバックする上記アップリンクサブフレーム内の上記ＨＡＲＱリソースを占有していない上記ＵＥが、復調参照信号ＤＭＲＳを送信することを上記基地局が発見した場合、上記ＵＥが上記アップリンクサブフレーム内の上記ＨＡＲＱリソース以外の上記アップリンクリソースを占有していると決定すること、または、
上記ＨＡＲＱステータスをフィードバックする上記アップリンクサブフレーム内の上記ＨＡＲＱリソースを占有していない上記ＵＥが物理アップリンク共有チャネルＰＵＳＣＨでアップリンクサービス情報を送信することを上記基地局が発見した場合、上記ＵＥが上記アップリンクサブフレーム内の上記ＨＡＲＱリソース以外の上記アップリンクリソースを占有していると決定すること、または、
上記ＨＡＲＱステータスをフィードバックする上記アップリンクサブフレーム内の上記ＨＡＲＱリソースを占有していない上記ＵＥが物理アップリンク制御チャネルＰＵＣＣＨでアップリンク制御情報を送信することを上記基地局が発見した場合、上記ＵＥが上記アップリンクサブフレーム内の上記ＨＡＲＱリソース以外の上記アップリンクリソースを占有していると決定すること
を含む、項目３に記載の方法。
（項目５）
上記ＨＡＲＱステータスをフィードバックする上記アップリンクサブフレーム内の上記ＨＡＲＱリソースを占有していない上記ＵＥが上記ＰＵＣＣＨで送信する上記アップリンク制御情報であって、上記基地局が検出する上記アップリンク制御情報は、スケジューリング要求ＳＲおよび／またはチャネル状態情報ＣＳＩを含む、項目４に記載の方法。
（項目６）
参照サブフレームでスケジューリングされている少なくとも１つのＵＥのうち、アンライセンスキャリア上のアップリンクサブフレームを占有している少なくとも１つのＵＥを基地局が決定する上記段階は、上記参照サブフレームでスケジューリングされている少なくとも１つのＵＥが、ＨＡＲＱステータスをフィードバックする上記アップリンクサブフレーム内のＨＡＲＱリソースを占有していないことを上記基地局が発見し、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定する段階を有し、
上記ＨＡＲＱリソースは、上記ＵＥがフィードバックする上記ＨＡＲＱステータスを伝達する物理層リソースである、
項目１または２に記載の方法。
（項目７）
参照サブフレームでスケジューリングされている少なくとも１つのＵＥのうち、アンライセンスキャリア上のアップリンクサブフレームを占有している少なくとも１つのＵＥを基地局が決定する上記段階は、上記参照サブフレームでスケジューリングされている少なくとも１つのＵＥが、上記ＨＡＲＱステータスをフィードバックする上記アップリンクサブフレーム内の上記ＨＡＲＱリソースを占有しておらず、上記ＨＡＲＱリソース以外の上記アップリンクリソースを占有していないことを上記基地局が発見し、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定する段階を有する、項目３から５のいずれか一項に記載の方法。
（項目８）
参照サブフレームでスケジューリングされている少なくとも１つのＵＥのうち、アンライセンスキャリア上のアップリンクサブフレームを占有している少なくとも１つのＵＥを基地局が決定する上記段階は、
上記参照サブフレームでスケジューリングされている少なくとも１つのＵＥが送信する報告情報を上記基地局が受信する段階であって、上記報告情報は、上記少なくとも１つのＵＥが上記アップリンクサブフレームを占有していることを示すのに用いられる、段階と、
上記少なくとも１つのＵＥが上記アップリンクサブフレームを占有していると上記基地局が決定する段階と
を有する、項目１に記載の方法。
（項目９）
基地局により参照サブフレームでスケジューリングされている少なくとも１つのユーザ機器ＵＥのうち、アンライセンスキャリア上のアップリンクサブフレームを占有している少なくとも１つのＵＥを決定するよう構成されている第１決定モジュールであって、上記アップリンクサブフレームは、上記基地局により上記参照サブフレームでスケジューリングされている少なくとも１つのＵＥが上記参照サブフレームについてハイブリッド自動再送要求ＨＡＲＱステータスをフィードバックするのに用いるアップリンクサブフレームである、第１決定モジュールと、
上記アップリンクサブフレームを占有している上記少なくとも１つのＵＥのＨＡＲＱステータスに基づき、ダウンリンク伝送に関するクリアチャネルアセスメントＣＣＡにおけるコンテンションウィンドウサイズＣＷＳを決定するよう構成されている第２決定モジュールと
を備える、クリアチャネルアセスメントにおけるコンテンションウィンドウサイズを決定するための装置。
（項目１０）
上記第１決定モジュールは具体的に、上記基地局により上記参照サブフレームでスケジューリングされている少なくとも１つのＵＥが、ＨＡＲＱステータスをフィードバックする上記アップリンクサブフレーム内のＨＡＲＱリソースを占有していることが検出された場合、上記ＨＡＲＱステータスをフィードバックする上記アップリンクサブフレーム内の上記ＨＡＲＱリソースを占有している上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目９に記載の決定装置。
（項目１１）
上記第１決定モジュールは具体的に、上記基地局により上記参照サブフレームでスケジューリングされている少なくとも１つのＵＥが、ＨＡＲＱステータスをフィードバックする上記アップリンクサブフレーム内のＨＡＲＱリソースを占有していないこと、および上記ＨＡＲＱステータスをフィードバックする上記アップリンクリソース内の上記ＨＡＲＱリソースを占有していない上記少なくとも１つのＵＥが上記アップリンクサブフレーム内の上記ＨＡＲＱリソース以外のアップリンクリソースを占有していることが検出された場合、上記アップリンクサブフレーム内の上記ＨＡＲＱリソース以外の上記アップリンクリソースを占有している上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目９または１０に記載の決定装置。
（項目１２）
上記第１決定モジュールは具体的に、
上記ＨＡＲＱステータスをフィードバックする上記アップリンクサブフレーム内の上記ＨＡＲＱリソースを占有していない上記ＵＥが、復調参照信号ＤＭＲＳを送信することが検出された場合、上記ＵＥが上記アップリンクサブフレーム内の上記ＨＡＲＱリソース以外の上記アップリンクリソースを占有していると決定し、または、
上記ＨＡＲＱステータスをフィードバックする上記アップリンクサブフレーム内の上記ＨＡＲＱリソースを占有していない上記ＵＥが物理アップリンク共有チャネルＰＵＳＣＨでアップリンクサービス情報を送信することが検出された場合、上記ＵＥが上記アップリンクサブフレーム内の上記ＨＡＲＱリソース以外の上記アップリンクリソースを占有していると決定し、または、
上記ＨＡＲＱステータスをフィードバックする上記アップリンクサブフレーム内の上記ＨＡＲＱリソースを占有していない上記ＵＥが物理アップリンク制御チャネルＰＵＣＣＨでアップリンク制御情報を送信することが検出された場合、上記ＵＥが上記アップリンクサブフレーム内の上記ＨＡＲＱリソース以外の上記アップリンクリソースを占有していると決定する
よう構成されている、項目１１に記載の決定装置。
（項目１３）
上記ＨＡＲＱステータスをフィードバックする上記アップリンクサブフレーム内の上記ＨＡＲＱリソースを占有していない上記ＵＥが上記ＰＵＣＣＨで送信する検出された上記アップリンク制御情報は、スケジューリング要求ＳＲおよび／またはチャネル状態情報ＣＳＩを含む、項目１２に記載の決定装置。
（項目１４）
上記第１決定モジュールは具体的に、上記基地局により上記参照サブフレームでスケジューリングされている少なくとも１つのＵＥが、ＨＡＲＱステータスをフィードバックする上記アップリンクサブフレーム内のＨＡＲＱリソースを占有していないことが検出され、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目９または１０に記載の決定装置。
（項目１５）
上記第１決定モジュールは具体的に、上記基地局により上記参照サブフレームでスケジューリングされている少なくとも１つのＵＥが上記ＨＡＲＱステータスをフィードバックする上記アップリンクサブフレーム内の上記ＨＡＲＱリソースを占有しておらず、上記ＨＡＲＱリソース以外の上記アップリンクリソースを占有していないことが検出され、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定するよう構成されている、項目１１から１３のいずれか一項に記載の決定装置。
（項目１６）
上記第１決定モジュールは具体的に、
上記参照サブフレームでスケジューリングされている少なくとも１つのＵＥが送信する報告情報を受信することであって、上記報告情報は、上記少なくとも１つのＵＥが上記アップリンクサブフレームを占有していることを示すのに用いられる、受信することと、
上記少なくとも１つのＵＥが上記アップリンクサブフレームを占有していると決定することと
を実行するよう構成されている、項目９に記載の決定装置。
（項目１７）
メモリと、
プロセッサと
を備え、
上記メモリは上記プロセッサに接続されており、
上記メモリはプログラムコードセットを格納するよう構成されており、
上記プロセッサは、上記メモリに格納された上記プログラムコードを呼び出し、
基地局により参照サブフレームでスケジューリングされている少なくとも１つのユーザ機器ＵＥのうち、アンライセンスキャリア上のアップリンクサブフレームを占有している少なくとも１つのＵＥを決定するオペレーションであって、上記アップリンクサブフレームは、上記基地局により上記参照サブフレームでスケジューリングされている少なくとも１つのＵＥが上記参照サブフレームについてハイブリッド自動再送要求ＨＡＲＱステータスをフィードバックするのに用いるアップリンクサブフレームである、オペレーションと、
上記アップリンクサブフレームを占有している上記少なくとも１つのＵＥのＨＡＲＱステータスに基づき、ダウンリンク伝送に関するクリアチャネルアセスメントＣＣＡにおけるコンテンションウィンドウサイズＣＷＳを決定するオペレーションと
を実施するよう構成されている、基地局。
（項目１８）
上記プロセッサは具体的に、
上記基地局により上記参照サブフレームでスケジューリングされている少なくとも１つのＵＥが、ＨＡＲＱステータスをフィードバックする上記アップリンクサブフレーム内のＨＡＲＱリソースを占有していることが検出された場合、上記ＨＡＲＱステータスをフィードバックする上記アップリンクサブフレーム内の上記ＨＡＲＱリソースを占有している上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目１７に記載の基地局。
（項目１９）
上記プロセッサは具体的に、上記基地局により上記参照サブフレームでスケジューリングされている少なくとも１つのＵＥが、ＨＡＲＱステータスをフィードバックする上記アップリンクサブフレーム内のＨＡＲＱリソースを占有していないこと、および上記ＨＡＲＱステータスをフィードバックする上記アップリンクリソース内の上記ＨＡＲＱリソースを占有していない上記少なくとも１つのＵＥが上記アップリンクサブフレーム内の上記ＨＡＲＱリソース以外のアップリンクリソースを占有していることが検出された場合、上記アップリンクサブフレーム内の上記ＨＡＲＱリソース以外の上記アップリンクリソースを占有している上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目１７または１８に記載の基地局。
（項目２０）
上記プロセッサは具体的に、
上記ＨＡＲＱステータスをフィードバックする上記アップリンクサブフレーム内の上記ＨＡＲＱリソースを占有していない上記ＵＥが、復調参照信号ＤＭＲＳを送信することが検出された場合、上記ＵＥが上記アップリンクサブフレーム内の上記ＨＡＲＱリソース以外の上記アップリンクリソースを占有していると決定し、または、
上記ＨＡＲＱステータスをフィードバックする上記アップリンクサブフレーム内の上記ＨＡＲＱリソースを占有していない上記ＵＥが物理アップリンク共有チャネルＰＵＳＣＨでアップリンクサービス情報を送信することが検出された場合、上記ＵＥが上記アップリンクサブフレーム内の上記ＨＡＲＱリソース以外の上記アップリンクリソースを占有していると決定し、または、
上記ＨＡＲＱステータスをフィードバックする上記アップリンクサブフレーム内の上記ＨＡＲＱリソースを占有していない上記ＵＥが物理アップリンク制御チャネルＰＵＣＣＨでアップリンク制御情報を送信することが検出された場合、上記ＵＥが上記アップリンクサブフレーム内の上記ＨＡＲＱリソース以外の上記アップリンクリソースを占有していると決定する
よう構成されている、項目１９に記載の基地局。
（項目２１）
上記ＨＡＲＱステータスをフィードバックする上記アップリンクサブフレーム内の上記ＨＡＲＱリソースを占有していない上記ＵＥが上記ＰＵＣＣＨで送信する検出された上記アップリンク制御情報は、スケジューリング要求ＳＲおよび／またはチャネル状態情報ＣＳＩを含む、項目２０に記載の基地局。
（項目２２）
上記プロセッサは具体的に、上記基地局により上記参照サブフレームでスケジューリングされている少なくとも１つのＵＥが、ＨＡＲＱステータスをフィードバックする上記アップリンクサブフレーム内のＨＡＲＱリソースを占有していないことが検出され、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定するよう構成されており、
上記ＨＡＲＱリソースは、上記ＵＥがフィードバックする上記ＨＡＲＱステータスを伝達する物理層リソースである、
項目１７または１８に記載の基地局。
（項目２３）
上記プロセッサは具体的に、上記基地局により上記参照サブフレームでスケジューリングされている少なくとも１つのＵＥが上記ＨＡＲＱステータスをフィードバックする上記アップリンクサブフレーム内の上記ＨＡＲＱリソースを占有しておらず、上記ＨＡＲＱリソース以外の上記アップリンクリソースを占有していないことが検出され、かつ、上記アップリンクサブフレームに関して上記少なくとも１つのＵＥが実施するＣＣＡにおけるＣＷＳが第１の所定の閾値以下である、または上記ＣＷＳに基づき生成されるバックオフカウンタの初期値が第２の所定の閾値以下である場合、上記少なくとも１つのＵＥが上記アップリンクサブフレームを占有していると決定するよう構成されている、項目１９から２１のいずれか一項に記載の基地局。
（項目２４）
上記プロセッサは具体的に、
上記基地局により上記参照サブフレームでスケジューリングされている少なくとも１つのＵＥが送信する報告情報を受信することであって、上記報告情報は、上記少なくとも１つのＵＥが上記アップリンクサブフレームを占有していることを示すのに用いられる、受信することと、
上記少なくとも１つのＵＥが上記アップリンクサブフレームを占有していると決定することと
を実行するよう構成されている、項目１９に記載の基地局。
【国際調査報告】
2019510443.tif 000008
2019510443.tif 000009
2019510443.tif 000010
2019510443.tif 000011